(57)【要約】【課題】細胞そのものをスクリーニング系として用いることに起因する煩雑性及び低い再現性を回避することができ、しかも、他のリガンド結合タンパク質の影響を受けずに、標的のリガンド結合タンパク質のみをターゲットとすることができるスクリーニング方法及びそれに用いることのできる新規複合体を提供する。【解決手段】  前記複合体は、（１）リガンドに特異的に結合可能なタンパク質、リガンド結合部位を含む前記タンパク質の断片、及び前記タンパク質若しくは前記断片を含むポリペプチド含有物質からなる群から選んだリガンド結合タンパク質又はその誘導体と、（２）リガンド結合部位以外の部位で前記リガンド結合タンパク質又はその誘導体に特異的に結合可能なパートナー物質とを含む。【選択図】なし【特許請求の範囲】
【請求項１】
（１）（ｉ）リガンドに特異的に結合可能なタンパク質、（ii）リガンド結合部位を含む前記タンパク質の断片、及び（iii）前記タンパク質若しくは前記断片を含むポリペプチド含有物質からなる群から選んだリガンド結合タンパク質又はその誘導体と、
（２）リガンド結合部位以外の部位で前記リガンド結合タンパク質又はその誘導体に特異的に結合可能なパートナー物質と
を含むことを特徴とする、複合体。
【請求項２】
前記リガンド結合タンパク質又はその誘導体が、Ｇタンパク質共役型受容体、リガンド結合部位を含む前記受容体の断片、又は前記受容体若しくは前記断片を含むポリペプチド含有物質である、請求項１に記載の複合体。
【請求項３】
前記リガンド結合タンパク質又はその誘導体が、ｈＧＰＣＲ４４、リガンド結合部位を含む前記受容体の断片、又は前記受容体又は前記断片を含むポリペプチド含有物質である、請求項１に記載の複合体。
【請求項４】
前記リガンド結合タンパク質又はその誘導体が、Ｇタンパク質共役型受容体又はその断片とＧタンパク質若しくはそのαサブユニット又はその断片との融合ポリペプチドである、請求項１に記載の複合体。
【請求項５】
前記リガンド結合タンパク質又はその誘導体が、ｈＧＰＣＲ４４又はその断片とＧタンパク質若しくはそのαサブユニット又はその断片との融合ポリペプチドである、請求項１に記載の複合体。
【請求項６】
前記パートナー物質が抗体である、請求項１〜５のいずれか一項に記載の複合体。
【請求項７】
前記パートナー物質がＩｇＧ抗体である、請求項１〜５のいずれか一項に記載の複合体。
【請求項８】
請求項１〜７のいずれか一項に記載の複合体と、被検物質とを接触させることを特徴とする、リガンド結合タンパク質に結合する物質のスクリーニング方法。
【請求項９】
前記複合体におけるリガンド結合タンパク質又はその誘導体が、Ｇタンパク質共役型受容体又はその断片とＧタンパク質若しくはそのαサブユニット又はその断片との融合ポリペプチドである、請求項８に記載の方法。
【請求項１０】
（１）（１ａ）リガンドに特異的に結合可能なタンパク質、リガンド結合部位を含む前記タンパク質の断片、及び前記タンパク質若しくは前記断片を含むポリペプチド含有物質からなる群から選んだリガンド結合タンパク質又はその誘導体、（１ｂ）前記リガンド結合タンパク質又はその誘導体のアミノ酸配列をコードする塩基配列を含むポリヌクレオチド、あるいは、（１ｃ）前記ポリヌクレオチドを含むベクターと、
（２）リガンド結合部位以外の部位で前記リガンド結合タンパク質又はその誘導体に特異的に結合可能なパートナー物質と
を含むことを特徴とする、前記リガンド結合タンパク質に結合する物質のスクリーニング用キット。
【請求項１１】
前記リガンド結合タンパク質又はその誘導体が、Ｇタンパク質共役型受容体又はその断片とＧタンパク質若しくはそのαサブユニット又はその断片との融合ポリペプチドである、請求項１０に記載のキット。
【請求項１２】
請求項１〜７のいずれか一項に記載の複合体と、被検物質とを接触させることを特徴とする、前記被検物質の前記リガンド結合タンパク質に対する結合及び／又は作用を分析する方法。
【請求項１３】
前記複合体におけるリガンド結合タンパク質又はその誘導体が、Ｇタンパク質共役型受容体又はその断片とＧタンパク質若しくはそのαサブユニット又はその断片との融合ポリペプチドである、請求項１２に記載の方法。
【請求項１４】
（１）（１ａ）リガンドに特異的に結合可能なタンパク質、リガンド結合部位を含む前記タンパク質の断片、及び前記タンパク質若しくは前記断片を含むポリペプチド含有物質からなる群から選んだリガンド結合タンパク質又はその誘導体、（１ｂ）前記リガンド結合タンパク質又はその誘導体のアミノ酸配列をコードする塩基配列を含むポリヌクレオチド、あるいは、（１ｃ）前記ポリヌクレオチドを含むベクターと、
（２）リガンド結合部位以外の部位で前記リガンド結合タンパク質又はその誘導体に特異的に結合可能なパートナー物質と
を含むことを特徴とする、被検物質の前記リガンド結合タンパク質に対する結合及び／又は作用の分析用キット。
【請求項１５】
前記リガンド結合タンパク質又はその誘導体が、Ｇタンパク質共役型受容体又はその断片とＧタンパク質若しくはそのαサブユニット又はその断片との融合ポリペプチドである、請求項１４に記載のキット。
【発明の詳細な説明】
【技術分野】
【０００１】
本発明は、リガンドに特異的に結合可能なタンパク質（以下、「リガンド結合タンパク質」と称する）を含有する複合体、並びに該リガンド結合タンパク質に結合する物質（以下、「目的物質」と称する）のスクリーニング方法及びキットに関する。前記スクリーニング方法及びキットは、目的物質のリガンド結合タンパク質への結合及び／又は作用の分析にも使用することができる。
【背景技術】
【０００２】
細胞はその周囲の環境の変化を迅速かつ的確に把握し、それに対応すべく細胞の中の生化学反応や遺伝子発現を調整しなければならない。その初期段階として細胞外の刺激を受けて細胞内に伝える役割を担うのが細胞膜に存在している受容体又は細胞接着分子などのリガンド結合タンパク質である。受容体の中で特にＧタンパク質と共役して働くものをＧタンパク質共役型受容体（以下、「ＧＰＣＲ」と表記する）と言う。
【０００３】
ホルモンやサイトカインなどの細胞へ刺激（情報）を伝える物質は、体内に本来備わっており細胞に情報を伝達する物質である。これらを（内在性）リガンドという。リガンドは各々に特異的なリガンド結合タンパク質に結合してその役割を果している。リガンドにはタンパク質、ペプチド、脂質、又は光など様々なものがあり、また、リガンド結合タンパク質の発現している場所も多岐にわたるため、リガンド結合タンパク質の働きを一概には記述することはできないが、例えば、免疫系、細胞増殖、又は視聴臭覚等の五感などに関与していることが知られている。
【０００４】
近年ヒトＤＮＡの解読が終了したことにより、遺伝子の予測、それに伴うタンパク質の発現が活発に行われている。ＧＰＣＲは細胞膜を７回貫通するという特徴的な構造をしているため、ＤＮＡ情報からその存在の予測が容易に行うことが可能である。その結果、未知のＧＰＣＲが約２００種類存在していることも示唆されている。このようなＧＰＣＲはＲＴ−ＰＣＲなどにより発現場所の大まかな予測は可能であり、ホモロジーからどのようなタイプのリガンドかも予測は可能である。
【０００５】
ＧＰＣＲは生体内で様々な生理現象に関与していることが知られており、現在市販されている薬の約５０％がＧＰＣＲをターゲットとした薬である。従って、ＧＰＣＲは薬のターゲットとして非常に有用性が高い可能性があり、世界中の大手製薬企業やベンチャー企業の多くがＧＰＣＲをターゲットとした研究開発をおこなっている。しかしながら、薬の候補物質となるアゴニストやアンタゴニストなどを効率よく見つける方法は知られておらず、その発見には莫大なコストと時間が費やされていた。
【０００６】
ＧＰＣＲにリガンドが結合すると、細胞膜内ではＧタンパク質がＧＤＰ結合型からＧＴＰ結合型へとコンフォメーション変化を起こす。Ｇタンパク質はα、β、及びγサブユニットからなる三量体タンパク質であり、ＧＴＰやＧＤＰはＧタンパク質αサブユニットに結合する。ＧＴＰが結合したＧタンパク質αサブユニットはＧＰＣＲ及びＧタンパク質β・γサブユニットから解離し、効果器へと作用する。Ｇタンパク質αサブユニットは大きく分けてＧｓ、Ｇｉ、Ｇｑ、及びＧ１２／１３のファミリーに分類でき、それぞれ作用する効果器が異なっている。例えば、Ｇｓはアデニル酸シクラーゼ（以下、ＡＣと表記する）を活性化させ、ＧｉはＡＣを不活性化させる。また、Ｇｑはホスホリパーゼ（以下、ＰＬＣと表記する）に作用する。ＡＣはセカンドメッセンジャーであるｃＡＭＰを産生し、ＰＬＣはイノシトール三リン酸（ＩＰ３）とジアシルグリセロール（ＤＧ）を産生する。
【０００７】
上記のようなＧＰＣＲのカスケード反応は更にＣａ２＋の放出や標的タンパク質のリン酸化など経て、最終的に細胞の振る舞いを起こさせる。従来のリガンドやアゴニスト・アンタゴニストのスクリーニングの多くはこの様なカスケード反応のある工程を利用するものである。このような従来のスクリーニング技術は細胞系にておこなうため、細胞培養の煩雑さ、被検物質の標的のＧＰＣＲ以外への反応も検出する可能性、夾雑物による測定のバラツキなど多くの問題点がある。
【０００８】
例えば、ＧＰＣＲのアッセイ系の場合、従来のアッセイ方法としては次のような方法が知られている。すなわち、標的のＧＰＣＲを発現する細胞に被検物質（被検試料）を単独で又は既知アゴニストと組み合わせて作用させ、エフェクター系の作用によって生ずるセカンドメッセンジャー、例えば、Ｇｓ若しくはＧｉ共役型受容体の場合にはアデニル酸シクラーゼの活性変動に連携したｃＡＭＰの量、Ｇｑ共役型受容体の場合にはホスホリパーゼＣの活性変動に連携したＩＰ３若しくはＣａ２＋濃度を測定する手法が汎用されている。また、ＧＰＣＲをそのままの形で発現させる代わりに、ＧＰＣＲとＧタンパク質αサブユニットとの融合ポリペプチドの形で発現させた細胞を用いるアッセイ方法も公知である（特許文献１）。
【０００９】
しかしながら、細胞を用いるこれらの方法は、極めて煩雑な操作を必要とし、大量の被検物質を迅速に評価することは極めて困難であった。また、これらの方法は、標的とするＧＰＣＲが共役するＧタンパク質の種類によって、測定されるべきセカンドメッセンジャーを選択する必要があった。そのため、標的ＧＰＣＲと共役するＧタンパク質が不明の場合には、Ｇｓ、Ｇｉ、及びＧｑの全てを介するメッセージが測定可能な全てのアッセイ系でアッセイを行う必要があった。更に、Ｇｉと共役する受容体については、標的ＧＰＣＲとＧｉとの共役により誘導される２次メッセージは、アデニル酸シクラーゼの抑制によるｃＡＭＰの減少である。よって、Ｇｉとの共役により誘導される２次メッセージを定量的に捕らえるためには、予めＧｓを活性化しｃＡＭＰを増加させる試薬（フォルスコリンなど）によりｃＡＭＰ量を増加させた後、前記ｃＡＭＰの増加に対する被検物質によるｃＡＭＰ量減少量として評価する必要があり、極めて煩雑な操作を必要とした。
【００１０】
細胞そのものをスクリーニング系として用いることに起因する煩雑性及び低い再現性を回避する方法として、ＧＰＣＲを含有する細胞膜画分を使用するアゴニスト又はアンタゴニストスクリーニング方法が開発されている（非特許文献１、特許文献２）。例えば、前記非特許文献１には、標的とするＧＰＣＲを大量に発現させた動物細胞から細胞膜画分を分離し、前記細胞膜画分を用いて、それに結合する物質を取得する方法が開示されている。また、前記特許文献２には、ＧＰＣＲをそのままの形で発現させる代わりに、ＧＰＣＲとＧタンパク質αサブユニットとの融合ポリペプチドの形で発現させ、前記融合ポリペプチドを含む細胞膜系を用いるスクリーニング方法が開示されている。しかし、いずれの方法でも、標的とするＧＰＣＲ以外にも、公知ＧＰＣＲ及び未知ＧＰＣＲを含め、膨大な種類の受容体が細胞膜画分に含まれていることは明らかであり、標的ＧＰＣＲを大量発現させることにより、標的ＧＰＣＲ以外の受容体の影響を抑える試みがなされているものの、標的以外の受容体等に結合する物質が得られることも多く、候補化合物が取得されても、標的受容体に対するアゴニスト又はアンタゴニストであるか否かの更なる解析が必要であった。
【００１１】
一方、ＧＰＣＲに結合する化合物の同定方法として、部分精製されたＧＰＣＲを、その末端に連結したタグを介してカラムクロマトグラフィー用支持体に結合させ、前記支持体を充填したカラムにペプチドライブラリーを通すことにより、ＧＰＣＲ結合化合物を取得する方法が、特許文献３に開示されている。しかしながら、特許文献３には、ＧＰＣＲ結合支持体を充填したカラムを実際に作成し、ペプチドライブラリーを実際に通したことの記載はあるものの、取得されたＧＰＣＲ結合化合物の具体的な記載はなく、この方法により実際にＧＰＣＲ結合化合物が取得可能であることのサポートは、特許文献３にはない。また、この方法では、標的ＧＰＣＲに対するアゴニスト又はアンタゴニストの判定を行うことは不可能であり、別のアッセイ系、すなわち、細胞そのもの、あるいは、細胞膜画分を用いるアッセイ系を使用して、更なる解析を行うことが必要であり、先述した前記アッセイ系における各種欠点を解消するものではない。
【００１２】
【特許文献１】特開２００３−２５０５５１号公報
【特許文献２】特開２００３−２１０１９２号公報
【特許文献３】特表２００４−５０２１３４号公報
【非特許文献１】「ライフ・サイエンスイズ（Life Sciences）」，（英国），2003年、第74巻、第4号、p. 489-508
【発明の開示】
【発明が解決しようとする課題】
【００１３】
従って、本発明の課題は、従来技術のこれらの欠点を解消し、細胞そのものをスクリーニング系として用いることに起因する煩雑性及び低い再現性を回避することができ、しかも、他のリガンド結合タンパク質の影響を受けずに、標的のリガンド結合タンパク質のみをターゲットとすることができるスクリーニング方法を提供することにある。
【００１４】
本発明の複合体は、単離されたリガンド結合タンパク質を含有するため、標的以外の受容体等に結合する物質が取れてしまうという従来の技術の問題点を解消することが可能である。すなわち、本発明の複合体は、標的リガンド結合タンパク質を例えば昆虫細胞などで大量に発現させ、その細胞をホモジナイザーなどで破砕した膜分画からリガンド結合タンパク質のみを可溶化させた後、該リガンド結合タンパク質と結合するパートナー物質との結合を利用することにより標的リガンド結合タンパク質を単離し、好ましくは担体に固定化することにより得られる。従って、本発明の複合体を用いたスクリーニング方法は、他の受容体等が存在しない条件下で、正確に標的リガンド結合タンパク質だけをターゲットとしてスクリーニングを行うことができる。また、本発明の好適態様によれば、ＧＰＣＲをＧタンパク質と融合した形で発現させることができるため、スクリーニング方法に使用できる他、リガンド又はアゴニスト・アンタゴニストの活性測定にも使用可能である。
【課題を解決するための手段】
【００１５】
本発明は、
［１］（１）（ｉ）リガンドに特異的に結合可能なタンパク質、（ii）リガンド結合部位を含む前記タンパク質の断片、及び（iii）前記タンパク質若しくは前記断片を含むポリペプチド含有物質からなる群から選んだリガンド結合タンパク質又はその誘導体と、
（２）リガンド結合部位以外の部位で前記リガンド結合タンパク質又はその誘導体に特異的に結合可能なパートナー物質と
を含むことを特徴とする、複合体；
［２］前記リガンド結合タンパク質又はその誘導体が、膜貫通型受容体、リガンド結合部位を含む前記受容体の断片、又は前記受容体若しくは前記断片を含むポリペプチド含有物質である、［１］に記載の複合体；
［３］前記リガンド結合タンパク質又はその誘導体が、核内受容体、リガンド結合部位を含む前記受容体の断片、又は前記受容体若しくは前記断片を含むポリペプチド含有物質である、［１］に記載の複合体；
［４］前記リガンド結合タンパク質又はその誘導体が、Ｇタンパク質共役型受容体、リガンド結合部位を含む前記受容体の断片、又は前記受容体若しくは前記断片を含むポリペプチド含有物質である、［１］に記載の複合体；
［５］前記リガンド結合タンパク質又はその誘導体が、ｈＧＰＣＲ４４、リガンド結合部位を含む前記受容体の断片、又は前記受容体又は前記断片を含むポリペプチド含有物質である、［１］に記載の複合体；
［６］前記リガンド結合タンパク質又はその誘導体が、ヒトｈＧＰＣＲ４４、リガンド結合部位を含む前記受容体の断片、又は前記受容体又は前記断片を含むポリペプチド含有物質である、［１］に記載の複合体；
［７］前記リガンド結合タンパク質又はその誘導体が、Ｇタンパク質共役型受容体又はその断片とＧタンパク質若しくはそのαサブユニット又はその断片との融合ポリペプチドである、［１］に記載の複合体；
［８］前記リガンド結合タンパク質又はその誘導体が、ｈＧＰＣＲ４４又はその断片とＧタンパク質若しくはそのαサブユニット又はその断片との融合ポリペプチドである、［１］に記載の複合体；
［９］前記リガンド結合タンパク質又はその誘導体が、ヒトｈＧＰＣＲ４４又はその断片とＧタンパク質若しくはそのαサブユニット又はその断片との融合ポリペプチドである、［１］に記載の複合体；
［１０］前記パートナー物質が、抗体、ビオチン、又はアビジンである、［１］〜［９］のいずれか１つに記載の複合体；
［１１］前記パートナー物質が抗体である、［１］〜［９］のいずれか１つに記載の複合体；
［１２］前記パートナー物質がＩｇＧ抗体である、［１］〜［９］のいずれか１つに記載の複合体；
［１３］前記パートナー物質がＩｇＧ抗体のＦａｂ断片である、［１］〜［９］のいずれか１つに記載の複合体；
［１４］前記パートナー物質がＩｇＧ抗体の抗原認識部位を含む断片である、［１］〜［９］のいずれか１つに記載の複合体；
［１５］［１］〜［１４］のいずれか１つに記載の複合体と、被検物質とを接触させることを特徴とする、リガンド結合タンパク質に結合する物質のスクリーニング方法；
［１６］（ｉ）担体に担持させた［１］〜［１４］のいずれか１つに記載の複合体と、被検物質とを接触させる工程、及び
（ii）前記複合体を介して前記担体に結合した被検物質を取得する工程
を含む、［１５］に記載のスクリーニング方法；
［１７］（ｉ）パートナー物質を介して担体に担持させた［１］〜［１４］のいずれか１つに記載の複合体と、被検物質とを接触させる工程、及び
（ii）前記複合体を介して前記担体に結合した被検物質を取得する工程
を含む、［１６］に記載のスクリーニング方法；
［１８］（１）（１ａ）リガンドに特異的に結合可能なタンパク質、リガンド結合部位を含む前記タンパク質の断片、及び前記タンパク質若しくは前記断片を含むポリペプチド含有物質からなる群から選んだリガンド結合タンパク質又はその誘導体、（１ｂ）前記リガンド結合タンパク質又はその誘導体のアミノ酸配列をコードする塩基配列を含むポリヌクレオチド、あるいは、（１ｃ）前記ポリヌクレオチドを含むベクターと、
（２）リガンド結合部位以外の部位で前記リガンド結合タンパク質又はその誘導体に特異的に結合可能なパートナー物質と
を含むことを特徴とする、前記リガンド結合タンパク質に結合する物質のスクリーニング用キット；
［１９］［１］〜［１４］のいずれか１つに記載の複合体を含むことを特徴とする、前記リガンド結合タンパク質に結合する物質のスクリーニング用キット；
［２０］［１］〜［１４］のいずれか１つに記載の複合体と、被検物質とを接触させることを特徴とする、前記被検物質の前記リガンド結合タンパク質に対する結合及び／又は作用を分析する方法；
［２１］（ｉ）担体に担持された［７］〜［９］のいずれか１つに記載の複合体と、被検物質とを、標識化ＧＴＰの存在下で接触させる工程、及び
（ii）前記複合体へのＧＴＰの結合を分析する工程
を含む、前記被検物質の受容体に対する結合及び／又は作用を分析する方法；
［２２］（ｉ）プレートに担持された［７］〜［９］のいずれか１つに記載の複合体と、被検物質とを、標識化ＧＴＰの存在下で接触させる工程、及び
（ii）前記複合体へのＧＴＰの結合を分析する工程
を含む、前記被検物質の受容体に対する結合及び／又は作用を分析する方法；
［２３］（ｉ）プレートに担持された［７］〜［９］のいずれか１つに記載の複合体と、ペプチド呈示ファージとを、標識化ＧＴＰの存在下で接触させる工程、及び
（ii）前記複合体へのＧＴＰの結合を分析する工程
を含む、前記ペプチド呈示ファージの受容体に対する結合及び／又は作用を分析する方法；
［２４］（１）（１ａ）リガンドに特異的に結合可能なタンパク質、リガンド結合部位を含む前記タンパク質の断片、及び前記タンパク質若しくは前記断片を含むポリペプチド含有物質からなる群から選んだリガンド結合タンパク質又はその誘導体、（１ｂ）前記リガンド結合タンパク質又はその誘導体のアミノ酸配列をコードする塩基配列を含むポリヌクレオチド、あるいは、（１ｃ）前記ポリヌクレオチドを含むベクターと、
（２）リガンド結合部位以外の部位で前記リガンド結合タンパク質又はその誘導体に特異的に結合可能なパートナー物質と
を含むことを特徴とする、被検物質の前記リガンド結合タンパク質に対する結合及び／又は作用の分析用キット；
［２５］［１］〜［１４］のいずれか１つに記載の複合体を含むことを特徴とする、被検物質のリガンド結合タンパク質に対する結合及び／又は作用の分析用キット
に関する。
【発明の効果】
【００１６】
本発明の複合体又はスクリーニング方法によれば、細胞そのものをスクリーニング系として用いることに起因する煩雑性及び低い再現性を回避することができ、しかも、他のリガンド結合タンパク質の影響を受けずに、標的リガンド結合タンパク質のみをターゲットとすることができ、高いＳ／Ｎ比（例えば、被検物質による刺激の前後で検出されるシグナルの比）でスクリーニングを実施することができる。
【００１７】
また、リガンド結合タンパク質としてＧＰＣＲを用いる本発明の好適態様によれば、ＧＰＣＲ又はその断片（特にＧＰＣＲ）をＧタンパク質若しくはそのαサブユニット又はその断片（特にＧタンパク質若しくはそのαサブユニット）と融合した形で発現させることにより、スクリーニングによって得られたリガンド又はアゴニスト・アンタゴニストの活性測定にも使用することが可能である。
更に、本発明の複合体が担体を含み、しかも、ＧＰＣＲ又はその断片とＧタンパク質若しくはそのαサブユニット又はその断片との融合ポリペプチドとして、ＧＰＣＲ又はその断片（特にＧＰＣＲ）のＣ末端と、Ｇタンパク質若しくはそのαサブユニット又はその断片（特にＧタンパク質若しくはそのαサブユニット）のＮ末端とを連結した融合ポリペプチドを用いた場合、リガンド結合部位を、担体から離れた位置に配置することができ、被検物質とリガンド結合部位との接触機会を増やすことができる。例えば、担体が粒子である場合には、リガンド結合部位は粒子の外側方向に向かって配置される。
【００１８】
また、本発明の複合体は、本発明の複合体と被検物質との結合を利用してスクリーニングを行うことができるため、本発明の複合体に結合する被検物質と結合しない被検物質とを、本発明の複合体を担持させる担体を利用して分離することができるため、複数の異なる被検物質の混合物をスクリーニングに直接使用することができる。例えば、被検物質がペプチド呈示ファージのファージライブラリーである場合、１つのリガンド結合タンパク質に対してファージライブラリーを接触させることにより、リガンド結合タンパク質に結合するペプチドのスクリーニングが可能である。従って、本発明の複合体を用いたスクリーニング方法は、従来法で必要であった被検物質毎の膨大な数のスクリーニングを実施する必要がなく効率的なスクリーニングが可能である。
【００１９】
更に、本発明の複合体は、上述のとおり、標的リガンド結合タンパク質に対して、結合する被検物質と結合しない被検物質とを担体等を利用して分離可能であることから、目的物質の精製にも使用することが可能である。
【発明を実施するための最良の形態】
【００２０】
［１］本発明の複合体及びキット
本発明の複合体は、
（１）（ｉ）リガンドに特異的に結合可能なタンパク質、（ii）リガンド結合部位を含む前記タンパク質の断片、及び（iii）前記タンパク質若しくは前記断片を含むポリペプチド含有物質からなる群から選んだ、リガンド結合タンパク質又はその誘導体と、
（２）前記リガンド結合タンパク質又はその誘導体に特異的に結合可能なパートナー物質と
を含む複合体である。
【００２１】
本発明の複合体を形成する第１の成分である「リガンド結合タンパク質又はその誘導体」は、
（ｉ）リガンド結合タンパク質、
（ii）リガンド結合部位を含む前記リガンド結合タンパク質の断片、及び
（iii）前記リガンド結合タンパク質（ｉ）又は前記断片（ii）を含むポリペプチド含有物質
からなる群から選択することができる。以下、本明細書では、特に断らない限り、用語「リガンド結合タンパク質の断片」とは、リガンド結合タンパク質の断片であって、且つリガンド結合部位を含む断片を意味する。
【００２２】
前記「リガンド結合タンパク質」とは、リガンドと結合して生体内で作用を示すタンパク質である限り、特に限定されるものではなく、例えば、受容体又は細胞接着分子を挙げることができる。
前記受容体としては、例えば、細胞表面に存在する受容体（膜貫通型受容体）又は細胞内に存在する受容体（例えば、核内受容体）を挙げることができる。また、前記受容体は、天然に存在する受容体［好ましくは哺乳動物（例えば、ヒト、マウス、ラット、イヌ、ネコ、サル、ブタ、ウシ、ヒツジ、ヤギ、ウマ、又はイルカ、特にはヒト）由来受容体］又はその改変受容体であってもよい。
【００２３】
膜貫通型受容体としては、例えば、イオンチャンネル連結型受容体、又は、イオンチャンネルと連結していない受容体を挙げることができる他、例えば、キナーゼタイプ受容体又は非キナーゼタイプ受容体を挙げることができる。
【００２４】
イオンチャンネル連結型受容体は、細胞膜を貫通している小孔状の受容体であり、シグナルであるリガンド分子の結合により、小孔が開閉して細胞内部と細胞外部のＮａ＋、Ｋ＋、又はＣａ２＋などのイオン輸送を行う。イオンチャンネル連結型受容体としては、例えば、アセチルコリン、グルタミン酸、セロトニン、ＧＡＢＡａ、又はグリシンをリガンドとする各受容体を挙げることができる。例えば、アセチルコリン、グルタミン酸、又はセロトニンをリガンドとするイオンチャンネル型受容体はＮａ＋を、ＧＡＢＡａやグリシンをリガンドとするイオンチャンネル型受容体はＣｌ−の輸送を行う。
【００２５】
キナーゼタイプ受容体は、膜一回貫通型の構造を有し、細胞膜内にキナーゼが結合している受容体である。キナーゼタイプ受容体としては、例えば、増殖因子型受容体ファミリー又はＴＧＦ（transforming growth factor）−β受容体ファミリーを挙げることができる。
【００２６】
増殖因子型受容体ファミリーは、細胞膜内側にチロシンキナーゼを保有しており、リガンドが結合すると細胞膜内ドメインのチロシンがリン酸化されることで活性化する受容体である。増殖因子型受容体ファミリーとしては、例えば、インシュリン受容体、Ｍ−ＣＳＦ（macrophage colony stimulating factor）受容体、ＥＧＦ（epidermal growth factor）受容体、ＰＤＧＦ（platelet derived growth factor）受容体、ＦＧＦ（fibroblast growth factor）受容体、ＩＧＦ（insulin-like growth factor）受容体、又はＨＧＦ（hepatocyte growth factor）受容体などを挙げることができる。
【００２７】
ＴＧＦ−β受容体ファミリーは  細胞膜内部にセリンスレオニンキナーゼを保有しており、セリン又はスレオニンがリン酸化されることで活性化する受容体である。ＴＧＦ−β受容体ファミリーとしては、例えば、ＴＧＦ受容体、アクチビン（activin）受容体、又はＢＭＰ（bone morphogenic protein）受容体などを挙げることができる。
【００２８】
非キナーゼタイプの受容体としては、例えば、サイトカイン受容体（Ｉ型サイトカイン受容体）スーパーファミリー、ＩＦＮ（interferon）受容体（II型サイトカイン受容体）ファミリー、ＴＮＦ（tumor necrosis factor）受容体（III型サイトカイン受容体）ファミリー、免疫グロブリンスーパーファミリー、又はＧタンパク質共役型受容体ファミリーを挙げることができる。
【００２９】
サイトカイン受容体スーパーファミリーは、膜一回貫通型受容体であり、Ｎ末端側に４つのシステイン残基の繰り返し又はＷＳボックスと呼ばれる特徴的なアミノ酸配列を有し、細胞外には、ファイブロネクチン（ＦＮ）様構造の繰り返し配列を有する受容体である。サイトカイン受容体スーパーファミリーとしては、例えば、ＩＬ（interleukin）−２受容体、ＩＬ−３受容体、ＩＬ−４受容体、ＩＬ−５受容体、ＩＬ−６受容体、ＩＬ−７受容体、ＩＬ−９受容体、ＩＬ−１１受容体、ＩＬ−１２受容体、ＩＬ−１３受容体、ＩＬ−１５受容体、ＧＭ−ＣＳＦ（granulocyte-macrophage colony stimulating factor）受容体、ＣＮＴＦ（ciliary neurotrophic factor）受容体、ＥＰＯ（erythropoietin）受容体、ＬＩＦ（Leukemia inhibitory factor）受容体、ＯＳＭ（oncostatin M）受容体、又はＧ−ＣＳＦ（granulocyte-colony stimulating factor）受容体などを挙げることができる。多くの場合、２〜３個のサブユニットにより構成されているが、シグナル伝達に関与するサブユニットは、複数の受容体間で共有されている。
【００３０】
ＩＦＮ受容体ファミリーは、ＷＳボックスはもたないが、膜一回貫通型の構造やシステイン残基の繰り返しなど、サイトカイン受容体スーパーファミリーと構造上類似した受容体である。ＩＦＮ受容体ファミリーとしては、例えば、ＩＦＮα受容体、ＩＦＮβ受容体、ＩＦＮγ受容体、又はＩＬ−１０受容体などを挙げることができる。
【００３１】
ＴＮＦ受容体ファミリーは、その細胞外ドメインが、システイン残基の豊富なユニットにより構成された受容体である。このユニットには各ＴＮＦ受容体ファミリーの受容体間で相同性がある。ＴＮＦ受容体Ｉ及びＦａｓの細胞内ドメインにはデスドメイン（death domain）と呼ばれる配列が存在している。ＴＮＦ受容体ファミリーとしては、例えば、ＴＮＦ受容体、ＮＧＦ（nerve growth factor）受容体、Ｆａｓ、ＣＤ２７、ＣＤ３０、ＣＤ４０、ＨＶＥＭ（Herpes virus entry mediator）、ＬＴＢ（Lymphotoxinβ）受容体、ＯＸ４０、ＲＡＮＫ（Receptor activator of NF-κB）、又はＣＤ１３７などを挙げることができ、多くが細胞活性化や細胞死に関連している。
【００３２】
免疫グロブリンスーパーファミリーは、細胞外に免疫グロブリン様ドメインを３つ保有した構造を有する受容体である。免疫グロブリンスーパーファミリーとしては、例えば、ＩＬ−１受容体又はＩＬ−１８受容体などを挙げることができる。また、構造的に類似したＴｏｌｌ又はＴｏｌｌ様受容体などを挙げることができる。これらはＴＬＲ１〜ＴＬＲ１２などがあり、エンドトキシンが細胞に作用する時にその情報を伝達するＴＬＲ４もこのファミリーの受容体である。
【００３３】
Ｇタンパク質共役型受容体（ＧＰＣＲ）ファミリーは、Ｇタンパク質と共役して働き、細胞膜を７回貫通する構造を有する受容体である。ＧＰＣＲファミリーとしては、例えば、ロドプシン受容体（Ｇｔ）、カテコールアミン受容体［β１、β２、β３（以上、Ｇｓ）、α１（Ｇｑ）、α２（Ｇｓ、Ｇｉ、Ｇｚ、Ｇｑ）］、ドーパミン受容体［Ｄ１、Ｄ５（以上、Ｇｓ）、Ｄ２（Ｇｉ）］、ムスカリン受容体［ｍ１、ｍ３（以上、Ｇｑ）、ｍ２、ｍ４、ｍ５（以上、Ｇｉ、Ｇｏ］、アデノシン受容体［Ａ１、Ａ３（以上、Ｇｉ）、Ａ２（Ｇｓ）］、ＰＧＥ受容体［ＥＰ２、ＥＰ４（以上、Ｇｓ）、ＥＰ３（Ｇｉ）、ＥＰ１］、ロイコトリエン受容体［ＢＬＴ、Ｃｙｓ−ＬＴ１（以上、Ｇｉ、Ｇｑ）］、スフィンゴシン１−リン酸受容体［Ｓ１Ｐ１（Ｇｉ）、Ｓ１Ｐ２、Ｓ１Ｐ３（以上、Ｇｉ、Ｇｑ、Ｇ１３］、リゾホスファチジン酸受容体［ＬＰＡ１（Ｇｉ、Ｇ１２／１３）、ＬＰＡ２、ＬＰＡ３（以上、Ｇｓ、Ｇｑ）］、ノシセプチン受容体、ｈＧＰＣＲ４４（Ｇｉ）、ｈＧＰＣＲ４、ｈＧＰＣＲ１０、ｈＧＰＣＲ１７、ｈＧＰＣＲ１９、ｈＧＰＣＲ３９、又はｈＧＰＣＲ４８などを挙げることができる。なお、各受容体の後に続く括弧内の記載は、受容体サブタイプと、共役して働くＧタンパク質αサブユニットの種類を示す。
【００３４】
ＧＰＣＲのアミノ酸配列（全長配列及び部分配列の両方を含む）として、既に１０００を超える配列が決定されており、公知のデータベース、例えば、ＧＰＣＲＤＢ［Centre for Molecular and Biomolecular Informatics (CMBI), University of Nijmegen, The Netherlands; Horn, F. et al., “GPCRDB: an information system for G protein-coupled receptors”, Nucleic Acids Res., 26(1), 277-281, 1998］には、例えば、以下の表１に示すヒト由来ＧＰＣＲのアミノ酸配列が登録されている。なお、表１に示すリストにおいて、左から順に、「通し番号」、「ＧＰＣＲＤＢにおける識別名」、「ＧＰＣＲＤＢにおける受入番号」、「遺伝子名」、及び「ファミリーネーム等の説明」である。例えば、通し番号１のＧＰＣＲでは、「5H1A_HUMAN」がＧＰＣＲＤＢの識別名であり、括弧内の「P08908」がＧＰＣＲＤＢの受入番号であり、「HTR1A」が遺伝子名であり、「セロトニン脊椎動物タイプ1(Serotonin Vertebrate type 1)」がファミリーネーム等の説明である。なお、遺伝子名の欄に示す「none」は、遺伝子名がないことを意味しており、また、遺伝子名が複数存在するものについては、「OR」で併記した。
【００３５】
《表１》
1.  5H1A_HUMAN (P08908)  HTR1A  セロトニン脊椎動物タイプ1(Serotonin Vertebrate type 1)
2.  5H1B_HUMAN (P28222)  HTR1B OR HTR1DB  セロトニン脊椎動物タイプ1
3.  5H1D_HUMAN (P28221)  HTR1D OR HTR1DA  セロトニン脊椎動物タイプ1
4.  5H1E_HUMAN (P28566)  HTR1E  セロトニン脊椎動物タイプ1
5.  5H1F_HUMAN (P30939)  HTR1F OR HTR1EL  セロトニン脊椎動物タイプ1
6.  5H2A_HUMAN (P28223)  HTR2A OR HTR2  セロトニン脊椎動物タイプ2
7.  5H2B_HUMAN (P41595)  HTR2B  セロトニン脊椎動物タイプ2
8.  5H2C_HUMAN (P28335)  HTR2C OR HTR1C  セロトニン脊椎動物タイプ2
9.  5H4_HUMAN  (Q13639)  HTR4  セロトニン脊椎動物タイプ4
10.  5H5A_HUMAN (P47898)  HTR5A  セロトニン脊椎動物タイプ5
11.  5H6_HUMAN  (P50406)  HTR6  セロトニン脊椎動物タイプ6
12.  5H7_HUMAN  (P34969)  HTR7  セロトニン脊椎動物タイプ7
13.  A1AA_HUMAN (P35348)  ADRA1A OR ADRA1C  αアドレナリン受容体タイプ1(Alpha Adrenoceptors type 1)
14.  A1AB_HUMAN (P35368)  ADRA1B  αアドレナリン受容体タイプ1
15.  A1AD_HUMAN (P25100)  ADRA1D OR ADRA1A  αアドレナリン受容体タイプ1
16.  A2AA_HUMAN (P08913)  ADRA2A OR ADRA2R OR ADRAR  αアドレナリン受容体タイプ2
17.  A2AB_HUMAN (P18089)  ADRA2B  αアドレナリン受容体タイプ2
18.  A2AC_HUMAN (P18825)  ADRA2C  αアドレナリン受容体タイプ2
19.  AA1R_HUMAN (P30542)  ADORA1  アデノシンタイプ1(Adenosine type 1)
20.  AA2A_HUMAN (P29274)  ADORA2A OR ADORA2  アデノシンタイプ2
21.  AA2B_HUMAN (P29275)  ADORA2B  アデノシンタイプ2
22.  AA3R_HUMAN (P33765)  ADORA3  アデノシンタイプ3
23.  ACM1_HUMAN (P11229)  CHRM1  アセチルコリン脊椎動物タイプ1(Acetylcholine Vertebrate type 1)
24.  ACM2_HUMAN (P08172)  CHRM2  アセチルコリン脊椎動物タイプ2
25.  ACM3_HUMAN (P20309)  CHRM3  アセチルコリン脊椎動物タイプ3
26.  ACM4_HUMAN (P08173)  CHRM4  アセチルコリン脊椎動物タイプ4
27.  ACM5_HUMAN (P08912)  CHRM5  アセチルコリン脊椎動物タイプ5
28.  ACTR_HUMAN (Q01718)  MC2R OR ACTHR  副腎皮質刺激ホルモン(Adrenocorticotropic hormone)
29.  ADMR_HUMAN (O15218)  ADMR  アドレノメジュリン(Adrenomedullin) (G10D)
30.  AG22_HUMAN (P50052)  AGTR2  アンジオテンシンタイプ2(Angiotensin type 2)
31.  AG2R_HUMAN (P30556)  AGTR1 OR AGTR1A OR AT2R1  アンジオテンシンタイプ1
32.  AG2S_HUMAN (Q13725)  AGTR1B OR AT2R1B  アンジオテンシンタイプ1
33.  APJ_HUMAN  (P35414)  AGTRL1 OR APJ  APJ様(APJ like)
34.  B1AR_HUMAN (P08588)  ADRB1 OR ADRB1R OR B1AR  βアドレナリン受容体タイプ1
35.  B2AR_HUMAN (P07550)  ADRB2 OR ADRB2R OR B2AR  βアドレナリン受容体タイプ2
36.  B3AR_HUMAN (P13945)  ADRB3 OR ADRB3R OR B3AR  βアドレナリン受容体タイプ3
37.  BAI1_HUMAN (O14514)  BAI1  脳特異的血管新生インヒビター(Brain-specific angiogenesis inhibitor) (BAI)
38.  BAI2_HUMAN (O60241)  BAI2  脳特異的血管新生インヒビター(BAI)
39.  BAI3_HUMAN (O60242)  BAI3 OR KIAA0550  脳特異的血管新生インヒビター(BAI)
40.  BRB1_HUMAN (P46663)  BDKRB1 OR BRADYB1  ブラジキニン(Bradykinin)
41.  BRB2_HUMAN (P30411)  BDKRB2 OR BKR2  ブラジキニン
42.  BRS3_HUMAN (P32247)  BRS3  ボンベシン(Bombesin)
43.  C3AR_HUMAN (Q16581)  C3AR1 OR C3R1 OR AZ3B OR HNFAG09  C5a アナフィラトキシン(anaphylatoxin)
44.  C3X1_HUMAN (P49238)  CX3CR1 OR GPR13  C-X3-C ケモカイン(Chemokine)
45.  C5AR_HUMAN (P21730)  C5R1 OR C5AR  C5a アナフィラトキシ
46.  C5L2_HUMAN (Q9P296)  GPR77 OR C5L2  C5a アナフィラトキシ
47.  CALR_HUMAN (P30988)  CALCR  カルシトニン(Calcitonin)
48.  CASR_HUMAN (P41180)  CASR OR GPRC2A OR PCAR1  細胞外カルシウムセンシング(Extracellular calcium-sensing)
49.  CB1R_HUMAN (P21554)  CNR1 OR CNR  カンナビノイド(Cannabinoid)
50.  CB2R_HUMAN (P34972)  CNR2  カンナビノイド
51.  CCKR_HUMAN (P32238)  CCKAR OR CCKRA  CCK タイプA
52.  CCR3_HUMAN (P49682)  CXCR3 OR GPR9  C-X-C ケモカインタイプ3
53.  CCR4_HUMAN (P30991)  CXCR4  C-X-C ケモカインタイプ4, 及びチンパンジー［Pan troglodytes (Chimpanzee)］
54.  CCR5_HUMAN (P32302)  BLR1 OR CXCR5  C-X-C ケモカインタイプ5
55.  CCR6_HUMAN (O00574)  CXCR6 OR BONZO OR STRL33 OR TYMSTR  BONZO 受容体類(BONZO receptors) (CXC6R)
56.  CD97_HUMAN (P48960)  CD97  EMR1
57.  CGRR_HUMAN (Q16602)  CALCRL OR CGRPR  カルシトニン
58.  CKD6_HUMAN (O00590)  CCBP2 OR CMBRK9 OR CCR10  C-C ケモカインタイプX
59.  CKR1_HUMAN (P32246)  CCR1 OR CMKBR1 OR CMKR1  C-C ケモカインタイプ1
60.  CKR2_HUMAN (P41597)  CCR2 OR CMKBR2  C-C ケモカインタイプ2
61.  CKR3_HUMAN (P51677)  CCR3 OR CMKBR3  C-C ケモカインタイプ3
62.  CKR4_HUMAN (P51679)  CCR4 OR CMKBR4  C-C ケモカインタイプ4
63.  CKR5_HUMAN (P51681)  CCR5 OR CMKBR5  C-C ケモカインタイプ5
64.  CKR6_HUMAN (P51684)  CCR6 OR CMKBR6 OR STRL22 OR GPR29 OR CKRL3  C-C ケモカインタイプ6
65.  CKR7_HUMAN (P32248)  CCR7 OR CMKBR7 OR EBI1 OR EVI1  C-C ケモカインタイプ7
66.  CKR8_HUMAN (P51685)  CCR8 OR CMKBR8 OR CKRL1  C-C ケモカインタイプ8
67.  CKR9_HUMAN (P51686)  CCR9 OR CMKBR9  C-C ケモカインタイプ9
68.  CKRA_HUMAN (P46092)  GPR2 OR CCR10  C-C ケモカインタイプ10
69.  CKRB_HUMAN (Q9NPB9)  CCRL1 OR CCR11 OR CCBP2 OR VSHK1  C-C ケモカインタイプ11
70.  CLR1_HUMAN (Q9NYQ6)  CELSR1 OR CDHF9 OR FMI2  カドヘリン(Cadherin) EGF LAG (CELSR)
71.  CLR2_HUMAN (Q9HCU4)  CELSR2 OR CDHF10 OR EGFL2 OR MEGF3 OR KIAA0279  カドヘリン EGF LAG (CELSR)
72.  CLR3_HUMAN (Q9NYQ7)  CELSR3 OR CDHF11 OR FMI1 OR EGFL1 OR MEGF2  カドヘリン EGF LAG (CELSR)
73.  CLT1_HUMAN (Q9Y271)  CYSLTR1 OR CYSLT1  システイニルロイコトリエン(Cysteinyl leukotriene)
74.  CLT2_HUMAN (Q9NS75)  CYSLTR2 OR CYSLT2 OR CYSLT2R  システイニルロイコトリエン
75.  CML1_HUMAN (Q99788)  CMKLR1 OR DEZ OR CHEMR23  ケモカイン受容体様1(Chemokine receptor-like 1)
76.  CML2_HUMAN (Q99527)  GPR30 OR CMKRL2 OR DRY12 OR CEPR  ケモカイン受容体様2
77.  CRF1_HUMAN (P34998)  CRHR1 OR CRHR OR CRFR  コルチコトロピン放出因子(Corticotropin releasing factor)
78.  CRF2_HUMAN (Q13324)  CRHR2 OR CRF2R OR CRH2R  コルチコトロピン放出因子
79.  CRF_HUMAN  (P06850)  CRH  フラグメント(fragment)
80.  CXC1_HUMAN (P46094)  XCR1 OR CCXCR1 OR GPR5  XC ケモカイン
81.  D2DR_HUMAN (P14416)  DRD2  ドーパミン脊椎動物タイプ2(Dopamine Vertebrate type 2)
82.  D3DR_HUMAN (P35462)  DRD3  ドーパミン脊椎動物タイプ3
83.  D4DR_HUMAN (P21917)  DRD4  ドーパミン脊椎動物タイプ4
84.  DADR_HUMAN (P21728)  DRD1  ドーパミン脊椎動物タイプ1
85.  DBDR_HUMAN (P21918)  DRD5 OR DRD1B  ドーパミン脊椎動物タイプ1
86.  DUFF_HUMAN (Q16570)  FY OR DARC OR GPD  推定／未分類クラスA GPCRs (Putative / unclassified Class A GPCRs)
87.  EBI2_HUMAN (P32249)  EBI2  EBV誘導(EBV-induced)
88.  EDG1_HUMAN (P21453)  EDG1  リゾスフィンゴ脂質(Lysosphingolipid) & LPA (EDG)
89.  EDG2_HUMAN (Q92633)  EDG2  リゾスフィンゴ脂質 & LPA (EDG)
90.  EDG3_HUMAN (Q99500)  EDG3  リゾスフィンゴ脂質 & LPA (EDG)
91.  EDG4_HUMAN (Q9HBW0)  EDG4  リゾスフィンゴ脂質 & LPA (EDG)
92.  EDG5_HUMAN (O95136)  EDG5  リゾスフィンゴ脂質 & LPA (EDG)
93.  EDG7_HUMAN (Q9UBY5)  EDG7  リゾスフィンゴ脂質 & LPA (EDG)
94.  EMR1_HUMAN (Q14246)  EMR1  EMR1
95.  ET1R_HUMAN (P25101)  EDNRA OR ETRA OR ETA  エンドセリン(Endothelin)
96.  ETB2_HUMAN (O60883)  ETBRLP2  GPR37 / エンドセリンB様(endothelin B-like)
97.  ETBR_HUMAN (P24530)  EDNRB OR ETRB  エンドセリン
98.  FK79_HUMAN (Q9BXC1)  FKSG79  プリン受容体他(Purinoceptor Other)
99.  FML2_HUMAN (P25089)  FPRL2 OR FPRH1  Fmet-leu-phe
100.  FMLR_HUMAN (P21462)  FPR1  Fmet-leu-phe
101.  FSHR_HUMAN (P23945)  FSHR  卵胞刺激ホルモン(Follicle stimulating hormone)
102.  FZ10_HUMAN (Q9ULW2)  FZD10  フリズルドグループA(frizzled Group A) (Fz 1&2&4&5&7-9)
103.  FZD1_HUMAN (Q9UP38)  FZD1  フリズルドグループA (Fz 1&2&4&5&7-9)
104.  FZD2_HUMAN (Q14332)  FZD2  フリズルドグループA (Fz 1&2&4&5&7-9)
105.  FZD3_HUMAN (Q9NPG1)  FZD3  フリズルドグループB (Fz 3 & 6)
106.  FZD4_HUMAN (Q9ULV1)  FZD4  フリズルドグループA (Fz 1&2&4&5&7-9)
107.  FZD5_HUMAN (Q13467)  FZD5 OR HFZ5  フリズルドグループA (Fz 1&2&4&5&7-9)
108.  FZD6_HUMAN (O60353)  FZD6  フリズルドグループB (Fz 3 & 6)
109.  FZD7_HUMAN (O75084)  FZD7  フリズルドグループA (Fz 1&2&4&5&7-9)
110.  FZD8_HUMAN (Q9H461)  FZD8  フリズルドグループA (Fz 1&2&4&5&7-9)
111.  FZD9_HUMAN (O00144)  FZD9 OR FZD3  フリズルドグループA (Fz 1&2&4&5&7-9)
112.  G101_HUMAN (Q96P66)  GPR101  推定／未分類クラスA GPCRs
113.  G103_HUMAN (Q96P65)  GPR103  推定／未分類クラスA GPCRs
114.  G2A_HUMAN  (Q9UNW8)  G2A  推定／未分類クラスA GPCRs
115.  GALR_HUMAN (P47211)  GALR1 OR GALNR1 OR GALNR  ガラニン(Galanin)
116.  GALS_HUMAN (O43603)  GALR2 OR GALNR2  ガラニン
117.  GALT_HUMAN (O60755)  GALR3 OR GALNR3  ガラニン
118.  GASR_HUMAN (P32239)  CCKBR OR CCKRB  CCK タイプ B
119.  GBR1_HUMAN (Q9UBS5)  GABBR1  GABA-B サブタイプ 1
120.  GBR2_HUMAN (O75899)  GPR51 OR GABBR2  GABA-B サブタイプ 2
121.  GHSR_HUMAN (Q92847)  GHSR  成長ホルモン分泌促進剤(Growth hormone secretagogue)
122.  GIPR_HUMAN (P48546)  GIPR  胃酸分泌抑制ペプチド(Gastric inhibitory peptide)
123.  GLP1_HUMAN (P43220)  GLP1R  グルカゴン(Glucagon)
124.  GLP2_HUMAN (O95838)  GLP2R  グルカゴン
125.  GLR_HUMAN  (P47871)  GCGR  グルカゴン
126.  GP10_HUMAN (P49683)  GPR10 OR GR3  GPR
127.  GP12_HUMAN (P47775)  GPR12  GPR
128.  GP15_HUMAN (P49685)  GPR15  GPR
129.  GP17_HUMAN (Q13304)  GPR17  GPR
130.  GP18_HUMAN (Q14330)  GPR18 OR GPCRW  推定／未分類クラスA GPCRs
131.  GP19_HUMAN (Q15760)  GPR19  GPR
132.  GP20_HUMAN (Q99678)  GPR20  GPR
133.  GP21_HUMAN (Q99679)  GPR21  GPR
134.  GP22_HUMAN (Q99680)  GPR22  GPR
135.  GP25_HUMAN (O00155)  GPR25  GPR
136.  GP26_HUMAN (Q8NDV2)  GPR26  推定／未分類クラスA GPCRs
137.  GP27_HUMAN (Q9NS67)  GPR27 OR SREB1  SREB
138.  GP31_HUMAN (O00270)  GPR31  GPR
139.  GP32_HUMAN (O75388)  GPR32  ケモカイン受容体様1
140.  GP34_HUMAN (Q9UPC5)  GPR34  推定／未分類 A GPCRs
141.  GP35_HUMAN (Q9HC97)  GPR35  プリン受容体他
142.  GP37_HUMAN (O15354)  GPR37  GPR37 / エンドセリンB様
143.  GP39_HUMAN (O43194)  GPR39  推定／未分類クラスA GPCRs
144.  GP40_HUMAN (O14842)  GPR40  GP40様(GP40 like)
145.  GP41_HUMAN (O14843)  GPR41  GP40様
146.  GP42_HUMAN (O15529)  GPR42  GP40様
147.  GP43_HUMAN (O15552)  GPR43  GP40様
148.  GP44_HUMAN (Q9Y5Y4)  GPR44 OR CRTH2 OR DL1R  ケモカイン受容体様1
149.  GP45_HUMAN (Q9Y5Y3)  GPR45  GPR45様
150.  GP52_HUMAN (Q9Y2T5)  GPR52  GPR
151.  GP57_HUMAN (Q9P1P4)  GPR57  トレースアミン(Trace amine)
152.  GP58_HUMAN (Q9P1P5)  GPR58  トレースアミン
153.  GP61_HUMAN (Q9BZJ8)  GPR61 OR BALGR  推定／未分類クラスA GPCRs
154.  GP62_HUMAN (Q9BZJ7)  GPR62  推定／未分類クラスA GPCRs
155.  GP63_HUMAN (Q9BZJ6)  GPR63 OR PSP24B  GPR45様
156.  GP78_HUMAN (Q96P69)  GPR78  推定／未分類クラスA GPCRs
157.  GP80_HUMAN (Q96P68)  GPR80 OR GPR99  推定／未分類クラスA GPCRs
158.  GP81_HUMAN (Q9BXC0)  GPR81 OR FKSG80  推定／未分類クラスA GPCRs
159.  GP82_HUMAN (Q96P67)  GPR82  推定／未分類クラスA GPCRs
160.  GP83_HUMAN (Q9NYM4)  GPR83 OR GPR72 OR KIAA1540  ニューロペプチドY他(Neuropeptide Y other)
161.  GP86_HUMAN (Q9BPV8)  GPR86 OR GPR94 OR FKSG77  血小板 ADP & KI01受容体類(Platelet ADP & KI01 receptors)
162.  GP87_HUMAN (Q9BY21)  GPR87 OR GPR95 OR FKSG78  血小板 ADP & KI01受容体類
163.  GP92_HUMAN (Q9H1C0)  GPR92 OR GPR93  プリン受容体他
164.  GPR1_HUMAN (P46091)  GPR1  GPR
165.  GPR3_HUMAN (P46089)  GPR3 OR ACCA  GPR
166.  GPR4_HUMAN (P46093)  GPR4 OR GPR19  GPR
167.  GPR6_HUMAN (P46095)  GPR6  GPR
168.  GPR7_HUMAN (P48145)  GPR7  GPR
169.  GPR8_HUMAN (P48146)  GPR8  GPR
170.  GRFR_HUMAN (Q02643)  GHRHR  成長ホルモン放出ホルモン(Growth hormone-releasing hormone)
171.  GRHR_HUMAN (P30968)  RHR  ゴナドトロピン放出ホルモン(Gonadotropin-releasing hormone)タイプI
172.  GRPR_HUMAN (P30550)  GRPR  ボンベシン
173.  GRR2_HUMAN (Q96P88)  RHR2  ゴナドトロピン放出ホルモンタイプ II 様
174.  H963_HUMAN (O14626)  H963  推定／未分類クラスA GPCRs
175.  HH1R_HUMAN (P35367)  HRH1  ヒスタミン(Histamine) タイプ 1
176.  HH2R_HUMAN (P25021)  HRH2  ヒスタミンタイプ2
177.  HH3R_HUMAN (Q9Y5N1)  HRH3 OR GPCR97  ヒスタミンタイプ3
178.  HH4R_HUMAN (Q9H3N8)  HRH4  ヒスタミンタイプ4
179.  HM74_HUMAN (P49019)  HM74  推定／未分類クラスA GPCRs
180.  IL8A_HUMAN (P25024)  IL8RA OR CXCR1  インターロイキン(Interleukin)-8 タイプ A
181.  IL8B_HUMAN (P25025)  IL8RB OR CXCR2  インターロイキン-8 タイプ B
182.  L4R1_HUMAN (Q15722)  LTB4R OR P2RY7 OR GPR16 OR CMKRL1 OR BLT OR BLT1  ロイコトリエンB4受容体(Leukotriene B4 receptor) BLT1
183.  L4R2_HUMAN (Q9NPC1)  LTB4R2 OR BLT2R OR BLTR2  ロイコトリエンB4受容体 BLT2
184.  LGR4_HUMAN (Q9BXB1)  GPR48 OR LGR4  LGR 様 [ホルモン受容体類(hormone receptors)]
185.  LGR5_HUMAN (O75473)  GPR49 OR LGR5 OR GPR67  LGR 様 (ホルモン受容体類)
186.  LGR6_HUMAN (Q9HBX8)  LGR6  LGR 様 (ホルモン受容体類)
187.  LGR7_HUMAN (Q9HBX9)  LGR7  LGR 様 (ホルモン受容体類)
188.  LGR8_HUMAN (Q8WXD0)  LGR8 OR GREAT  LGR 様 (ホルモン受容体類)
189.  LSHR_HUMAN (P22888)  LHCGR OR LHRHR OR LCGR  ルトロピン絨毛性ゴナドトロピックホルモン(Lutropin-choriogonadotropic hormone)
190.  MAS_HUMAN  (P04201)  MAS1 OR MAS  Mas プロトオンコジーン(proto-oncogene)
191.  MC3R_HUMAN (P41968)  MC3R  メラノコルチンホルモン(Melanocortin hormone)
192.  MC4R_HUMAN (P32245)  MC4R  メラノコルチンホルモン
193.  MC5R_HUMAN (P33032)  MC5R  メラノコルチンホルモン
194.  MCR1_HUMAN (Q99705)  GPR24 OR MCHR1 OR SLC1  メラニン凝集ホルモン受容体類(Melanin-concentrating hormone receptors)
195.  MCR2_HUMAN (Q969V1)  GPR145 OR MCHR2 OR SLT  メラニン凝集ホルモン受容体類
196.  MGR1_HUMAN (Q13255)  GRM1 OR GPRC1A OR MGLUR1  メタボトロピックグルタミン酸グループI(Metabotropic glutamate group I)
197.  MGR2_HUMAN (Q14416)  GRM2 OR GPRC1B OR MGLUR2  メタボトロピックグルタミン酸グループII
198.  MGR3_HUMAN (Q14832)  GRM3 OR GPRC1C OR MGLUR3  メタボトロピックグルタミン酸グループII
199.  MGR4_HUMAN (Q14833)  GRM4 OR GPRC1D OR MGLUR4  メタボトロピックグルタミン酸グループIII
200.  MGR5_HUMAN (P41594)  GRM5 OR GPRC1E OR MGLUR5  メタボトロピックグルタミン酸グループI
201.  MGR6_HUMAN (O15303)  GRM6 OR GPRC1F OR MGLUR6  メタボトロピックグルタミン酸グループIII
202.  MGR7_HUMAN (Q14831)  GRM7 OR GPRC1G OR MGLUR7  メタボトロピックグルタミン酸グループIII
203.  MGR8_HUMAN (O00222)  GRM8 OR GPRC1H OR MGLUR8  メタボトロピックグルタミン酸グループIII
204.  ML1A_HUMAN (P48039)  MTNR1A  メラトニン(Melatonin)
205.  ML1B_HUMAN (P49286)  MTNR1B  メラトニン
206.  ML1X_HUMAN (Q13585)  GPR50  メラトニン
207.  MRGF_HUMAN (Q96AM1)  MRGF  推定／未分類クラスA GPCRs
208.  MRG_HUMAN  (P35410)  MAS1L OR MRG  Mas-関連受容体類(Mas-related receptors) (MRGs)
209.  MSHR_HUMAN (Q01726)  MC1R OR MSHR  メラニン細胞刺激ホルモン(Melanocyte stimulating hormone)
210.  MTLR_HUMAN (O43193)  GPR38 OR MTLR1 OR MTLR  成長ホルモン分泌促進剤様(Growth hormone secretagogue like)
211.  NFF1_HUMAN (Q9GZQ6)  NPFF1  ニューロペプチドFF
212.  NFF2_HUMAN (Q9Y5X5)  GPR74 OR NPGPR OR NPFF2  ニューロペプチドFF
213.  NK1R_HUMAN (P25103)  TACR1 OR TAC1R OR NK1R  サブスタンスP (NK1)
214.  NK2R_HUMAN (P21452)  TACR2 OR TAC2R OR NK2R  サブスタンスK (NK2)
215.  NK3R_HUMAN (P29371)  TACR3 OR TAC3R OR NK3R  ニューロメディンK(Neuromedin K) (NK3)
216.  NMBR_HUMAN (P28336)  NMBR  ボンベシン
217.  NTR1_HUMAN (P30989)  NTSR1 OR NTRR  ニューロテンシン(Neurotensin)
218.  NTR2_HUMAN (O95665)  NTSR2  ニューロテンシン
219.  NY1R_HUMAN (P25929)  NPY1R OR NPYR OR NPYY1  ニューロペプチドYタイプ1
220.  NY2R_HUMAN (P49146)  NPY2R  ニューロペプチドYタイプ2
221.  NY4R_HUMAN (P50391)  PPYR1 OR NPY4R  ニューロペプチドYタイプ4
222.  NY5R_HUMAN (Q15761)  NPY5R OR NPYR5  ニューロペプチドYタイプ5
223.  O00325     (O00325)  none  プロスタグランジンE2 サブタイプ EP3
224.  O00326     (O00326)  none  プロスタグランジンE2 サブタイプ EP3
225.  O00406     (O00406)  HE6  推定／未分類クラスB GPCRs
226.  O00421     (O00421)  CCR6 OR CKRX  C-C ケモカイン他(Chemokine other)
227.  O00718     (O00718)  none  EMR1
228.  O14694     (O14694)  CCR5  フラグメント
229.  O14804     (O14804)  none  トレースアミン
230.  O15538     (P51681)  CCR5  フラグメント
231.  O1A1_HUMAN (Q9P1Q5)  OR1A1  嗅覚(Olfactory) II fam 1 / MOR125-138,156
232.  O1A2_HUMAN (Q9Y585)  OR1A2  嗅覚II fam 1 / MOR125-138,156
233.  O1B1_HUMAN (Q8NGR6)  OR1B1  嗅覚II fam 1 / MOR125-138,156
234.  O1C1_HUMAN (Q15619)  OR1C1  嗅覚II fam 1 / MOR125-138,156
235.  O1D2_HUMAN (P34982)  OR1D2 OR OLFR1  嗅覚II fam 1 / MOR125-138,156
236.  O1D4_HUMAN (P47884)  OR1D4  嗅覚II fam 1 / MOR125-138,156
237.  O1D5_HUMAN (P58170)  OR1D5  嗅覚II fam 1 / MOR125-138,156
238.  O1E1_HUMAN (P30953)  OR1E1  嗅覚II fam 1 / MOR125-138,156
239.  O1E2_HUMAN (P47887)  OR1E2  嗅覚II fam 1 / MOR125-138,156
240.  O1E5_HUMAN (Q9UM60)  OR1E5  フラグメント
241.  O1E6_HUMAN (O43884)  OR1E6  フラグメント
242.  O1F1_HUMAN (O43749)  OR1F1 OR OLFMF  嗅覚II fam 1 / MOR125-138,156
243.  O1F2_HUMAN (Q96R84)  OR1F2  嗅覚II fam 1 / MOR125-138,156
244.  O1FA_HUMAN (O43882)  OR1F10  フラグメント
245.  O1FC_HUMAN (Q8NHA8)  OR1F12  嗅覚II fam 1 / MOR125-138,156
246.  O1G1_HUMAN (P47890)  OR1G1  嗅覚II fam 1 / MOR125-138,156
247.  O1I1_HUMAN (O60431)  OR1I1  嗅覚II fam 1 / MOR125-138,156
248.  O1J1_HUMAN (Q8NGS3)  OR1J1  嗅覚II fam 1 / MOR125-138,156
249.  O1J2_HUMAN (Q8NGS2)  OR1J2  嗅覚II fam 1 / MOR125-138,156
250.  O1J4_HUMAN (Q8NGS1)  OR1J4  嗅覚II fam 1 / MOR125-138,156
251.  O1J5_HUMAN (Q9NZP1)  OR1J5  フラグメント
252.  O1K1_HUMAN (Q8NGR3)  OR1K1  嗅覚II fam 1 / MOR125-138,156
253.  O1L1_HUMAN (Q8NH94)  OR1L1 OR OR1L2  嗅覚II fam 1 / MOR125-138,156
254.  O1L3_HUMAN (Q8NH93)  OR1L3  嗅覚II fam 1 / MOR125-138,156
255.  O1L4_HUMAN (Q8NGR5)  OR1L4 OR OR1L5  嗅覚II fam 1 / MOR125-138,156
256.  O1L6_HUMAN (Q8NGR2)  OR1L6 OR OR1L7  嗅覚II fam 1 / MOR125-138,156
257.  O1L8_HUMAN (Q8NGR8)  OR1L8  嗅覚II fam 1 / MOR125-138,156
258.  O1M1_HUMAN (Q8NGA1)  OR1M1  嗅覚II fam 1 / MOR125-138,156
259.  O1N1_HUMAN (O43870)  OR1N1  フラグメント
260.  O1N2_HUMAN (Q8NGR9)  OR1N2  嗅覚II fam 1 / MOR125-138,156
261.  O1N3_HUMAN (Q8NGS0)  OR1N3  嗅覚II fam 1 / MOR125-138,156
262.  O1Q1_HUMAN (Q15612)  OR1Q1 OR OR1Q2 OR OR1Q3  嗅覚II fam 1 / MOR125-138,156  
263.  O1S1_HUMAN (Q8NH92)  OR1S1  嗅覚II fam 1 / MOR125-138,156
264.  O1S2_HUMAN (Q8NGQ3)  OR1S2  嗅覚II fam 1 / MOR125-138,156
265.  O2A1_HUMAN (Q8NGT9)  OR2A1  嗅覚II fam 2 / MOR256-262,270-285
266.  O2A4_HUMAN (O95047)  OR2A4 OR OR2A10  嗅覚II fam 2 / MOR256-262,270-285
267.  O2A5_HUMAN (Q96R48)  OR2A5 OR OR2A8  フラグメント
268.  O2A6_HUMAN (Q96R47)  OR2A6  フラグメント
269.  O2A7_HUMAN (Q96R45)  OR2A7  嗅覚II fam 2 / MOR256-262,270-285
270.  O2AC_HUMAN (Q8NGT7)  OR2A12  嗅覚II fam 2 / MOR256-262,270-285
271.  O2AE_HUMAN (Q8NHA4)  OR2AE1 OR OR2AE2  嗅覚II fam 2 / MOR256-262,270-285
272.  O2AG_HUMAN (Q9H205)  OR2AG1  嗅覚II fam 2 / MOR256-262,270-285
273.  O2AK_HUMAN (Q8NG84)  OR2AK2  嗅覚II fam 2 / MOR256-262,270-285
274.  O2B1_HUMAN (O43883)  OR2B1 OR OR2B5  フラグメント
275.  O2B2_HUMAN (Q9GZK3)  OR2B2 OR OR2B9  嗅覚II fam 2 / MOR256-262,270-285
276.  O2B3_HUMAN (O76000)  OR2B3  嗅覚II fam 2 / MOR256-262,270-285
277.  O2B6_HUMAN (P58173)  OR2B6  嗅覚II fam 2 / MOR256-262,270-285
278.  O2C1_HUMAN (O95371)  OR2C1  嗅覚II fam 2 / MOR256-262,270-285
279.  O2C3_HUMAN (Q8N628)  OR2C3 OR OR2C4  嗅覚II fam 2 / MOR256-262,270-285
280.  O2D2_HUMAN (Q9H210)  OR2D2  嗅覚II fam 2 / MOR256-262,270-285
281.  O2D3_HUMAN (Q8NGH3)  OR2D3  嗅覚II fam 2 / MOR256-262,270-285
282.  O2F1_HUMAN (Q13607)  OR2F1 OR OLF3  嗅覚II fam 2 / MOR256-262,270-285
283.  O2F2_HUMAN (O95006)  OR2F2  嗅覚II fam 2 / MOR256-262,270-285
284.  O2G2_HUMAN (Q8NGZ5)  OR2G2  嗅覚II fam 2 / MOR256-262,270-285
285.  O2G3_HUMAN (Q8NGZ4)  OR2G3  嗅覚II fam 2 / MOR256-262,270-285
286.  O2H1_HUMAN (Q9GZK4)  OR2H1 OR OR2H8  嗅覚II fam 2 / MOR256-262,270-285
287.  O2H2_HUMAN (O95918)  OR2H2  嗅覚II fam 2 / MOR256-262,270-285
288.  O2H3_HUMAN (Q15062)  OR2H3 OR OLFR2 OR FAT11  嗅覚II fam 2 / MOR256-262,270-285
289.  O2H7_HUMAN (O43628)  OR2H7  フラグメント
290.  O2I2_HUMAN (Q8NGU4)  OR2I2  嗅覚II fam 2 / MOR256-262,270-285
291.  O2J2_HUMAN (O76002)  OR2J2  嗅覚II fam 2 / MOR256-262,270-285
292.  O2J3_HUMAN (O76001)  OR2J3  嗅覚II fam 2 / MOR256-262,270-285
293.  O2K2_HUMAN (Q8NGT1)  OR2K2  嗅覚II fam 2 / MOR256-262,270-285
294.  O2L2_HUMAN (Q8NH16)  OR2L2  嗅覚II fam 2 / MOR256-262,270-285
295.  O2L8_HUMAN (Q8NGY9)  OR2L8  嗅覚II fam 2 / MOR256-262,270-285
296.  O2LB_HUMAN (Q8NG80)  OR2L11  嗅覚II fam 2 / MOR256-262,270-285
297.  O2LD_HUMAN (Q8N349)  OR2L14 OR OR2L13  嗅覚II fam 2 / MOR256-262,270-285
298.  O2M1_HUMAN (Q96R29)  OR2M1  フラグメント
299.  O2M2_HUMAN (Q96R28)  OR2M2  フラグメント
300.  O2M4_HUMAN (Q96R27)  OR2M4  フラグメント
301.  O2M6_HUMAN (Q8NG83)  OR2M6  嗅覚II fam 2 / MOR256-262,270-285
302.  O2M7_HUMAN (Q8NG81)  OR2M7  嗅覚II fam 2 / MOR256-262,270-285
303.  O2S2_HUMAN (Q9NQN1)  OR2S2  嗅覚II fam 2 / MOR256-262,270-285
304.  O2T1_HUMAN (O43869)  OR2T1  嗅覚II fam 2 / MOR256-262,270-285
305.  O2T2_HUMAN (Q8NGX2)  OR2T2  嗅覚II fam 2 / MOR256-262,270-285
306.  O2T3_HUMAN (Q8NH03)  OR2T3  フラグメント
307.  O2T4_HUMAN (Q8NH00)  OR2T4  嗅覚II fam 2 / MOR256-262,270-285
308.  O2T5_HUMAN (Q8NH02)  OR2T5  嗅覚II fam 2 / MOR256-262,270-285
309.  O2TB_HUMAN (Q8NH01)  OR2T11  嗅覚II fam 2 / MOR256-262,270-285
310.  O2V2_HUMAN (Q96R30)  OR2V2  嗅覚II fam 2 / MOR256-262,270-285
311.  O2V3_HUMAN (Q8NGV1)  OR2V3  嗅覚II fam 2 / MOR256-262,270-285
312.  O2W1_HUMAN (Q9Y3N9)  OR2W1  嗅覚II fam 2 / MOR256-262,270-285
313.  O2Y1_HUMAN (Q8NGV0)  OR2Y1  嗅覚II fam 2 / MOR256-262,270-285
314.  O2Z1_HUMAN (Q8NG97)  OR2Z1 OR OR2Z2  嗅覚II fam 2 / MOR256-262,270-285
315.  O3A1_HUMAN (P47881)  OR3A1 OR OLFRA03  嗅覚II fam 3 / MOR255
316.  O3A2_HUMAN (P47893)  OR3A2 OR OLFRA04  嗅覚II fam 3 / MOR255
317.  O3A3_HUMAN (P47888)  OR3A3  嗅覚II fam 3 / MOR255
318.  O3A4_HUMAN (P47883)  OR3A4  嗅覚II fam 3 / MOR255
319.  O43192     (O43192)  none  バソプレシン(Vasopressin)
320.  O43200     (O43200)  TSHR  フラグメント
321.  O43441     (O43441)  ETA  フラグメント
322.  O43624     (O43624)  OLFR 42A  フラグメント
323.  O43625     (O43625)  OLFR 42A  フラグメント
324.  O43626     (O43626)  OLFR 42B  フラグメント
325.  O43627     (O43627)  OLFR 42B  フラグメント
326.  O43662     (O43662)  OLFR42A  フラグメント
327.  O43664     (Q9HB89)  none  ニューロメディンU
328.  O43789     (O43789)  none  フラグメント
329.  O43871     (O43871)  OR16-36  フラグメント
330.  O43872     (O43872)  OR16-37  フラグメント
331.  O43873     (O43873)  OR16-88  フラグメント
332.  O43874     (O43874)  OR16-89  フラグメント
333.  O43875     (O43875)  OR16-90  フラグメント
334.  O43876     (O43876)  OR17-130  フラグメント
335.  O43878     (O43878)  OR17-137  フラグメント
336.  O43879     (O43879)  OR17-15  フラグメント
337.  O43880     (O43880)  OR17-16  フラグメント
338.  O43886     (O43886)  OR7-139  フラグメント
339.  O43887     (O43887)  OR7-140  フラグメント
340.  O43888     (O43888)  OR7-141  フラグメント
341.  O43898     (O43898)  none  GPR45様
342.  O4A4_HUMAN (Q8NGN8)  OR4A4  嗅覚II fam 4 / MOR225-248
343.  O4A5_HUMAN (Q8NH83)  OR4A5  嗅覚II fam 4 / MOR225-248
344.  O4AF_HUMAN (Q8NGL6)  OR4A15  嗅覚II fam 4 / MOR225-248
345.  O4AG_HUMAN (Q8NH70)  OR4A16  嗅覚II fam 4 / MOR225-248
346.  O4B1_HUMAN (Q8NGF8)  OR4B1  嗅覚II fam 4 / MOR225-248
347.  O4C3_HUMAN (Q8NH37)  OR4C3  嗅覚II fam 4 / MOR225-248
348.  O4C6_HUMAN (Q8NH72)  OR4C6  嗅覚II fam 4 / MOR225-248
349.  O4CC_HUMAN (Q96R67)  OR4C12  嗅覚II fam 4 / MOR225-248
350.  O4CD_HUMAN (Q8NGP0)  OR4C13  嗅覚II fam 4 / MOR225-248
351.  O4CF_HUMAN (Q8NGM1)  OR4C15  嗅覚II fam 4 / MOR225-248
352.  O4CG_HUMAN (Q8NGL9)  OR4C16  嗅覚II fam 4 / MOR225-248
353.  O4D1_HUMAN (Q15615)  OR4D1  嗅覚II fam 4 / MOR225-248
354.  O4D2_HUMAN (P58180)  OR4D2  嗅覚II fam 4 / MOR225-248
355.  O4D5_HUMAN (Q8NGN0)  OR4D5  嗅覚II fam 4 / MOR225-248
356.  O4D6_HUMAN (Q8NGJ1)  OR4D6  嗅覚II fam 4 / MOR225-248
357.  O4D9_HUMAN (Q8NGE8)  OR4D9  嗅覚II fam 4 / MOR225-248
358.  O4E2_HUMAN (Q8NGC2)  OR4E2  嗅覚II fam 4 / MOR225-248
359.  O4F3_HUMAN (O95013)  OR4F3  嗅覚II fam 4 / MOR225-248
360.  O4F4_HUMAN (Q96R69)  OR4F4  嗅覚II fam 4 / MOR225-248
361.  O4F5_HUMAN (Q8NH21)  OR4F5  嗅覚II fam 4 / MOR225-248
362.  O4F6_HUMAN (Q8NGB9)  OR4F6 OR OR4F12  嗅覚II fam 4 / MOR225-248
363.  O4FE_HUMAN (Q8NGB7)  OR4F14  嗅覚II fam 4 / MOR225-248
364.  O4FF_HUMAN (Q8NGB8)  OR4F15  嗅覚II fam 4 / MOR225-248
365.  O4FH_HUMAN (Q8NGA8)  OR4F17 OR OR4F19  嗅覚II fam 4 / MOR225-248
366.  O4HC_HUMAN (Q8NG74)  OR4H12  フラグメント
367.  O4K1_HUMAN (Q8NGD4)  OR4K1  嗅覚II fam 4 / MOR225-248
368.  O4K2_HUMAN (Q8NGD2)  OR4K2  嗅覚II fam 4 / MOR225-248
369.  O4K3_HUMAN (Q96R72)  OR4K3  嗅覚II fam 4 / MOR225-248
370.  O4K5_HUMAN (Q8NGD3)  OR4K5  嗅覚II fam 4 / MOR225-248
371.  O4KD_HUMAN (Q8NH42)  OR4K13  嗅覚II fam 4 / MOR225-248
372.  O4KF_HUMAN (Q8NH41)  OR4K15  嗅覚II fam 4 / MOR225-248
373.  O4KH_HUMAN (Q8NGC6)  OR4K17  嗅覚II fam 4 / MOR225-248
374.  O4L1_HUMAN (Q8NH43)  OR4L1  嗅覚II fam 4 / MOR225-248
375.  O4M1_HUMAN (Q8NGD0)  OR4M1  嗅覚II fam 4 / MOR225-248
376.  O4M2_HUMAN (Q8NGB6)  OR4M2  嗅覚II fam 4 / MOR225-248
377.  O4N2_HUMAN (Q8NGD1)  OR4N2  嗅覚II fam 4 / MOR225-248
378.  O4N4_HUMAN (Q8N0Y3)  OR4N4  嗅覚II fam 4 / MOR225-248
379.  O4N5_HUMAN (Q8IXE1)  OR4N5  嗅覚II fam 4 / MOR225-248
380.  O4P4_HUMAN (Q8NGL7)  OR4P4  嗅覚II fam 4 / MOR225-248
381.  O4Q4_HUMAN (Q8NH05)  OR4Q4  嗅覚II fam 4 / MOR225-248
382.  O4S1_HUMAN (Q8NGB4)  OR4S1  嗅覚II fam 4 / MOR225-248
383.  O4S2_HUMAN (Q8NH73)  OR4S2  嗅覚II fam 4 / MOR225-248
384.  O4X1_HUMAN (Q8NH49)  OR4X1  嗅覚II fam 4 / MOR225-248
385.  O4X2_HUMAN (Q8NGF9)  OR4X2  嗅覚II fam 4 / MOR225-248
386.  O5A1_HUMAN (Q8NGJ0)  OR5A1  嗅覚II fam 5 / MOR172-224,249,254
387.  O5A2_HUMAN (Q8NGI9)  OR5A2  嗅覚II fam 5 / MOR172-224,249,254
388.  O5AC_HUMAN (Q9NZP5)  OR5AC2  フラグメント
389.  O5AK_HUMAN (Q8NH90)  OR5AK2  嗅覚II fam 5 / MOR172-224,249,254
390.  O5AN_HUMAN (Q8NGI8)  OR5AN1  嗅覚II fam 5 / MOR172-224,249,254
391.  O5AP_HUMAN (Q8NGF4)  OR5AP2  嗅覚II fam 5 / MOR172-224,249,254
392.  O5AR_HUMAN (Q8NGP9)  OR5AR1  嗅覚II fam 5 / MOR172-224,249,254
393.  O5AS_HUMAN (Q8N127)  OR5AS1  嗅覚II fam 5 / MOR172-224,249,254
394.  O5AT_HUMAN (Q8NHC5)  OR5AT1  嗅覚II fam 5 / MOR172-224,249,254
395.  O5AU_HUMAN (Q8NGC0)  OR5AU1  嗅覚II fam 5 / MOR172-224,249,254
396.  O5AV_HUMAN (Q8NHC6)  OR5AV1  嗅覚II fam 5 / MOR172-224,249,254
397.  O5AY_HUMAN (Q8NGZ2)  OR5AY1  嗅覚II fam 5 / MOR172-224,249,254
398.  O5B2_HUMAN (Q96R09)  OR5B2  嗅覚II fam 5 / MOR172-224,249,254
399.  O5BD_HUMAN (Q8NH48)  OR5B13  嗅覚II fam 5 / MOR172-224,249,254
400.  O5BF_HUMAN (Q8NHC7)  OR5BF1  嗅覚II fam 5 / MOR172-224,249,254
401.  O5BG_HUMAN (Q96R08)  OR5B16  嗅覚II fam 5 / MOR172-224,249,254
402.  O5BH_HUMAN (Q8NGF7)  OR5B17  嗅覚II fam 5 / MOR172-224,249,254
403.  O5C1_HUMAN (Q8NGR4)  OR5C1  嗅覚II fam 5 / MOR172-224,249,254
404.  O5DD_HUMAN (Q8NGL4)  OR5D13  嗅覚II fam 5 / MOR172-224,249,254
405.  O5DE_HUMAN (Q8NGL3)  OR5D14  嗅覚II fam 5 / MOR172-224,249,254
406.  O5DG_HUMAN (Q8NGK9)  OR5D16  嗅覚II fam 5 / MOR172-224,249,254
407.  O5DI_HUMAN (Q8NGL1)  OR5D18  嗅覚II fam 5 / MOR172-224,249,254
408.  O5F1_HUMAN (O95221)  OR5F1  嗅覚II fam 5 / MOR172-224,249,254
409.  O5H2_HUMAN (Q8NGV7)  OR5H2  嗅覚II fam 5 / MOR172-224,249,254
410.  O5H6_HUMAN (Q8NGV6)  OR5H6  嗅覚II fam 5 / MOR172-224,249,254
411.  O5I1_HUMAN (Q13606)  OR5I1 OR OLF1  嗅覚II fam 5 / MOR172-224,249,254
412.  O5J2_HUMAN (Q8NH18)  OR5J2  嗅覚II fam 5 / MOR172-224,249,254
413.  O5K1_HUMAN (Q8NHB7)  OR5K1  嗅覚II fam 5 / MOR172-224,249,254
414.  O5K2_HUMAN (Q8NHB8)  OR5K2  嗅覚II fam 5 / MOR172-224,249,254
415.  O5K3_HUMAN (Q8NH89)  OR5AK3  嗅覚II fam 5 / MOR172-224,249,254
416.  O5L1_HUMAN (Q8NGL2)  OR5L1  嗅覚II fam 5 / MOR172-224,249,254
417.  O5L2_HUMAN (Q8NGL0)  OR5L2  嗅覚II fam 5 / MOR172-224,249,254
418.  O5M1_HUMAN (Q8NGP8)  OR5M1  嗅覚II fam 5 / MOR172-224,249,254
419.  O5M3_HUMAN (Q8NGP4)  OR5M3  嗅覚II fam 5 / MOR172-224,249,254
420.  O5M8_HUMAN (Q8NGP6)  OR5M8  嗅覚II fam 5 / MOR172-224,249,254
421.  O5M9_HUMAN (Q8NGP3)  OR5M9  嗅覚II fam 5 / MOR172-224,249,254
422.  O5MB_HUMAN (Q96RB7)  OR5M11  嗅覚II fam 5 / MOR172-224,249,254
423.  O5P2_HUMAN (Q8WZ92)  OR5P2  嗅覚II fam 5 / MOR172-224,249,254
424.  O5P3_HUMAN (Q8WZ94)  OR5P3  嗅覚II fam 5 / MOR172-224,249,254
425.  O5T2_HUMAN (Q8NGG2)  OR5T2  嗅覚II fam 5 / MOR172-224,249,254
426.  O5T3_HUMAN (Q8NGG3)  OR5T3  嗅覚II fam 5 / MOR172-224,249,254
427.  O5U1_HUMAN (Q9UGF5)  OR5U1  嗅覚II fam 5 / MOR172-224,249,254
428.  O5V1_HUMAN (Q9UGF6)  OR5V1  嗅覚II fam 5 / MOR172-224,249,254
429.  O60411     (O60411)  none  フラグメント
430.  O60451     (O60451)  none  αアドレナリン受容体タイプ1
431.  O6A1_HUMAN (O95222)  OR6A1  嗅覚II fam 6 / MOR103-105,107-119
432.  O6B1_HUMAN (O95007)  OR6B1  嗅覚II fam 6 / MOR103-105,107-119
433.  O6B3_HUMAN (Q8NGW1)  OR6B3  嗅覚II fam 6 / MOR103-105,107-119
434.  O6C1_HUMAN (Q96RD1)  OR6C1  フラグメント
435.  O6C2_HUMAN (Q9NZP2)  OR6C2  フラグメント
436.  O6C3_HUMAN (Q9NZP0)  OR6C3  フラグメント
437.  O6C4_HUMAN (Q8NGE1)  OR6C4  嗅覚II fam 6 / MOR103-105,107-119
438.  O6F1_HUMAN (Q8NGZ6)  OR6F1  嗅覚II fam 6 / MOR103-105,107-119
439.  O6J2_HUMAN (Q8NGC5)  OR6J2  嗅覚II fam 6 / MOR103-105,107-119
440.  O6K2_HUMAN (Q8NGY2)  OR6K2  嗅覚II fam 6 / MOR103-105,107-119
441.  O6K3_HUMAN (Q8NGY3)  OR6K3  嗅覚II fam 6 / MOR103-105,107-119
442.  O6K6_HUMAN (Q8NGW6)  OR6K6  嗅覚II fam 6 / MOR103-105,107-119
443.  O6M1_HUMAN (Q8NGM8)  OR6M1  嗅覚II fam 6 / MOR103-105,107-119
444.  O6N1_HUMAN (Q8NGY5)  OR6N1  嗅覚II fam 6 / MOR103-105,107-119
445.  O6N2_HUMAN (Q8NGY6)  OR6N2  嗅覚II fam 6 / MOR103-105,107-119
446.  O6P1_HUMAN (Q8NGX9)  OR6P1  嗅覚II fam 6 / MOR103-105,107-119
447.  O6Q1_HUMAN (Q8NGQ2)  OR6Q1  嗅覚II fam 6 / MOR103-105,107-119
448.  O6S1_HUMAN (Q8NH40)  OR6S1  嗅覚II fam 6 / MOR103-105,107-119
449.  O6T1_HUMAN (Q8NGN1)  OR6T1  嗅覚II fam 6 / MOR103-105,107-119
450.  O6V1_HUMAN (Q8N148)  OR6V1  嗅覚II fam 6 / MOR103-105,107-119
451.  O6W1_HUMAN (Q96RR8)  OR6W1  フラグメント
452.  O6X1_HUMAN (Q8NH79)  OR6X1  嗅覚II fam 6 / MOR103-105,107-119
453.  O6Y1_HUMAN (Q8NGX8)  OR6Y1  嗅覚II fam 6 / MOR103-105,107-119
454.  O75171     (O75171)  KIAA0686  推定／未分類クラスB GPCRs
455.  O75205     (O75205)  A-69G12.1 OR GPRC5B  オーファン(Orphan) GPRC5
456.  O75228     (O75228)  TBXA2R  トロンボキサン(Thromboxane)
457.  O75303     (O75303)  CCR-5  フラグメント
458.  O75307     (O75307)  CRAM-A  C-C ケモカイン他
459.  O75824     (O75824)  CCKBR  フラグメント
460.  O75963     (O75963)  none  推定／未分類クラスA GPCRs
461.  O7A2_HUMAN (Q8NGA2)  OR7A2 OR OR7A7  嗅覚II fam 7 / MOR139-155
462.  O7A5_HUMAN (Q15622)  OR7A5  嗅覚II fam 7 / MOR139-155
463.  O7AA_HUMAN (O76100)  OR7A10  嗅覚II fam 7 / MOR139-155
464.  O7AH_HUMAN (O14581)  OR7A17  嗅覚II fam 7 / MOR139-155
465.  O7C1_HUMAN (O76099)  OR7C1  嗅覚II fam 7 / MOR139-155
466.  O7C2_HUMAN (O60412)  OR7C2 OR OR7C3  嗅覚II fam 7 / MOR139-155
467.  O7D2_HUMAN (Q96RA2)  OR7D2  嗅覚II fam 7 / MOR139-155
468.  O7G1_HUMAN (Q8NGA0)  OR7G1  嗅覚II fam 7 / MOR139-155
469.  O7G2_HUMAN (Q8NG99)  OR7G2  嗅覚II fam 7 / MOR139-155
470.  O7G3_HUMAN (Q8NG95)  OR7G3  嗅覚II fam 7 / MOR139-155
471.  O8A1_HUMAN (Q8NGG7)  OR8A1  嗅覚II fam 8 / MOR161-171
472.  O8B2_HUMAN (Q96RD0)  OR8B2  嗅覚II fam 8 / MOR161-171
473.  O8B3_HUMAN (Q8NGG8)  OR8B3  嗅覚II fam 8 / MOR161-171
474.  O8B4_HUMAN (Q96RC9)  OR8B4  嗅覚II fam 8 / MOR161-171
475.  O8B8_HUMAN (Q15620)  OR8B8  嗅覚II fam 8 / MOR161-171
476.  O8BC_HUMAN (Q8NGG6)  OR8B12  嗅覚II fam 8 / MOR161-171
477.  O8D1_HUMAN (Q8WZ84)  OR8D1  嗅覚II fam 8 / MOR161-171
478.  O8D2_HUMAN (Q9GZM6)  OR8D2  嗅覚II fam 8 / MOR161-171
479.  O8D4_HUMAN (Q8NGM9)  OR8D4  嗅覚II fam 8 / MOR161-171
480.  O8G1_HUMAN (Q15617)  OR8G1  フラグメント
481.  O8G2_HUMAN (Q15614)  OR8G2  フラグメント
482.  O8H1_HUMAN (Q8NGG4)  OR8H1  嗅覚II fam 5 / MOR172-224,249,254
483.  O8H2_HUMAN (Q8N162)  OR8H2  嗅覚II fam 5 / MOR172-224,249,254
484.  O8H3_HUMAN (Q8N146)  OR8H3  嗅覚II fam 5 / MOR172-224,249,254
485.  O8I2_HUMAN (Q8N0Y5)  OR8I2  嗅覚II fam 5 / MOR172-224,249,254
486.  O8J1_HUMAN (Q8NGP2)  OR8J1  嗅覚II fam 5 / MOR172-224,249,254
487.  O8J3_HUMAN (Q8NGG0)  OR8J3  嗅覚II fam 5 / MOR172-224,249,254
488.  O8K1_HUMAN (Q8NGG5)  OR8K1  嗅覚II fam 5 / MOR172-224,249,254
489.  O8K3_HUMAN (Q8NH51)  OR8K3  嗅覚II fam 5 / MOR172-224,249,254
490.  O8K5_HUMAN (Q8NH50)  OR8K5  嗅覚II fam 5 / MOR172-224,249,254
491.  O94858     (O94858)  KIAA0758  推定／未分類クラスB GPCRs
492.  O94867     (O94867)  KIAA0768  フラグメント
493.  O94882     (O94882)  KIAA0786  フラグメント
494.  O94910     (O94910)  KIAA0821  ラトロフィリン(Latrophilin) タイプ1
495.  O95220     (O95220)  OR5D3  フラグメント
496.  O95357     (O95357)  RAIG1  オーファンGPRC5
497.  O95490     (O95490)  LPHH1 OR LEC1  ラトロフィリンタイプ2
498.  O95499     (O95499)  OLFR89  嗅覚II fam 2 / MOR256-262,270-285
499.  O95800     (O95800)  none  推定／未分類クラスA GPCRs
500.  O95950     (O95950)  none  フラグメント
501.  O95966     (O95966)  none  推定／未分類クラスB GPCRs
502.  O95977     (O95977)  EDG6  リゾスフィンゴ脂質 & LPA (EDG)
503.  O9A2_HUMAN (Q8NGT5)  OR9A2  嗅覚II fam 9 / MOR120
504.  O9A4_HUMAN (Q8NGU2)  OR9A4  嗅覚II fam 9 / MOR120
505.  O9G1_HUMAN (Q8NH87)  OR9G1  嗅覚II fam 9 / MOR120
506.  O9G4_HUMAN (Q8NGQ1)  OR9G4  嗅覚II fam 5 / MOR172-224,249,254
507.  O9G5_HUMAN (Q8NGQ0)  OR9G5  嗅覚II fam 9 / MOR120
508.  O9I1_HUMAN (Q8NGQ6)  OR9I1  嗅覚II fam 5 / MOR172-224,249,254
509.  O9K2_HUMAN (Q8NGE7)  OR9K2  嗅覚II fam 5 / MOR172-224,249,254
510.  O9Q1_HUMAN (Q8NGQ5)  OR9Q1  嗅覚II fam 9 / MOR120
511.  OA1_HUMAN  (P51810)  OA1  眼白子タンパク質類(Ocular albinism proteins)
512.  OAA1_HUMAN (O95223)  OR10A1  フラグメント
513.  OAA3_HUMAN (P58181)  OR10A3  嗅覚II fam 10 / MOR263-269
514.  OAA4_HUMAN (Q9H209)  OR10A4  嗅覚II fam 10 / MOR263-269
515.  OAA5_HUMAN (Q9H207)  OR10A5  嗅覚II fam 10 / MOR263-269
516.  OAA6_HUMAN (Q8NH74)  OR10A6  嗅覚II fam 10 / MOR263-269
517.  OAA7_HUMAN (Q8NGE5)  OR10A7  嗅覚II fam 10 / MOR263-269
518.  OAC1_HUMAN (Q96KK4)  OR10C1 OR OR10C2  嗅覚II fam 10 / MOR263-269
519.  OAD1_HUMAN (Q8NGE0)  OR10AD1  嗅覚II fam 10 / MOR263-269
520.  OAD4_HUMAN (Q8NGN7)  OR10D4  嗅覚II fam 5 / MOR172-224,249,254
521.  OAG1_HUMAN (Q8NH19)  OR10AG1  嗅覚II fam 10 / MOR263-269
522.  OAG2_HUMAN (Q8NGC3)  OR10G2  嗅覚II fam 5 / MOR172-224,249,254
523.  OAG3_HUMAN (Q8NGC4)  OR10G3  嗅覚II fam 5 / MOR172-224,249,254
524.  OAG4_HUMAN (Q8NGN3)  OR10G4  嗅覚II fam 5 / MOR172-224,249,254
525.  OAG7_HUMAN (Q8NGN6)  OR10G7  嗅覚II fam 5 / MOR172-224,249,254
526.  OAG8_HUMAN (Q8NGN5)  OR10G8  嗅覚II fam 5 / MOR172-224,249,254
527.  OAG9_HUMAN (Q8NGN4)  OR10G9  嗅覚II fam 5 / MOR172-224,249,254
528.  OAH1_HUMAN (Q9Y4A9)  OR10H1  嗅覚II fam 10 / MOR263-269
529.  OAH2_HUMAN (O60403)  OR10H2  嗅覚II fam 10 / MOR263-269
530.  OAH3_HUMAN (O60404)  OR10H3  嗅覚II fam 10 / MOR263-269
531.  OAH4_HUMAN (Q8NGA5)  OR10H4  嗅覚II fam 10 / MOR263-269
532.  OAH5_HUMAN (Q8NGA6)  OR10H5  嗅覚II fam 10 / MOR263-269
533.  OAJ1_HUMAN (P30954)  OR10J1  嗅覚II fam 10 / MOR263-269
534.  OAJ5_HUMAN (Q8NHC4)  OR10J5  嗅覚II fam 10 / MOR263-269
535.  OAJ6_HUMAN (Q8NGY7)  OR10J6  嗅覚II fam 10 / MOR263-269
536.  OAK1_HUMAN (Q8NGX5)  OR10K1  嗅覚II fam 10 / MOR263-269
537.  OAQ1_HUMAN (Q8NGQ4)  OR10Q1  嗅覚II fam 10 / MOR263-269
538.  OAR2_HUMAN (Q8NGX6)  OR10R2  嗅覚II fam 10 / MOR263-269
539.  OASI_HUMAN (Q8NGN2)  OR10S1  嗅覚II fam 5 / MOR172-224,249,254
540.  OAT2_HUMAN (Q8NGX3)  OR10T2  嗅覚II fam 10 / MOR263-269
541.  OAV1_HUMAN (Q8NGI7)  OR10V1  嗅覚II fam 10 / MOR263-269
542.  OAZ1_HUMAN (Q8NGY1)  OR10Z1  嗅覚II fam 10 / MOR263-269
543.  OBA1_HUMAN (Q9GZK7)  OR11A1 OR OR11A2  嗅覚II fam 11 / MOR106,121-122
544.  OBG2_HUMAN (Q8NGC1)  OR11G2  嗅覚II fam 11 / MOR106,121-122
545.  OBH1_HUMAN (Q8NG94)  OR11H1  嗅覚II fam 11 / MOR106,121-122
546.  OBH4_HUMAN (Q8NGC9)  OR11H4  嗅覚II fam 11 / MOR106,121-122
547.  OBH6_HUMAN (Q8NGC7)  OR11H6  嗅覚II fam 11 / MOR106,121-122
548.  OBL1_HUMAN (Q8NGX0)  OR11L1  嗅覚II fam 6 / MOR103-105,107-119
549.  OCD2_HUMAN (P58182)  OR12D2  嗅覚II fam 12 / MOR250
550.  OCD3_HUMAN (Q9UGF7)  OR12D3  嗅覚II fam 12 / MOR250
551.  ODA1_HUMAN (Q8NGR1)  OR13A1  嗅覚II fam 13 / MOR253
552.  ODC2_HUMAN (Q8NGS9)  OR13C2  嗅覚II fam 2 / MOR256-262,270-285
553.  ODC3_HUMAN (Q8NGS6)  OR13C3  嗅覚II fam 2 / MOR256-262,270-285
554.  ODC4_HUMAN (Q8NGS5)  OR13C4  嗅覚II fam 2 / MOR256-262,270-285
555.  ODC5_HUMAN (Q8NGS8)  OR13C5  嗅覚II fam 2 / MOR256-262,270-285
556.  ODC8_HUMAN (Q8NGS7)  OR13C8  嗅覚II fam 2 / MOR256-262,270-285
557.  ODC9_HUMAN (Q8NGT0)  OR13C9  嗅覚II fam 2 / MOR256-262,270-285
558.  ODD1_HUMAN (Q8NGV5)  OR13D1  嗅覚II fam 2 / MOR256-262,270-285
559.  ODF1_HUMAN (Q8NGS4)  OR13F1  嗅覚II fam 2 / MOR256-262,270-285
560.  ODG1_HUMAN (Q8NGZ3)  OR13G1  嗅覚II fam 13 / MOR253
561.  ODH1_HUMAN (Q8NG92)  OR13H1  嗅覚II fam 13 / MOR253
562.  ODJ1_HUMAN (Q8NGT2)  OR13J1  嗅覚II fam 2 / MOR256-262,270-285
563.  OK4E_HUMAN (Q8NGD5)  OR4K14  嗅覚II fam 4 / MOR225-248
564.  OPN3_HUMAN (Q9H1Y3)  OPN3 OR ECPN  ロドプシン他(Rhodopsin Other)
565.  OPN4_HUMAN (Q9UHM6)  OPN4 OR MOP  ロドプシン他
566.  OPRD_HUMAN (P41143)  OPRD1 OR OPRD  オピオイドタイプD
567.  OPRK_HUMAN (P41145)  OPRK1 OR OPRK  オピオイドタイプK
568.  OPRM_HUMAN (P35372)  OPRM1 OR MOR1  オピオイドタイプM
569.  OPRX_HUMAN (P41146)  OPRL1 OR ORL1 OR OOR  オピオイドタイプX
570.  OPSB_HUMAN (P03999)  OPN1SW OR BCP  ロドプシン脊椎動物タイプ3
571.  OPSG_HUMAN (P04001)  OPN1MW OR GCP  ロドプシン脊椎動物タイプ2
572.  OPSX_HUMAN (O14718)  RRH  ロドプシン他
573.  OX1R_HUMAN (O43613)  HCRTR1  オレキシン(Orexin)
574.  OX2R_HUMAN (O43614)  HCRTR2  オレキシン
575.  OXA2_HUMAN (Q8NGJ7)  OR51A2  嗅覚I fam 51-52 /MOR1-42
576.  OXA4_HUMAN (Q8NGJ6)  OR51A4  嗅覚I fam 51-52 /MOR1-42
577.  OXA7_HUMAN (Q8NH64)  OR51A7  嗅覚I fam 51-52 /MOR1-42
578.  OXB2_HUMAN (Q9Y5P1)  OR51B2  嗅覚I fam 51-52 /MOR1-42
579.  OXB4_HUMAN (Q9Y5P0)  OR51B4  嗅覚I fam 51-52 /MOR1-42
580.  OXE1_HUMAN (Q8TCB6)  OR51E1  嗅覚I fam 51-52 /MOR1-42
581.  OXE2_HUMAN (Q9H255)  OR51E2 OR PSGR  嗅覚I fam 51-52 /MOR1-42
582.  OXF2_HUMAN (Q8NH61)  OR51F2  嗅覚I fam 51-52 /MOR1-42
583.  OXG1_HUMAN (Q8NGK1)  OR51G1  嗅覚I fam 51-52 /MOR1-42
584.  OXG2_HUMAN (Q8NGK0)  OR51G2  嗅覚I fam 51-52 /MOR1-42
585.  OXH1_HUMAN (Q8NH63)  OR51H1  嗅覚I fam 51-52 /MOR1-42
586.  OXI1_HUMAN (Q9H343)  OR51I1  嗅覚I fam 51-52 /MOR1-42
587.  OXI2_HUMAN (Q9H344)  OR51I2  嗅覚I fam 51-52 /MOR1-42
588.  OXL1_HUMAN (Q8NGJ5)  OR51L1  嗅覚I fam 51-52 /MOR1-42
589.  OXM1_HUMAN (Q9H341)  OR51M1  嗅覚I fam 51-52 /MOR1-42
590.  OXQ1_HUMAN (Q8NH59)  OR51Q1  嗅覚I fam 51-52 /MOR1-42
591.  OXS1_HUMAN (Q8NGJ8)  OR51S1  嗅覚I fam 51-52 /MOR1-42
592.  OXT1_HUMAN (Q8NGJ9)  OR51T1  嗅覚I fam 51-52 /MOR1-42
593.  OXYR_HUMAN (P30559)  OXTR  オキシトシン(Oxytocin)
594.  OYA1_HUMAN (Q9UKL2)  OR52A1  嗅覚I fam 51-52 /MOR1-42
595.  OYB2_HUMAN (Q96RD2)  OR52B2  嗅覚I fam 51-52 /MOR1-42
596.  OYB4_HUMAN (Q8NGK2)  OR52B4  嗅覚I fam 51-52 /MOR1-42
597.  OYB6_HUMAN (Q8NGF0)  OR52B6  嗅覚I fam 51-52 /MOR1-42
598.  OYD1_HUMAN (Q9H346)  OR52D1  嗅覚I fam 51-52 /MOR1-42
599.  OYE1_HUMAN (Q8NGJ3)  OR52E1  嗅覚I fam 51-52 /MOR1-42
600.  OYE2_HUMAN (Q8NGJ4)  OR52E2  嗅覚I fam 51-52 /MOR1-42
601.  OYE4_HUMAN (Q8NGH9)  OR52E4  嗅覚I fam 51-52 /MOR1-42
602.  OYE5_HUMAN (Q8NH55)  OR52E5  嗅覚I fam 51-52 /MOR1-42
603.  OYE6_HUMAN (Q96RD3)  OR52E6  嗅覚I fam 51-52 /MOR1-42
604.  OYH1_HUMAN (Q8NGJ2)  OR52H1  嗅覚I fam 51-52 /MOR1-42
605.  OYI1_HUMAN (Q8NGK6)  OR52I1  嗅覚I fam 51-52 /MOR1-42
606.  OYI2_HUMAN (Q8NH67)  OR52I2  嗅覚I fam 51-52 /MOR1-42
607.  OYJ3_HUMAN (Q8NH60)  OR52J3  嗅覚I fam 51-52 /MOR1-42
608.  OYK1_HUMAN (Q8NGK4)  OR52K1  嗅覚I fam 51-52 /MOR1-42
609.  OYK2_HUMAN (Q8NGK3)  OR52K2  嗅覚I fam 51-52 /MOR1-42
610.  OYL1_HUMAN (Q8NGH7)  OR52L1  嗅覚I fam 51-52 /MOR1-42
611.  OYL2_HUMAN (Q8NGH6)  OR52L2  嗅覚I fam 51-52 /MOR1-42
612.  OYN1_HUMAN (Q8NH53)  OR52N1  嗅覚I fam 51-52 /MOR1-42
613.  OYN2_HUMAN (Q8NGI0)  OR52N2  嗅覚I fam 51-52 /MOR1-42
614.  OYN4_HUMAN (Q8NGI2)  OR52N4  嗅覚I fam 51-52 /MOR1-42
615.  OYN5_HUMAN (Q8NH56)  OR52N5  嗅覚I fam 51-52 /MOR1-42
616.  OYP1_HUMAN (Q8NH57)  OR52P1  嗅覚I fam 51-52 /MOR1-42
617.  OYR1_HUMAN (Q8NGF1)  OR52R1  嗅覚I fam 51-52 /MOR1-42
618.  OZA1_HUMAN (Q8NGH5)  OR56A1  嗅覚I fam 51-52 /MOR1-42
619.  OZA4_HUMAN (Q8NGH8)  OR56A4  嗅覚I fam 51-52 /MOR1-42
620.  OZB2_HUMAN (Q8NGI1)  OR56B2  嗅覚I fam 51-52 /MOR1-42
621.  OZB4_HUMAN (Q8NH76)  OR56B4  嗅覚I fam 51-52 /MOR1-42
622.  P2Y2_HUMAN (P41231)  P2RY2 OR P2RU1  プリン受容体タイプU
623.  P2Y4_HUMAN (P51582)  P2RY4 OR NRU  プリン受容体タイプY アデニン／ウリジン(Purinoceptor type Y adenine/uridine)
624.  P2Y5_HUMAN (P43657)  P2RY5  プリン受容体他
625.  P2Y6_HUMAN (Q15077)  P2RY6  プリン受容体タイプY アデニン／ウリジン
626.  P2Y9_HUMAN (Q99677)  GPR23 OR P2RY9  プリン受容体他
627.  P2YA_HUMAN (O00398)  P2RY10  プリン受容体他
628.  P2YB_HUMAN (Q96G91)  P2RY11  プリン受容体他
629.  P2YC_HUMAN (Q9H244)  P2RY12 OR HORK3  血小板 ADP & KI01受容体類
630.  P2YR_HUMAN (P47900)  P2RY1  プリン受容体タイプY アデニン／ウリジン
631.  P2YX_HUMAN (Q15391)  GPR105 OR KIAA0001  血小板 ADP & KI01受容体類
632.  P78470     (P78470)  none  フラグメント
633.  P78471     (P78471)  none  フラグメント
634.  PACR_HUMAN (P41586)  ADCYAP1R1  PACAP
635.  PAFR_HUMAN (P25105)  PTAFR OR PAFR  血小板活性化因子(Platelet activating factor)
636.  PAR1_HUMAN (P25116)  F2R OR PAR1 OR TR OR CF2R  トロンビン(Thrombin)
637.  PAR2_HUMAN (P55085)  F2RL1 OR PAR2 OR GPR11  プロテイナーゼ活性化(Proteinase-activated)
638.  PAR3_HUMAN (O00254)  F2RL2 OR PAR3  プロテイナーゼ活性化
639.  PAR4_HUMAN (Q96RI0)  F2RL3 OR PAR4  プロテイナーゼ活性化
640.  PD2R_HUMAN (Q13258)  PTGDR  プロスタグランジンE2/D2 サブタイプ EP2
641.  PE21_HUMAN (P34995)  PTGER1  プロスタグランジンE2 サブタイプ EP1
642.  PE22_HUMAN (P43116)  PTGER2  プロスタグランジンE2/D2 サブタイプ EP2
643.  PE23_HUMAN (P43115)  PTGER3  プロスタグランジンE2 サブタイプ EP3
644.  PE24_HUMAN (P35408)  PTGER4 OR PTGER2  プロスタグランジンE2 サブタイプ EP4
645.  PF2R_HUMAN (P43088)  PTGFR  プロスタグランジンF2-alpha
646.  PI2R_HUMAN (P43119)  PTGIR OR PRIPR  プロスタサイクリン(Prostacyclin)
647.  PKR1_HUMAN (Q8TCW9)  GPR73 OR PKR1  プロキネティシン受容体類(Prokineticin receptors)
648.  PKR2_HUMAN (Q8NFJ6)  GPR73L1 OR PKR2  プロキネティシン受容体類
649.  PRK2_HUMAN (Q9HC23)  PROK2 OR BV8  フラグメント
650.  PSYR_HUMAN (Q8IYL9)  GPR65 OR TDAG8  推定／未分類クラスA GPCRs
651.  PTR2_HUMAN (P49190)  PTHR2  副甲状腺ホルモン(Parathyroid hormone)
652.  PTRR_HUMAN (Q03431)  PTHR1 OR PTHR  副甲状腺ホルモン
653.  Q13027     (Q13027)  none  フラグメント
654.  Q13167     (Q13167)  DRD3  ドーパミン脊椎動物タイプ3
655.  Q13675     (Q13675)  none  αアドレナリン受容体タイプ1
656.  Q13729     (Q13729)  none  αアドレナリン受容体タイプ1
657.  Q14439     (Q14439)  none  推定／未分類クラスA GPCRs
658.  Q14968     (Q14968)  none  推定／未分類クラスA GPCRs
659.  Q15613     (Q15613)  TPCR110  フラグメント
660.  Q15616     (Q15616)  TPCR24  フラグメント
661.  Q15618     (Q15618)  TPCR26  フラグメント
662.  Q16144     (Q16144)  none  CCK タイプB
663.  Q16292     (Q16292)  THROMBIN RECEPTOR  フラグメント
664.  Q16303     (Q16303)  none  フラグメント
665.  Q16432     (Q16432)  none  フラグメント
666.  Q16433     (Q16433)  none  フラグメント
667.  Q16503     (Q16503)  none  フラグメント
668.  Q16538     (Q16538)  A-2  推定／未分類クラスA GPCRs
669.  Q7Z3S0     (Q7Z3S0)  DKFZP686B1664  プリン受容体他
670.  Q7Z3S6     (Q7Z3S6)  DKFZP686P1665  プリン受容体他
671.  Q7Z3T1     (Q7Z3T1)  DKFZP686N09198  嗅覚II fam 2 / MOR256-262,270-285
672.  Q7Z3W3     (Q7Z3W3)  DKFZP686N1782  プロテイナーゼ活性化
673.  Q7Z582     (Q7Z582)  GPR50  フラグメント
674.  Q7Z5J9     (Q7Z5J9)  GPRC5D  オーファンGPRC5
675.  Q7Z5R9     (Q7Z5R9)  none  ヒスタミンタイプ2
676.  Q7Z601     (Q7Z601)  GPR142  推定／未分類クラスA GPCRs
677.  Q7Z603     (Q7Z603)  GPR136  推定／未分類クラスA GPCRs
678.  Q7Z604     (Q7Z604)  GPR135  推定／未分類クラスA GPCRs
679.  Q7Z605     (Q7Z605)  GPR120  推定／未分類クラスA GPCRs
680.  Q7Z710     (Q7Z710)  GPR9  C-X-C ケモカインタイプ3
681.  Q7Z7I1     (Q7Z7I1)  CCBP2  C-C ケモカインタイプX
682.  Q7Z7M1     (Q7Z7M1)  GPR144  推定／未分類クラスB GPCRs
683.  Q7Z7M2     (Q7Z7M2)  GPR133  推定／未分類クラスB GPCRs
684.  Q7Z7Q5     (Q7Z7Q5)  DRD4  フラグメント
685.  Q86SE3     (Q86SE3)  none  フラグメント
686.  Q86SF1     (Q86SF1)  none  フラグメント
687.  Q86SF3     (Q86SF3)  none  フラグメント
688.  Q86SF4     (Q86SF4)  none  フラグメント
689.  Q86SG0     (Q86SG0)  none  フラグメント
690.  Q86SG8     (Q86SG8)  none  フラグメント
691.  Q86SG9     (Q86SG9)  none  フラグメント
692.  Q86SH1     (Q86SH1)  none  フラグメント
693.  Q86SH3     (Q86SH3)  none  フラグメント
694.  Q86SI3     (Q86SI3)  none  フラグメント
695.  Q86SI5     (Q86SI5)  none  フラグメント
696.  Q86SI8     (Q86SI8)  none  フラグメント
697.  Q86SJ4     (Q86SJ4)  none  フラグメント
698.  Q86SL3     (Q86SL3)  none  フラグメント
699.  Q86SL4     (Q86SL4)  none  フラグメント
700.  Q86SL7     (Q86SL7)  none  フラグメント
701.  Q86SL9     (Q86SL9)  none  フラグメント
702.  Q86SM0     (Q86SM0)  none  フラグメント
703.  Q86SM1     (Q86SM1)  none  フラグメント
704.  Q86SM3     (Q86SM3)  none  フラグメント
705.  Q86SM4     (Q86SM4)  none  フラグメント
706.  Q86SM7     (Q86SM7)  none  フラグメント
707.  Q86SN8     (Q86SN8)  none  フラグメント
708.  Q86SN9     (Q86SN9)  none  フラグメント
709.  Q86SP1     (Q86SP1)  none  フラグメント
710.  Q86SP4     (Q86SP4)  none  フラグメント
711.  Q86SP7     (Q86SP7)  none  フラグメント
712.  Q86SQ2     (Q86SQ2)  GPR128  フラグメント
713.  Q86SQ3     (Q86SQ3)  GPR127  フラグメント
714.  Q86SQ4     (Q86SQ4)  GPR126  推定／未分類クラスB GPCRs
715.  Q86SQ5     (Q86SQ5)  GPR125  フラグメント
716.  Q86SQ6     (Q86SQ6)  GPR123  推定／未分類クラスB GPCRs
717.  Q86TH8     (Q86TH8)  none  αアドレナリン受容体タイプ2
718.  Q86U87     (Q86U87)  none  推定／未分類クラスA GPCRs
719.  Q86UG6     (Q86UG6)  none  フラグメント
720.  Q86UG7     (Q86UG7)  none  フラグメント
721.  Q86UG8     (Q86UG8)  none  フラグメント
722.  Q86UG9     (Q86UG9)  none  フラグメント
723.  Q86UH0     (Q86UH0)  none  フラグメント
724.  Q86UN1     (Q86UN1)  HTR5A  フラグメント
725.  Q86UN7     (Q86UN7)  CASR  フラグメント
726.  Q86UZ8     (Q86UZ8)  FZD2  フラグメント
727.  Q86V16     (Q86V16)  none  プリン受容体他
728.  Q86V80     (Q86V80)  none  オピオイドタイプM
729.  Q86VA9     (Q86VA9)  CCR1  C-C ケモカインタイプ1
730.  Q86VP7     (Q86VP7)  none  GPR37 / エンドセリンB様
731.  Q86VZ1     (Q86VZ1)  none  推定／未分類クラスA GPCRs
732.  Q86W60     (Q86W60)  none  GABA-B サブタイプ 1
733.  Q86WP7     (Q86WP7)  none  推定／未分類クラスA GPCRs
734.  Q86XI5     (Q86XI5)  none  フラグメント
735.  Q86Y34     (Q86Y34)  GPR97  推定／未分類クラスB GPCRs
736.  Q86YF2     (Q86YF2)  none  フラグメント
737.  Q86YG3     (Q86YG3)  none  フラグメント
738.  Q86YG6     (Q86YG6)  none  メタボトロピックグルタミン酸グループII
739.  Q86YG9     (Q86YG9)  none  フラグメント
740.  Q86YW1     (Q86YW1)  MC1R  メラニン細胞刺激ホルモン
741.  Q8IU63     (Q8IU63)  6M1-16  フラグメント
742.  Q8IUZ1     (Q8IUZ1)  none  インターロイキン-8 タイプB
743.  Q8IV06     (Q8IV06)  none  推定／未分類クラスA GPCRs
744.  Q8IV17     (Q8IV17)  none  フラグメント
745.  Q8IV19     (Q8IV19)  none  システイニルロイコトリエン
746.  Q8IVW0     (Q8IVW0)  none  アセチルコリン脊椎動物タイプ5
747.  Q8IW08     (Q8IW08)  none  GABA-B サブタイプ 1
748.  Q8IWK6     (Q8IWK6)  none  フラグメント
749.  Q8IWP3     (Q8IWP3)  none  オピオイドタイプK
750.  Q8IWT2     (Q8IWT2)  none  推定／未分類クラスB GPCRs
751.  Q8IWW3     (Q8IWW3)  OPRM  オピオイドタイプM
752.  Q8IWW4     (Q8IWW4)  OPRM  オピオイドタイプM
753.  Q8IX08     (Q8IX08)  OPN3  フラグメント
754.  Q8IXA4     (Q8IXA4)  VIGR  推定／未分類クラスB GPCRs
755.  Q8IXB0     (Q8IXB0)  none  オピオイドタイプX
756.  Q8IXD8     (Q8IXD8)  none  推定／未分類クラスB GPCRs
757.  Q8IXD9     (Q8IXD9)  none  フラグメント
758.  Q8IXE0     (Q8IXE0)  none  フラグメント
759.  Q8IXE2     (Q8IXE2)  none  推定／未分類クラスA GPCRs
760.  Q8IXE3     (Q8IXE3)  none  推定／未分類クラスB GPCRs
761.  Q8IXE4     (Q8IXE4)  none  推定／未分類クラスB GPCRs
762.  Q8IXE5     (Q8IXE5)  none  推定／未分類クラスA GPCRs
763.  Q8IXE6     (Q8IXE6)  none  推定／未分類クラスB GPCRs
764.  Q8IXE7     (Q8IXE7)  none  嗅覚II fam 5 / MOR172-224,249,254
765.  Q8IXH9     (Q8IXH9)  HTR4B  セロトニン脊椎動物タイプ４
766.  Q8IY58     (Q8IY58)  none  ニューロテンシン
767.  Q8IYT7     (Q8IYT7)  none  血小板 ADP & KI01受容体類
768.  Q8IZ08     (Q8IZ08)  none  推定／未分類クラスA GPCRs
769.  Q8IZ14     (Q8IZ14)  none  推定／未分類クラスB GPCRs
770.  Q8IZE4     (Q8IZE4)  none  推定／未分類クラスB GPCRs
771.  Q8IZE5     (Q8IZE5)  none  推定／未分類クラスB GPCRs
772.  Q8IZE6     (Q8IZE6)  none  推定／未分類クラスB GPCRs
773.  Q8IZE7     (Q8IZE7)  none  推定／未分類クラスB GPCRs
774.  Q8IZF1     (Q8IZF1)  GPR97  推定／未分類クラスB GPCRs
775.  Q8IZF2     (Q8IZF2)  GPR116  推定／未分類クラスB GPCRs
776.  Q8IZF3     (Q8IZF3)  GPR115  推定／未分類クラスB GPCRs
777.  Q8IZF4     (Q8IZF4)  GPR114  推定／未分類クラスB GPCRs
778.  Q8IZF5     (Q8IZF5)  GPR113  推定／未分類クラスB GPCRs
779.  Q8IZF6     (Q8IZF6)  GPR112  推定／未分類クラスB GPCRs
780.  Q8IZF7     (Q8IZF7)  GPR111  推定／未分類クラスB GPCRs
781.  Q8IZF8     (Q8IZF8)  GPR110  推定／未分類クラスB GPCRs
782.  Q8IZP3     (Q8IZP3)  GPR64  推定／未分類クラスB GPCRs
783.  Q8IZP4     (Q8IZP4)  GPR64  推定／未分類クラスB GPCRs
784.  Q8IZP9     (Q8IZP9)  none  推定／未分類クラスB GPCRs
785.  Q8N0W0     (Q8N0W0)  none  フラグメント
786.  Q8N0W1     (Q8N0W1)  none  フラグメント
787.  Q8N0X1     (Q8N0X1)  none  フラグメント
788.  Q8N0Y1     (Q8N0Y1)  none  嗅覚II fam 8 / MOR161-171
789.  Q8N0Z0     (Q8N0Z0)  none  フラグメント
790.  Q8N164     (Q8N164)  none  フラグメント
791.  Q8N261     (Q8N261)  none  フラグメント
792.  Q8N2R3     (Q8N2R3)  none  フラグメント
793.  Q8N429     (Q8N429)  none  フラグメント
794.  Q8N537     (Q8N537)  none  LGR 様 (ホルモン受容体類)
795.  Q8N580     (Q8N580)  none  推定／未分類クラスA GPCRs
796.  Q8N5S7     (Q8N5S7)  none  GPR
797.  Q8N5V1     (Q8N5V1)  none  フラグメント
798.  Q8N639     (Q8N639)  none  推定／未分類クラスB GPCRs
799.  Q8N6T6     (Q8N6T6)  none  インターロイキン-8 タイプA
800.  Q8N6U8     (Q8N6U8)  none  推定／未分類クラスA GPCRs
801.  Q8N7J6     (Q8N7J6)  none  推定／未分類クラスA GPCRs
802.  Q8NBZ8     (Q8NBZ8)  none  オーファンGPRC5
803.  Q8NC14     (Q8NC14)  none  フラグメント
804.  Q8NCH4     (Q8NCH4)  none  フラグメント
805.  Q8NE10     (Q8NE10)  none  RDC1
806.  Q8NE20     (Q8NE20)  none  ニューロメディンU
807.  Q8NEI9     (Q8NEI9)  none  フラグメント
808.  Q8NEN2     (Q8NEN2)  none  SREB
809.  Q8NFJ5     (Q8NFJ5)  none  オーファンGPRC5
810.  Q8NFN8     (Q8NFN8)  GABABL  GABA-B様(GABA-B like)
811.  Q8NFS2     (Q8NFS2)  GRM7  メタボトロピックグルタミン酸グループIII
812.  Q8NFS3     (Q8NFS3)  GRM7  メタボトロピックグルタミン酸グループIII
813.  Q8NFS4     (Q8NFS4)  GRM7  メタボトロピックグルタミン酸グループIII
814.  Q8NG71     (Q8NG71)  none  コルチコトロピン放出因子
815.  Q8NG72     (Q8NG72)  none  EMR1
816.  Q8NG73     (Q8NG73)  none  フラグメント
817.  Q8NG75     (Q8NG75)  none  嗅覚II fam 5 / MOR172-224,249,254
818.  Q8NG76     (Q8NG76)  none  嗅覚II fam 2 / MOR256-262,270-285
819.  Q8NG77     (Q8NG77)  none  嗅覚II fam 2 / MOR256-262,270-285
820.  Q8NG78     (Q8NG78)  none  嗅覚II fam 8 / MOR161-171
821.  Q8NG79     (Q8NG79)  none  嗅覚未分類クラスII
822.  Q8NG82     (Q8NG82)  none  嗅覚II fam 2 / MOR256-262,270-285
823.  Q8NG85     (Q8NG85)  none  嗅覚II fam 2 / MOR256-262,270-285
824.  Q8NG86     (Q8NG86)  none  嗅覚II fam 2 / MOR256-262,270-285
825.  Q8NG87     (Q8NG87)  none  フラグメント
826.  Q8NG88     (Q8NG88)  none  嗅覚II fam 8 / MOR161-171
827.  Q8NG89     (Q8NG89)  none  フラグメント
828.  Q8NG90     (Q8NG90)  none  フラグメント
829.  Q8NG91     (Q8NG91)  none  フラグメント
830.  Q8NG96     (Q8NG96)  none  EMR1
831.  Q8NG98     (Q8NG98)  none  嗅覚II fam 7 / MOR139-155
832.  Q8NGA3     (Q8NGA3)  none  フラグメント
833.  Q8NGA4     (Q8NGA4)  none  ケモカイン受容体様1
834.  Q8NGA7     (Q8NGA7)  none  EMR1
835.  Q8NGA9     (Q8NGA9)  none  推定／未分類クラスB GPCRs
836.  Q8NGB0     (Q8NGB0)  none  推定／未分類クラスA GPCRs
837.  Q8NGB2     (Q8NGB2)  none  嗅覚II fam 4 / MOR225-248
838.  Q8NGB3     (Q8NGB3)  none  推定／未分類クラスB GPCRs
839.  Q8NGB5     (Q8NGB5)  none  フラグメント
840.  Q8NGC8     (Q8NGC8)  none  フラグメント
841.  Q8NGD6     (Q8NGD6)  none  嗅覚II fam 4 / MOR225-248
842.  Q8NGD7     (Q8NGD7)  none  フラグメント
843.  Q8NGD8     (Q8NGD8)  none  フラグメント
844.  Q8NGD9     (Q8NGD9)  none  嗅覚II fam 9 / MOR120
845.  Q8NGE2     (Q8NGE2)  none  嗅覚II fam 6 / MOR103-105,107-119
846.  Q8NGE3     (Q8NGE3)  none  嗅覚II fam 10 / MOR263-269
847.  Q8NGE4     (Q8NGE4)  none  推定／未分類クラスA GPCRs
848.  Q8NGE6     (Q8NGE6)  none  フラグメント
849.  Q8NGE9     (Q8NGE9)  none  嗅覚II fam 5 / MOR172-224,249,254
850.  Q8NGF2     (Q8NGF2)  none  フラグメント
851.  Q8NGF3     (Q8NGF3)  none  嗅覚I fam 51-52 /MOR1-42
852.  Q8NGF6     (Q8NGF6)  none  嗅覚II fam 10 / MOR263-269
853.  Q8NGG1     (Q8NGG1)  none  フラグメント
854.  Q8NGG9     (Q8NGG9)  none  嗅覚II fam 8 / MOR161-171
855.  Q8NGH0     (Q8NGH0)  none  嗅覚II fam 8 / MOR161-171
856.  Q8NGH1     (Q8NGH1)  none  嗅覚II fam 8 / MOR161-171
857.  Q8NGH2     (Q8NGH2)  none  嗅覚II fam 8 / MOR161-171
858.  Q8NGH4     (Q8NGH4)  none  嗅覚II fam 2 / MOR256-262,270-285
859.  Q8NGI3     (Q8NGI3)  none  嗅覚I fam 51-52 /MOR1-42
860.  Q8NGI4     (Q8NGI4)  none  嗅覚II fam 4 / MOR225-248
861.  Q8NGI5     (Q8NGI5)  none  フラグメント
862.  Q8NGI6     (Q8NGI6)  none  嗅覚II fam 4 / MOR225-248
863.  Q8NGK5     (Q8NGK5)  none  嗅覚I fam 51-52 /MOR1-42
864.  Q8NGK7     (Q8NGK7)  none  Mas-関連受容体類 (MRGs)
865.  Q8NGK8     (Q8NGK8)  none  フラグメント
866.  Q8NGL5     (Q8NGL5)  none  嗅覚II fam 5 / MOR172-224,249,254
867.  Q8NGL8     (Q8NGL8)  none  嗅覚II fam 4 / MOR225-248
868.  Q8NGM0     (Q8NGM0)  none  嗅覚II fam 4 / MOR225-248
869.  Q8NGM3     (Q8NGM3)  none  フラグメント
870.  Q8NGM4     (Q8NGM4)  none  嗅覚II fam 10 / MOR263-269
871.  Q8NGM5     (Q8NGM5)  none  ドーパミン脊椎動物タイプ4
872.  Q8NGM6     (Q8NGM6)  none  フラグメント
873.  Q8NGM7     (Q8NGM7)  none  嗅覚I fam 51-52 /MOR1-42
874.  Q8NGN9     (Q8NGN9)  none  嗅覚II fam 4 / MOR225-248
875.  Q8NGP1     (Q8NGP1)  none  フラグメント
876.  Q8NGP5     (Q8NGP5)  none  フラグメント
877.  Q8NGP7     (Q8NGP7)  none  フラグメント
878.  Q8NGQ7     (Q8NGQ7)  none  フラグメント
879.  Q8NGQ8     (Q8NGQ8)  none  サブスタンスK (NK2)
880.  Q8NGQ9     (Q8NGQ9)  none  ロドプシン他
881.  Q8NGT3     (Q8NGT3)  none  フラグメント
882.  Q8NGT4     (Q8NGT4)  none  フラグメント
883.  Q8NGT6     (Q8NGT6)  none  嗅覚II fam 2 / MOR256-262,270-285
884.  Q8NGT8     (Q8NGT8)  none  嗅覚II fam 2 / MOR256-262,270-285
885.  Q8NGU0     (Q8NGU0)  none  フラグメント
886.  Q8NGU1     (Q8NGU1)  none  フラグメント
887.  Q8NGU3     (Q8NGU3)  none  推定／未分類クラスA GPCRs
888.  Q8NGU5     (Q8NGU5)  none  推定／未分類クラスB GPCRs
889.  Q8NGU6     (Q8NGU6)  none  フラグメント
890.  Q8NGU7     (Q8NGU7)  none  フラグメント
891.  Q8NGU8     (Q8NGU8)  none  オーファンGPCR6
892.  Q8NGU9     (Q8NGU9)  none  推定／未分類クラスA GPCRs
893.  Q8NGV2     (Q8NGV2)  none  推定／未分類クラスA GPCRs
894.  Q8NGV4     (Q8NGV4)  none  フラグメント
895.  Q8NGV8     (Q8NGV8)  none  フラグメント
896.  Q8NGV9     (Q8NGV9)  none  フェロモン(Pheromone)
897.  Q8NGW0     (Q8NGW0)  none  嗅覚II fam 6 / MOR103-105,107-119
898.  Q8NGW2     (Q8NGW2)  none  フラグメント
899.  Q8NGW3     (Q8NGW3)  none  フラグメント
900.  Q8NGW4     (Q8NGW4)  none  推定／未分類クラスA GPCRs
901.  Q8NGW5     (Q8NGW5)  none  フラグメント
902.  Q8NGW8     (Q8NGW8)  none  脳特異的血管新生インヒビター(BAI)
903.  Q8NGW9     (Q8NGW9)  none  味覚受容体類(Taste receptors) (T1R)
904.  Q8NGX1     (Q8NGX1)  none  嗅覚II fam 2 / MOR256-262,270-285
905.  Q8NGX4     (Q8NGX4)  none  フラグメント
906.  Q8NGX7     (Q8NGX7)  none  フラグメント
907.  Q8NGY0     (Q8NGY0)  none  嗅覚II fam 10 / MOR263-269
908.  Q8NGY4     (Q8NGY4)  none  嗅覚II fam 6 / MOR103-105,107-119
909.  Q8NGY8     (Q8NGY8)  none  フラグメント
910.  Q8NGZ0     (Q8NGZ0)  none  嗅覚II fam 2 / MOR256-262,270-285
911.  Q8NGZ7     (Q8NGZ7)  none  味覚受容体類 (T1R)
912.  Q8NGZ9     (Q8NGZ9)  none  嗅覚II fam 2 / MOR256-262,270-285
913.  Q8NH04     (Q8NH04)  none  嗅覚II fam 2 / MOR256-262,270-285
914.  Q8NH06     (Q8NH06)  none  フラグメント
915.  Q8NH07     (Q8NH07)  none  嗅覚II fam 11 / MOR106,121-122
916.  Q8NH08     (Q8NH08)  none  嗅覚未分類クラスII
917.  Q8NH09     (Q8NH09)  none  嗅覚未分類クラスII
918.  Q8NH10     (Q8NH10)  none  嗅覚II fam 5 / MOR172-224,249,254
919.  Q8NH11     (Q8NH11)  none  フラグメント
920.  Q8NH12     (Q8NH12)  none  推定／未分類クラスB GPCRs
921.  Q8NH13     (Q8NH13)  none  フラグメント
922.  Q8NH14     (Q8NH14)  none  嗅覚未分類クラスII(Olfactory unclassified class II)
923.  Q8NH17     (Q8NH17)  none  フラグメント
924.  Q8NH20     (Q8NH20)  none  フラグメント
925.  Q8NH22     (Q8NH22)  none  フラグメント
926.  Q8NH23     (Q8NH23)  none  フラグメント
927.  Q8NH24     (Q8NH24)  none  フラグメント
928.  Q8NH25     (Q8NH25)  none  フラグメント
929.  Q8NH27     (Q8NH27)  none  フラグメント
930.  Q8NH28     (Q8NH28)  none  フラグメント
931.  Q8NH29     (Q8NH29)  none  フラグメント
932.  Q8NH32     (Q8NH32)  none  フラグメント
933.  Q8NH33     (Q8NH33)  none  フラグメント
934.  Q8NH36     (Q8NH36)  none  嗅覚II fam 10 / MOR263-269
935.  Q8NH38     (Q8NH38)  none  フラグメント
936.  Q8NH39     (Q8NH39)  none  プリン受容体他
937.  Q8NH44     (Q8NH44)  none  嗅覚未分類クラスII
938.  Q8NH45     (Q8NH45)  none  フラグメント
939.  Q8NH46     (Q8NH46)  none  フラグメント
940.  Q8NH47     (Q8NH47)  none  フラグメント
941.  Q8NH52     (Q8NH52)  none  フラグメント
942.  Q8NH58     (Q8NH58)  none  フラグメント
943.  Q8NH62     (Q8NH62)  none  フラグメント
944.  Q8NH65     (Q8NH65)  none  フラグメント
945.  Q8NH66     (Q8NH66)  none  フラグメント
946.  Q8NH68     (Q8NH68)  none  嗅覚I fam 51-52 /MOR1-42
947.  Q8NH69     (Q8NH69)  none  嗅覚II fam 5 / MOR172-224,249,254
948.  Q8NH71     (Q8NH71)  none  フラグメント
949.  Q8NH75     (Q8NH75)  none  フラグメント
950.  Q8NH77     (Q8NH77)  none  フラグメント
951.  Q8NH78     (Q8NH78)  none  嗅覚I fam 51-52 /MOR1-42
952.  Q8NH80     (Q8NH80)  none  嗅覚II fam 5 / MOR172-224,249,254
953.  Q8NH81     (Q8NH81)  none  嗅覚II fam 5 / MOR172-224,249,254
954.  Q8NH82     (Q8NH82)  none  フラグメント
955.  Q8NH84     (Q8NH84)  none  嗅覚II fam 4 / MOR225-248
956.  Q8NH85     (Q8NH85)  none  嗅覚II fam 5 / MOR172-224,249,254
957.  Q8NH86     (Q8NH86)  none  嗅覚II fam 5 / MOR172-224,249,254
958.  Q8NH88     (Q8NH88)  none  嗅覚II fam 5 / MOR172-224,249,254
959.  Q8NH91     (Q8NH91)  none  嗅覚II fam 5 / MOR172-224,249,254
960.  Q8NH95     (Q8NH95)  none  嗅覚II fam 2 / MOR256-262,270-285
961.  Q8NH96     (Q8NH96)  none  フラグメント
962.  Q8NH97     (Q8NH97)  none  フラグメント
963.  Q8NH98     (Q8NH98)  none  フラグメント
964.  Q8NH99     (Q8NH99)  none  嗅覚II fam 7 / MOR139-155
965.  Q8NHA0     (Q8NHA0)  none  フラグメント
966.  Q8NHA1     (Q8NHA1)  none  フラグメント
967.  Q8NHA2     (Q8NHA2)  none  フラグメント
968.  Q8NHA5     (Q8NHA5)  none  GABA-B サブタイプ 1
969.  Q8NHA6     (Q8NHA6)  none  嗅覚II fam 2 / MOR256-262,270-285
970.  Q8NHA7     (Q8NHA7)  none  嗅覚II fam 12 / MOR250
971.  Q8NHA9     (Q8NHA9)  none  メタボトロピックグルタミン酸グループIII
972.  Q8NHB0     (Q8NHB0)  none  フラグメント
973.  Q8NHB1     (Q8NHB1)  none  フラグメント
974.  Q8NHB3     (Q8NHB3)  none  フラグメント
975.  Q8NHB4     (Q8NHB4)  none  副甲状腺ホルモン
976.  Q8NHB5     (Q8NHB5)  none  嗅覚II fam 7 / MOR139-155
977.  Q8NHB6     (Q8NHB6)  none  フラグメント
978.  Q8NHB9     (Q8NHB9)  none  フラグメント
979.  Q8NHC0     (Q8NHC0)  none  フラグメント
980.  Q8NHC1     (Q8NHC1)  none  嗅覚II fam 7 / MOR139-155
981.  Q8NHC2     (Q8NHC2)  none  フラグメント
982.  Q8NHC3     (Q8NHC3)  none  フラグメント
983.  Q8NHC8     (Q8NHC8)  none  嗅覚II fam 2 / MOR256-262,270-285
984.  Q8NHD6     (Q8NHD6)  none  フラグメント
985.  Q8NHZ9     (Q8NHZ9)  GPRC6A  オーファンGPCR6
986.  Q8NI49     (Q8NI49)  HRH3  ヒスタミンタイプ3
987.  Q8NI50     (Q8NI50)  HRH3  フラグメント
988.  Q8TAM0     (Q8TAM0)  none  プリン受容体他
989.  Q8TAN2     (Q8TAN2)  none  フリズルドグループA (Fz 1&2&4&5&7-9)
990.  Q8TBH9     (Q8TBH9)  none  メタボトロピックグルタミン酸グループII
991.  Q8TBK4     (Q8TBK4)  none  アンジオテンシンタイプ1
992.  Q8TBQ7     (Q8TBQ7)  none  EMR1
993.  Q8TD39     (Q8TD39)  none  GPR37 / エンドセリンB様
994.  Q8TDD6     (Q8TDD6)  none  Mas-関連受容体類 (MRGs)
995.  Q8TDD7     (Q8TDD7)  none  Mas-関連受容体類 (MRGs)
996.  Q8TDD8     (Q8TDD8)  none  Mas-関連受容体類 (MRGs)
997.  Q8TDD9     (Q8TDD9)  none  Mas-関連受容体類 (MRGs)
998.  Q8TDE0     (Q8TDE0)  none  Mas-関連受容体類 (MRGs)
999.  Q8TDE1     (Q8TDE1)  none  Mas-関連受容体類 (MRGs)
1000.  Q8TDJ8     (Q8TDJ8)  none  フラグメント
1001.  Q8TDJ9     (Q8TDJ9)  none  味覚受容体類 (T1R)
1002.  Q8TDP5     (Q8TDP5)  CCR3  フラグメント
1003.  Q8TDP6     (Q8TDP6)  CCR3  フラグメント
1004.  Q8TDP8     (Q8TDP8)  CCR3  フラグメント
1005.  Q8TDQ8     (Q8TDQ8)  none  プリン受容体他
1006.  Q8TDS4     (Q8TDS4)  GPCR  推定／未分類クラスA GPCRs
1007.  Q8TDS5     (Q8TDS5)  GPCR OR TG1019  推定／未分類クラスA GPCRs
1008.  Q8TDS6     (Q8TDS6)  GPCR  オーファンGPRC5
1009.  Q8TDS7     (Q8TDS7)  GPCR  Mas-関連受容体類 (MRGs)
1010.  Q8TDS9     (Q8TDS9)  GPCR  推定／未分類他(Putative / unclassified other)
1011.  Q8TDT0     (Q8TDT0)  GPCR  推定／未分類他
1012.  Q8TDT1     (Q8TDT1)  GPCR  フラグメント
1013.  Q8TDT2     (Q8TDT2)  GPCR  プリン受容体他
1014.  Q8TDT3     (Q8TDT3)  GPCR  推定／未分類クラスB GPCRs
1015.  Q8TDT4     (Q8TDT4)  GPCR  推定／未分類クラスB GPCRs
1016.  Q8TDT5     (Q8TDT5)  GPCR  推定／未分類クラスB GPCRs
1017.  Q8TDT6     (Q8TDT6)  GPCR  オーファンGPCR6
1018.  Q8TDT7     (Q8TDT7)  GPCR  推定／未分類他
1019.  Q8TDT8     (Q8TDT8)  GPCR  フリズルドグループA (Fz 1&2&4&5&7-9)
1020.  Q8TDT9     (Q8TDT9)  GPCR  フリズルドグループB (Fz 3 & 6)
1021.  Q8TDU0     (Q8TDU0)  GPCR  推定／未分類他
1022.  Q8TDU1     (Q8TDU1)  GPCR  フェロモン
1023.  Q8TDU2     (Q8TDU2)  GPCR OR V1RL4  鋤鼻受容体類(Vomeronasal receptors) V1R
1024.  Q8TDU3     (Q8TDU3)  GPCR  鋤鼻受容体類 V1R
1025.  Q8TDU4     (Q8TDU4)  GPCR OR V1RL2  鋤鼻受容体類 V1R
1026.  Q8TDU5     (Q8TDU5)  GPCR  フラグメント
1027.  Q8TDU6     (Q8TDU6)  GPCR  推定／未分類クラスA GPCRs
1028.  Q8TDU8     (Q8TDU8)  GPCR  推定／未分類クラスA GPCRs
1029.  Q8TDV0     (Q8TDV0)  GPCR  推定／未分類クラスA GPCRs
1030.  Q8TDV1     (Q8TDV1)  GPCR  フラグメント
1031.  Q8TDV2     (Q8TDV2)  GPCR  推定／未分類クラスA GPCRs
1032.  Q8TDV3     (Q8TDV3)  GPCR  フラグメント
1033.  Q8TDV4     (Q8TDV4)  GPCR  推定／未分類クラスA GPCRs
1034.  Q8TDV5     (Q8TDV5)  GPCR OR GPR119  推定／未分類クラスA GPCRs
1035.  Q8TE23     (Q8TE23)  TAS1R2  味覚受容体類 (T1R)
1036.  Q8TEM3     (Q8TEM3)  FLJ00170  フラグメント
1037.  Q8TEV7     (Q8TEV7)  MTNR1B  フラグメント
1038.  Q8WUL7     (Q8WUL7)  none  メラニン細胞刺激ホルモン
1039.  Q8WUR8     (Q8WUR8)  none  フラグメント
1040.  Q8WWD5     (Q8WWD5)  none  プロスタサイクリン
1041.  Q8WXG9     (Q8WXG9)  VLGR1  推定／未分類クラスB GPCRs
1042.  Q8WXR5     (Q8WXR5)  CRHR1  フラグメント
1043.  Q8WXR6     (Q8WXR6)  CRHR1  フラグメント
1044.  Q8WXR7     (Q8WXR7)  CRHR1  フラグメント
1045.  Q8WXR9     (Q8WXR9)  FZD6  フリズルドグループB (Fz 3 & 6)
1046.  Q8WXV1     (Q8WXV1)  none  フラグメント
1047.  Q8WXV2     (Q8WXV2)  none  フラグメント
1048.  Q8WXZ9     (Q8WXZ9)  HRH3  ヒスタミンタイプ3
1049.  Q8WY00     (Q8WY00)  HRH3  ヒスタミンタイプ3
1050.  Q8WY01     (Q8WY01)  HRH3  ヒスタミンタイプ3
1051.  Q8WZ72     (Q8WZ72)  MTNR1A  フラグメント
1052.  Q8WZ85     (Q8WZ85)  PJCG2  フラグメント
1053.  Q8WZ86     (Q8WZ86)  JCG4  フラグメント
1054.  Q8WZ87     (Q8WZ87)  PJCG1  フラグメント
1055.  Q8WZA6     (Q8WZA6)  OR17-210  フラグメント
1056.  Q93003     (Q93003)  HA2AR  フラグメント
1057.  Q969F8     (Q969F8)  HOT7T175 OR GPR54  GPCR 54
1058.  Q96AM5     (Q96AM5)  none  ニューロメディンU
1059.  Q96B74     (Q96B74)  none  フリズルドグループA (Fz 1&2&4&5&7-9)
1060.  Q96CD9     (Q96CD9)  none  フラグメント
1061.  Q96CH1     (Q96CH1)  none  推定／未分類クラスA GPCRs
1062.  Q96DQ1     (Q96DQ1)  none  フラグメント
1063.  Q96EC3     (Q96EC3)  none  βアドレナリン受容体タイプ2
1064.  Q96FC5     (Q96FC5)  none  ロドプシン他
1065.  Q96GE0     (P30874)  none  フラグメント
1066.  Q96HB4     (Q96HB4)  none  推定／未分類クラスB GPCRs
1067.  Q96HT6     (Q96HT6)  none  フラグメント
1068.  Q96IE7     (Q96IE7)  none  フラグメント
1069.  Q96JW0     (Q96JW0)  none  推定／未分類クラスB GPCRs
1070.  Q96K78     (Q96K78)  none  推定／未分類クラスB GPCRs
1071.  Q96KE0     (Q96KE0)  none  フラグメント
1072.  Q96KP5     (Q96KP5)  CCR11  C-C ケモカイン他
1073.  Q96LA9     (Q96LA9)  MRGX4  Mas-関連受容体類 (MRGs)
1074.  Q96LB0     (Q96LB0)  MRGX3  Mas-関連受容体類 (MRGs)
1075.  Q96LB1     (Q96LB1)  MRGX2 OR GPCR  Mas-関連受容体類 (MRGs)
1076.  Q96LB2     (Q96LB2)  MRGX1 OR GPCR  Mas-関連受容体類 (MRGs)
1077.  Q96LC6     (Q96LC6)  CCKBR  CCK タイプB
1078.  Q96LD9     (Q96LD9)  H4  ヒスタミンタイプ4
1079.  Q96MV6     (Q96MV6)  none  推定／未分類クラスB GPCRs
1080.  Q96N54     (Q96N54)  none  フラグメント
1081.  Q96PE1     (Q96PE1)  TEM5 OR GPR124  推定／未分類クラスB GPCRs
1082.  Q96QG0     (Q96QG0)  AXOR12  GPCR 54
1083.  Q96R43     (Q96R43)  none  フラグメント
1084.  Q96R54     (Q96R54)  none  フラグメント
1085.  Q96RE8     (Q96RE8)  ADRA1A  αアドレナリン受容体タイプ1
1086.  Q96RG8     (Q96RG8)  CHRM4  アセチルコリン脊椎動物タイプ4
1087.  Q96RG9     (Q96RG9)  CHRM3  フラグメント
1088.  Q96RH0     (Q96RH0)  CHRM2  アセチルコリン脊椎動物タイプ2
1089.  Q96RH1     (Q96RH1)  CHRM1  アセチルコリン脊椎動物タイプ1
1090.  Q96T96     (Q96T96)  CCR3  フラグメント
1091.  Q99412     (Q99412)  5-HT7  フラグメント
1092.  Q99463     (Q99463)  Y6  ニューロペプチドYタイプ6
1093.  Q99586     (Q99586)  none  フラグメント
1094.  Q99587     (Q99587)  none  フラグメント
1095.  Q99642     (Q99642)  none  フラグメント
1096.  Q99997     (Q99997)  none  フラグメント
1097.  Q9BSP0     (Q9BSP0)  none  フラグメント
1098.  Q9BX54     (Q9BX54)  BAI3  フラグメント
1099.  Q9BXA0     (Q9BXA0)  none  C-X-C ケモカインタイプ4
1100.  Q9BXA5     (Q9BXA5)  GPR91  プリン受容体他
1101.  Q9BXX6     (Q9BXX6)  DRD3  フラグメント
1102.  Q9BY15     (Q9BY15)  none  EMR1
1103.  Q9BY61     (Q9BY61)  none  フラグメント
1104.  Q9BYD7     (Q9BYD7)  VTS20631  LGR 様 (ホルモン受容体類)
1105.  Q9BYT4     (Q9BYT4)  none  フラグメント
1106.  Q9BYX5     (Q9BYX5)  CCR8  C-C ケモカインタイプ8
1107.  Q9BYY4     (Q9NYN8)  EDG1  フラグメント
1108.  Q9BYY6     (Q9BYY6)  CNR1  フラグメント
1109.  Q9BYZ0     (Q9BYZ0)  ADRB2  フラグメント
1110.  Q9BZC5     (Q9BZC5)  FKSG35  フラグメント
1111.  Q9GZK1     (Q9GZK1)  6M1-4P*04 OR 6M1-4P*03  嗅覚II fam 2 / MOR256-262,270-285
1112.  Q9GZK6     (Q9GZK6)  6M1-4P*05 OR 6M1-4P*02  嗅覚II fam 2 / MOR256-262,270-285
1113.  Q9GZN0     (Q9GZN0)  STRG  推定／未分類クラスA GPCRs
1114.  Q9GZP7     (Q9GZP7)  VNR19I1 OR V1RL1 OR GPCR  鋤鼻受容体類 V1R
1115.  Q9GZQ4     (Q9GZQ4)  NMUR2 OR NMU2R OR TGR-1  ニューロメディンU
1116.  Q9H011     (Q9H011)  GIR  フラグメント
1117.  Q9H1N4     (Q9H1N4)  ADRA1D  フラグメント
1118.  Q9H1R0     (Q9H1R0)  DJ402H5.1  フラグメント
1119.  Q9H206     (Q9H206)  none  嗅覚II fam 6 / MOR103-105,107-119
1120.  Q9H208     (Q9H208)  none  嗅覚II fam 10 / MOR263-269
1121.  Q9H228     (Q9H228)  GPCR  リゾスフィンゴ脂質 & LPA (EDG)
1122.  Q9H2C5     (Q9H2C5)  none  嗅覚I fam 51-52 /MOR1-42
1123.  Q9H2C6     (Q9H2C6)  none  嗅覚I fam 51-52 /MOR1-42
1124.  Q9H2C7     (Q9H2C7)  none  フラグメント
1125.  Q9H2C8     (Q9H2C8)  none  嗅覚I fam 51-52 /MOR1-42
1126.  Q9H2L2     (Q9H2L2)  none  推定／未分類クラスA GPCRs
1127.  Q9H339     (Q9H339)  none  嗅覚I fam 51-52 /MOR1-42
1128.  Q9H340     (Q9H340)  none  嗅覚I fam 51-52 /MOR1-42
1129.  Q9H342     (Q9H342)  none  嗅覚I fam 51-52 /MOR1-42
1130.  Q9H345     (Q9H345)  none  嗅覚I fam 51-52 /MOR1-42
1131.  Q9H573     (Q9H573)  OPRM1  オピオイドタイプM
1132.  Q9H7M4     (Q9H7M4)  FLJ00046  フラグメント
1133.  Q9H7Q2     (Q9H7Q2)  FLJ00015  フラグメント
1134.  Q9HAR2     (Q9HAR2)  LEC3  ラトロフィリンタイプ3
1135.  Q9HAR3     (Q9HAR3)  LEC2  ラトロフィリンタイプ1
1136.  Q9HB44     (Q9HB44)  none  フラグメント
1137.  Q9HB45     (Q9HB45)  none  成長ホルモン放出ホルモン
1138.  Q9HB89     (Q9HB89)  NMUR1  ニューロメディンU
1139.  Q9HBV6     (Q9HBV6)  HCRTR1  オレキシン
1140.  Q9HBW9     (Q9HBW9)  ETL  ETL 受容体類(ETL receptors)
1141.  Q9HCA5     (Q9HCA5)  STRL33  BONZO 受容体類 (CXC6R)
1142.  Q9NPY0     (Q9NPY0)  ADRA1D  フラグメント
1143.  Q9NQ20     (Q9NQ20)  GPR31  GPR
1144.  Q9NQ84     (Q9NQ84)  GPRC5C  オーファンGPRC5
1145.  Q9NQS5     (Q9NQS5)  EX33 OR GPR84 OR GPCR  推定／未分類クラスA GPCRs
1146.  Q9NRA6     (Q9GZQ4)  NMU2R OR TGR-1  ニューロメディンU
1147.  Q9NRB8     (Q9NRB8)  none  リゾスフィンゴ脂質 & LPA (EDG)
1148.  Q9NSC9     (Q9NSC9)  HPFH6OR  フラグメント
1149.  Q9NSM3     (Q9NSM3)  DKFZP434B1272  フラグメント
1150.  Q9NYK7     (Q9NYK7)  none  CCK タイプB
1151.  Q9NYN8     (Q9NYN8)  CHEDG1 OR EDG1  リゾスフィンゴ脂質 & LPA (EDG)
1152.  Q9NZD1     (Q9NZD1)  GPRC5D  オーファンGPRC5
1153.  Q9NZG5     (Q9NZG5)  GPRC5C  オーファンGPRC5
1154.  Q9NZH0     (O75205)  GPRC5B  オーファンGPRC5
1155.  Q9NZP3     (Q9NZP3)  HSA12  フラグメント
1156.  Q9NZP4     (Q9NZP4)  HSA10  フラグメント
1157.  Q9P1R1     (Q9P1R1)  none  フラグメント
1158.  Q9P1T4     (Q9P1T4)  CCR5  フラグメント
1159.  Q9P1T5     (Q9P1T5)  CCR5  フラグメント
1160.  Q9P1V4     (Q9P1V4)  none  フラグメント
1161.  Q9P1Z7     (Q9P1Z7)  KIAA1531  フラグメント
1162.  Q9P2Q4     (Q9P2Q4)  HTR1F  フラグメント
1163.  Q9P2Q9     (Q9P2Q9)  HTR2A  フラグメント
1164.  Q9UBJ7     (Q9UBJ7)  CCR5  C-C ケモカインタイプ5
1165.  Q9UBT9     (Q9UBT9)  CCR5  C-C ケモカインタイプ5
1166.  Q9UCW0     (Q9UCW0)  none  フラグメント
1167.  Q9UD23     (Q9UD23)  none  エンドセリン
1168.  Q9UD63     (Q9UD63)  none  αアドレナリン受容体タイプ1
1169.  Q9UD67     (Q9UD67)  none  フラグメント
1170.  Q9UDD7     (Q9UDD7)  none  フラグメント
1171.  Q9UDD8     (Q9UDD8)  none  フラグメント
1172.  Q9UDD9     (Q9UDD9)  none  嗅覚II fam 1 / MOR125-138,156
1173.  Q9UDE6     (Q9UDE6)  none  サブスタンスK (NK2)
1174.  Q9UEB1     (Q9UEB1)  none  フラグメント
1175.  Q9UHX3     (Q9UHX3)  EMR2  EMR1
1176.  Q9UJ42     (Q9UJ42)  GPCR150 OR GPCR  推定／未分類他
1177.  Q9UJ48     (Q9UJ48)  LPHH1  フラグメント
1178.  Q9UJ49     (Q9UJ49)  LPHH1  フラグメント
1179.  Q9UJ50     (Q9UJ50)  LPHH1  フラグメント
1180.  Q9UJ51     (Q9UJ51)  LPHH1  フラグメント
1181.  Q9UJ52     (Q9UJ52)  LPHH1  フラグメント
1182.  Q9UKY5     (Q9UKY5)  LEC1  ラトロフィリンタイプ2
1183.  Q9UKY6     (Q9UKY6)  LEC1  ラトロフィリンタイプ2
1184.  Q9UL14     (Q9UL14)  OR17-1  フラグメント
1185.  Q9UL61     (Q9UL61)  VLGR1  推定／未分類クラスB GPCRs
1186.  Q9UM77     (Q9UM77)  OLFR 17-210  フラグメント
1187.  Q9UN23     (Q9UN23)  CCR5  C-C ケモカインタイプ5
1188.  Q9UN24     (Q9UN24)  CCR5  C-C ケモカインタイプ5
1189.  Q9UN25     (Q9UN25)  CCR5  C-C ケモカインタイプ5
1190.  Q9UN26     (Q9UN26)  CCR5  C-C ケモカインタイプ5
1191.  Q9UN27     (Q9UN27)  CCR5  C-C ケモカインタイプ5
1192.  Q9UN28     (Q9UN28)  CCR5  C-C ケモカインタイプ5
1193.  Q9UPA4     (P51681)  CCR5  C-C ケモカインタイプ5
1194.  Q9UPG0     (Q9UPG0)  CRAM-B  C-C ケモカイン他
1195.  Q9UPJ0     (Q9UPJ0)  none  フラグメント
1196.  Q9UPJ1     (Q9UPJ1)  none  フラグメント
1197.  Q9UQQ6     (Q9UQQ6)  CCR9  C-C ケモカインタイプ9
1198.  Q9UQS0     (Q9UQS0)  none  フラグメント
1199.  Q9Y2T6     (Q9Y2T6)  GPR55  推定／未分類クラスA GPCRs
1200.  Q9Y4B1     (Q9Y4B1)  none  フラグメント
1201.  Q9Y653     (Q9Y653)  GPR56  推定／未分類クラスB GPCRs
1202.  R3R1_HUMAN (Q9NSD7)  SALPR  ソマトスタチン及びアンジオゲニン様ペプチド(Somatostatin- and angiogenin-like peptide)
1203.  R3R2_HUMAN (Q8TDU9)  GPR100  ソマトスタチン及びアンジオゲニン様ペプチド
1204.  RDC1_HUMAN (P25106)  CMKOR1 OR RDC1  RDC1
1205.  RGR_HUMAN  (P47804)  RGR  ロドプシン他
1206.  SCRC_HUMAN (P47872)  SCTR  セクレチン(Secretin)
1207.  SMO_HUMAN  (Q99835)  SMO OR SMOH  スムーズンド(Smoothened)
1208.  SPR1_HUMAN (Q15743)  GPR68 OR OGR1  GPR
1209.  SRB3_HUMAN (Q9NS66)  SREB3  SREB
1210.  SSR1_HUMAN (P30872)  SSTR1  ソマトスタチン（Somatostatin）タイプ1
1211.  SSR2_HUMAN (P30874)  SSTR2  ソマトスタチンタイプ2
1212.  SSR3_HUMAN (P32745)  SSTR3  ソマトスタチンタイプ3
1213.  SSR4_HUMAN (P31391)  SSTR4  ソマトスタチンタイプ4
1214.  SSR5_HUMAN (P35346)  SSTR5  ソマトスタチンタイプ5
1215.  TA2R_HUMAN (P21731)  TBXA2R  トロンボキサン
1216.  TAR1_HUMAN (Q96RJ0)  TAR1 OR TA1  トレースアミン
1217.  TAR3_HUMAN (Q96RI9)  TAR3 OR TA3  トレースアミン
1218.  TAR4_HUMAN (Q96RI8)  TAR4 OR TA4  トレースアミン
1219.  TAR5_HUMAN (Q969N4)  GPR102 OR TAR5 OR TA5  トレースアミン
1220.  TRFR_HUMAN (P34981)  TRHR  チロトロピン放出ホルモン(Thyrotropin-releasing hormone)
1221.  TSHR_HUMAN (P16473)  TSHR  チロトロピン
1222.  UR2R_HUMAN (Q9UKP6)  GPR14  ウロテンシンII(Urotensin II)
1223.  V1AR_HUMAN (P37288)  AVPR1A OR AVPR1  バソプレシン
1224.  V1BR_HUMAN (P47901)  AVPR1B OR AVPR3 OR VPR3  バソプレシン
1225.  V2R_HUMAN  (P30518)  AVPR2 OR ADHR OR V2R  バソプレシン
1226.  VIPR_HUMAN (P32241)  VIPR1  血管作動性腸ポリペプチド(Vasoactive intestinal polypeptide)
1227.  VIPS_HUMAN (P41587)  VIPR2 OR VIP2R  血管作動性腸ポリペプチド
【００３６】
核内受容体は、リガンド誘導性転写制御因子として機能することで、リガンドの信号を遺伝情報に伝達し、標的遺伝子群の発現を転写レベルで制御する受容体である。このリガンド依存的転写制御を、基本転写装置と共におこなう際、受容体へリガンド結合依存的に相互作用する核内因子群が見出されている。これら転写共役因子は、単独で存在することなく、複合体を形成することが知られている。核内受容体には、ステロイドホルモン受容体及び非ステロイドホルモン受容体が含まれ、ステロイドホルモン受容体としては、例えば、エストラジオール−１７β受容体（ＥＲα）、グルココルチコイド受容体（ＧＲ）、プロゲステロン受容体（ＰＲ）、アンドロゲン受容体（ＡＲ）、又はミネラルコルチコイド受容体（ＭＲ）などを挙げることができ、非ステロイドホルモン受容体としては、トリヨードチロニン受容体（ＴＲ）、ビタミンＤ受容体（ＶＤＲ）、トランスレチノイン受容体（ＲＡＲ）、又はＰＰＡ（peroxisome  proliferator-activated）受容体などを挙げることができる。
【００３７】
前記細胞接着分子（cell adhesion molecule：ＣＡＭ）は、接着分子、接着因子、又は接着タンパク質とも称されるタンパク質であって、細胞同士又は細胞と細胞外マトリックスとの接着に関与する細胞膜の分子であり、例えば、多細胞組織の形態形成、維持、再生、炎症、腫瘍の転移などに関与する。多くのものは細胞膜を貫通し、細胞内で細胞骨格系と結合するか、第二メッセンジャー系を介してシグナルを細胞内へ伝達している。細胞接着分子としては、例えば、免疫グロブリンスーパーファミリー、カドヘリンスーパーファミリー、インテグリンスーパーファミリー、セレクチン（ＬＥＣＡＭ）ファミリー、又はＭＡＭスーパーファミリーを挙げることができる。
【００３８】
免疫グロブリンスーパーファミリーは、免疫グロブリンに類似のドメインを１つ以上細胞外に含む分子である。免疫系に関与する免疫グロブリンスーパーファミリーとしては、例えば、各種免疫グロブリン、主要組織適合抗原（ＭＨＣ）Ｉ及びII、各Ｔ細胞受容体、ＣＤ２、ＣＤ３、ＣＤ４、ＣＤ８、ＣＤ２８、又はＩＣＡＭを挙げることができ、神経系に関与する免疫グロブリンスーパーファミリーとしては、例えば、ＮＣＡＭ、Ｌ１（ＮｇＣＡＭ）、ＮｒＣＡＭ、Ｔｈｙ１、ＭＡＧ、ＰＯ、ＴＡＧ１、ＳＣ１、テレンセファロン、又はファスシクリンII及びIIIを挙げることができる。
【００３９】
カドヘリンスーパーファミリーは、カルシウム依存性に細胞間の接着に関与する細胞膜タンパク質として最初に報告された分子であり、基本的には５個の分子内繰り返し構造をもつ細胞外ドメイン、膜貫通領域、及び細胞内ドメインからなり、前記繰り返し構造に酸性アミノ酸又は芳香族アミノ酸などによる特徴的なモチーフを含む分子である。カドヘリンスーパーファミリーとしては、例えば、Ｉ型（例えば、Ｎタイプ、Ｒタイプ、又はＰタイプ）、膜貫通部位を含まず、イノシトールを介して膜と結合する短型、細胞内ドメインに特徴的な構造をもつデスモソーム型、又は細胞外繰り返し構造が多く含まれるプロト型を挙げることができる。
【００４０】
インテグリンスーパーファミリーは、αβの２種のサブユニットのヘテロ二量体で、細胞と細胞外マトリックス間の接着に関与し、細胞内では細胞骨格系と密接に関係する分子である。
【００４１】
セレクチン（ＬＥＣＡＭ）ファミリーは、レクチン様ドメイン、ＥＧＦ（上皮増殖因子）様ドメイン、及び複数の補体結合様ドメインを細胞外にもつ膜タンパク質である。セレクチン（ＬＥＣＡＭ）ファミリーとしては、例えば、ＬＥＣＡＭ−１（Ｌ−セレクチン）又はＬＥＣＡＭ−２若しくはＬＥＣＡＭ−３（Ｐ−セレクチン）を挙げることができる。
【００４２】
ＭＡＭスーパーファミリーは、ＭＡＭドメイン（メプリン、Ａ５、μより命名）を含む接着性膜タンパク質であり、特徴的なアミノ酸配列を含み、βシートを形成する分子である。
【００４３】
本発明の複合体を形成することのできるリガンド結合タンパク質又はその誘導体として用いることのできる前記「リガンド結合部位を含むリガンド結合タンパク質の断片（ii）」は、前記リガンド結合タンパク質の断片であって、そのリガンド結合タンパク質のリガンド結合部位を含む限り、特に限定されるものではない。例えば、膜貫通型受容体における細胞外ドメインを挙げることができる。
【００４４】
本発明の複合体を形成することのできるリガンド結合タンパク質又はその誘導体として用いることのできる前記「リガンド結合タンパク質（ｉ）又は前記断片（ii）を含むポリペプチド含有物質（iii）」は、前記リガンド結合タンパク質又はその断片を含み、且つリガンドとの結合能を保持する限り、特に限定されるものではなく、例えば、リガンド結合タンパク質又はその断片を含む融合ポリペプチド、あるいは、リガンド結合タンパク質又はその断片に、パートナー物質と結合可能な物質を結合させたポリペプチド誘導体を挙げることができる。
【００４５】
前記「リガンド結合タンパク質又はその断片を含む融合ポリペプチド」において、リガンド結合タンパク質又はその断片と融合可能なポリペプチド又はペプチドとしては、例えば、遺伝子組み換え技術において汎用されるマーカー配列、リガンド結合タンパク質と共役して機能するポリペプチド（以下、共役ポリペプチドと称する）若しくはその断片、又はパートナー物質と結合可能なポリペプチド又はペプチドを挙げることができる。
【００４６】
前記融合ポリペプチドにおける「リガンド結合タンパク質又はその断片」と「リガンド結合タンパク質又はその断片と融合可能なポリペプチド又はペプチド」との連結順序は、特に限定されるものではないが、リガンド結合部位から離れた位置に、「リガンド結合タンパク質又はその断片と融合可能なポリペプチド又はペプチド」が配置されるように、連結することが好ましい。例えば、リガンド結合タンパク質が膜貫通型タンパク質（例えば、膜貫通型受容体又は細胞接着分子）である場合には、リガンド結合部位は、通常、細胞外側に位置するため、細胞質側に位置するポリペプチド末端に、「リガンド結合タンパク質又はその断片と融合可能なポリペプチド又はペプチド」を連結することが好ましい。より具体的には、ＧＰＣＲでは、Ｎ末端が細胞外側に、Ｃ末端が細胞質側に位置するため、ＧＰＣＲのＣ末端と、「リガンド結合タンパク質又はその断片と融合可能なポリペプチド又はペプチド」（好ましくは、Ｇタンパク質若しくはそのαサブユニット又はその断片）のＮ末端とを連結することが好ましい。
これらの好適態様では、本発明の複合体が担体を含み、且つ複合体に含まれるパートナー物質を介して担体に担持させた場合、リガンド結合部位を、担体から離れた位置に配置することができ、被検物質とリガンド結合部位との接触機会を増やすことができる。
【００４７】
前記マーカー配列は、ポリペプチドを遺伝子工学的に調製する際に、所望に応じて、前記ポリペプチドとインフレームで融合して発現させることにより、前記ポリペプチドの発現の確認、細胞内局在の確認、又は精製等を容易に行なうことができるように用いられるものであり、例えば、ＧＳＴ（glutathione-S-transferase）又はその断片、ＦＬＡＧエピトープ、ヒスチジン・タグ、ヘマグルチニン・タグ、又はｍｙｃエピトープなどを挙げることができる。
【００４８】
前記共役ポリペプチドは、用いるリガンド結合タンパク質に応じて適宜選択することができる。
例えば、リガンド結合タンパク質がＧＰＣＲである場合には、共役ポリペプチドとしてＧタンパク質又はそのサブユニットを用いることができる。Ｇタンパク質には、単量体Ｇタンパク質と、α、β、及びγサブユニットからなる三量体Ｇタンパク質とが存在する。単量体Ｇタンパク質の場合には、Ｇタンパク質を用いることが好ましく、三量体Ｇタンパク質の場合には、サブユニット、特には、ＧＴＰ及びＧＤＰの結合するαサブユニットを用いることが好ましい。
【００４９】
リガンド結合タンパク質がＧＰＣＲであって、共役ポリペプチドとしてＧタンパク質又はそのサブユニットを用いる場合、ＧＰＣＲとＧタンパク質又はそのサブユニットとの組合せは、特に限定されるものではなく、生体内における天然の組合せ、あるいは、人工的に設計した組合せのいずれであることもできるが、ＧＰＣＲとＧタンパク質又はそのサブユニットとが共役して機能を発揮することができる組合せであることが好ましく、生体内における天然の組合せであることがより好ましい。
【００５０】
例えば、Ｇタンパク質αサブユニットとしてＧｉを用いる場合には、Ｇｉと共役するＧＰＣＲとしては、例えば、ｈＧＰＣＲ４４、カテコールアミン受容体α２、ドーパミン受容体Ｄ２、ムスカリン受容体ｍ２、ｍ４、ｍ５、アデノシン受容体Ａ１、Ａ３、ＰＧＥ受容体ＥＰ３、ロイコトリエン受容体ＢＬＴ、Ｃｙｓ−ＬＴ１、スフィンゴシン１−リン酸受容体Ｓ１Ｐ１、Ｓ１Ｐ２、Ｓ１Ｐ３、又はリゾホスファチジン酸受容体ＬＰＡ１を挙げることができ、更に、表１に記載のヒトＧＰＣＲの内、例えば、セロトニンタイプ１ファミリー（番号１〜５）、セロトニンタイプ２ファミリー（番号６〜８）、αアドレナリン受容体タイプ２ファミリー（番号１６〜１８）、ＣＸ３Ｃケモカインファミリー（番号４４）、カンナビノイドファミリー（番号４９、５０）、ＣＸＣケモカインファミリー（番号５２〜５４）、ＣＣケモカインファミリー（番号６０〜６７）、ヒスタミンタイプ３ファミリー（番号１７７）、ヒスタミンタイプ４ファミリー（番号１７８）、又はＩＬ−８受容体ファミリー（ＣＸＣ１、ＣＸＣ２）（番号１８０、１８１）を挙げることができる。ＣＸＣ受容体ファミリーは、全て、Ｇｉと共役するＧＰＣＲである。
【００５１】
なお、本発明では、前記共役ポリペプチドをその機能が発揮される状態で使用する必要は必ずしもなく、結合パートナー物質に対する抗原として機能する限り、前記共役ポリペプチドの全体を用いることもできるし、その断片を用いることもできる。
【００５２】
前記「リガンド結合タンパク質又はその断片にパートナー物質と結合可能な物質を結合させたポリペプチド誘導体」において、「パートナー物質と結合可能な物質」としては、例えば、アビジン、ストレプトアビジン、ビオチン、ビオチン／ビオチンアクセプター複合体、レクチン、糖、抗体若しくはその断片、抗原（例えば、ジゴキシゲニン）、又は核酸（特にはＤＮＡ）を挙げることができる。なお、各「パートナー物質と結合可能な物質」に対応する各パートナー物質の例を、表２に示す。
【００５３】
《表２》
パートナー物質と結合可能な物質                        パートナー物質        
アビジン又はストレプトアビジン                          ビオチン
ビオチン、ビオチン／ビオチンアクセプター複合体    アビジン又はストレプトアビジン
レクチン                                      糖
糖                                        レクチン
抗体又はその断片                                    抗原
抗原                                  抗体又はその断片
核酸                                      相補的核酸        
【００５４】
本発明において、「リガンド結合タンパク質又はその誘導体」としては、ＧＰＣＲ又はその断片とＧタンパク質若しくはそのαサブユニット又はその断片との融合ポリペプチドが好ましく、ＧＰＣＲとＧタンパク質若しくはそのαサブユニットとの融合ポリペプチドがより好ましく、ＧＰＣＲ又はその断片（特にＧＰＣＲ）のＣ末端と、Ｇタンパク質若しくはそのαサブユニット又はその断片（特にＧタンパク質若しくはそのαサブユニット）のＮ末端とを連結した融合ポリペプチドが特に好ましい。
【００５５】
ＧＰＣＲ又はその断片（特にＧＰＣＲ）を、Ｇタンパク質若しくはそのαサブユニット又はその断片（特にＧタンパク質若しくはそのαサブユニット）と融合した形で発現させることにより、リガンドスクリーニングに使用することができるだけでなく、スクリーニングによって得られたリガンド又はアゴニスト・アンタゴニストの活性測定にも使用することが可能である。
また、このような融合ポリペプチドの形で発現させた場合、細胞内でＧＰＣＲが活性化された場合に形成されるＧＰＣＲ−Ｇタンパク質（若しくはＧタンパク質αサブユニット）複合体と同様に、ＧＰＣＲ又はその断片と、Ｇタンパク質若しくはそのαサブユニット又はその断片とが、１対１の割合で融合ポリペプチドに含まれるため、ＧＰＣＲ又はその断片の立体構造維持の点で好ましい。
更に、前記の特定末端で連結した融合ポリペプチドにおいては、本発明の複合体が担体を含み、且つ複合体に含まれるパートナー物質を介して担体に担持させた場合、リガンド結合部位を、担体から離れた位置に配置することができ、被検物質とリガンド結合部位との接触機会を増やすことができる。
【００５６】
本発明の複合体を形成する第２の成分である「リガンド結合部位以外の部位でリガンド結合タンパク質又はその誘導体に特異的に結合可能なパートナー物質」は、本発明の複合体を形成する第１の成分である前記リガンド結合タンパク質又はその誘導体に応じて、適宜選択することができる。
【００５７】
例えば、リガンド結合タンパク質又はその誘導体は、ポリペプチドであるか、少なくともポリペプチド部分を含むので、リガンド結合部位以外の任意のアミノ酸領域［例えば、マーカー配列、共役ポリペプチド部分、又はリガンド結合タンパク質部分（但し、リガンド結合部位を除く）］に特異的に結合可能な抗体又は抗体断片を前記パートナー物質として用いることができる。
前記抗体としては、ポリクローナル抗体又はモノクローナル抗体のいずれを用いることもできる。抗体としては、例えば、ＩｇＧ、ＩｇＡ、ＩｇＥ、ＩｇＭ、又はＩｇＤを用いることができ、ＩｇＧが好ましい。前記抗体断片としては、元の抗体の反応特異性を保持する断片、すなわち、抗原認識部位を含む断片である限り、特に限定されるものではなく、例えば、Ｆａｂ、Ｆａｂ’、Ｆ（ａｂ’）２、又はＦｖを挙げることができる。
【００５８】
また、リガンド結合タンパク質又はその誘導体が「パートナー物質と結合可能な物質」を含む場合には、含まれる「パートナー物質と結合可能な物質」の種類に応じて、適当なパートナー物質を適宜選択することができる。「パートナー物質と結合可能な物質」とそれに対応する「パートナー物質」の例を表２に示す。
【００５９】
本発明の複合体は、第２成分である「パートナー物質」部分が、第１成分である「リガンド結合タンパク質又はその誘導体」部分における、パートナー物質による認識部位に結合することにより、複合体を形成している。本発明の複合体は、「リガンド結合タンパク質又はその誘導体」部分と「パートナー物質」部分とを含む複合体である限り、特に限定されるものではないが、所望により、それ以外の成分、例えば、担体を含むことができる。
前記担体としては、例えば、タンパク質の分離精製に用いることのできる担体［例えば、各種粒子（例えば、磁性粒子、金属粒子、樹脂粒子、ガラス粒子、又はセラミック粒子）、又はクロマトグラフィー用担体］、又は免疫学的分析に用いることのできる担体［例えば、ＥＬＩＳＡ用プレート、メンブレン、又はラテックス粒子］を挙げることができる。
【００６０】
本発明の複合体が担体を含む場合には、複合体に含まれるパートナー物質を介して担体に担持されていることが好ましい。例えば、担体が粒子である場合には、このような構造をとることにより、複合体に含まれるリガンド結合タンパク質のリガンド結合部位が粒子の外側方向に向かって配置されるため、例えば、本発明の複合体をリガンド結合タンパク質に結合する物質のスクリーニングに用いる場合に、被検物質とリガンド結合部位との接触機会を増やすことができる。また、担体が平板上担体（例えば、プレート又はメンブレン）である場合にも、同様の効果を得ることができる。
【００６１】
本発明の複合体では、第１成分として含む「リガンド結合タンパク質又はその誘導体」の種類は特に限定されるものではないが、１種類であることが好ましい。本発明の複合体におけるリガンド結合タンパク質又はその誘導体の種類が１種類であると、他のリガンド結合タンパク質の影響を受けることなく、標的のリガンド結合タンパク質のみをターゲットとするスクリーニングを実施することができる。
【００６２】
また、本発明の複合体では、第１成分として含む「リガンド結合タンパク質又はその誘導体」が単離されたリガンド結合タンパク質又はその誘導体であることが好ましい。本明細書において「単離された」状態とは、細胞から分離された状態を意味し、例えば、リガンド結合タンパク質又はその誘導体を含む細胞膜画分の状態、あるいは、前記細胞膜画分から可溶化処理により更に精製した状態を挙げることができる。本発明の複合体では、細胞膜画分から可溶化処理により精製したリガンド結合タンパク質又はその誘導体として含むことが特に好ましい。
【００６３】
本発明の複合体における好ましい態様では、
（１）リガンドに特異的に結合可能なタンパク質、リガンド結合部位を含む前記タンパク質の断片、及び前記タンパク質若しくは前記断片を含むポリペプチド含有物質からなる群から選んだリガンド結合タンパク質又はその誘導体１種類と、
（２）リガンド結合部位以外の部位で前記リガンド結合タンパク質又はその誘導体に特異的に結合可能なパートナー物質と
を含み、前記リガンド結合タンパク質以外のリガンド結合タンパク質又はその誘導体を実質的に含まない。
【００６４】
本発明の複合体における別の好ましい態様では、
（１）リガンドに特異的に結合可能なタンパク質、リガンド結合部位を含む前記タンパク質の断片、及び前記タンパク質若しくは前記断片を含むポリペプチド含有物質からなる群から選んだ、単離されたリガンド結合タンパク質又はその誘導体と、
（２）リガンド結合部位以外の部位で前記リガンド結合タンパク質又はその誘導体に特異的に結合可能なパートナー物質と
を含み、前記リガンド結合タンパク質以外のリガンド結合タンパク質又はその誘導体を実質的に含まない。
【００６５】
本発明の複合体における更に好ましい態様では、
（１）リガンドに特異的に結合可能なタンパク質、リガンド結合部位を含む前記タンパク質の断片、及び前記タンパク質若しくは前記断片を含むポリペプチド含有物質からなる群から選んだ、単離されたリガンド結合タンパク質又はその誘導体１種類と、
（２）リガンド結合部位以外の部位で前記リガンド結合タンパク質又はその誘導体に特異的に結合可能なパートナー物質と
を含み、前記リガンド結合タンパク質以外のリガンド結合タンパク質又はその誘導体を実質的に含まない。
【００６６】
本発明の複合体は、一般的な遺伝子組み換え技術及びタンパク質の分離精製技術を組み合わせることにより調製することができる。
例えば、遺伝子組み換え技術の常法に基づいて、所望のリガンド結合タンパク質又はその誘導体をコードする遺伝子を適当な発現ベクターに組み込み、その発現ベクターを適当な宿主にトランスフェクトさせ、その形質転換体を培養することにより、前記リガンド結合タンパク質又はその誘導体を産生させることができる。前記宿主としては、例えば、大腸菌、酵母、哺乳動物細胞（例えば、ＣＨＯ細胞又はＣＯＳ細胞）、又は昆虫細胞（例えば、Ｓｆ９細胞）を挙げることができる。続いて、産生させた前記リガンド結合タンパク質又はその誘導体の生化学的性質に基づいて選択した細胞分画方法により、本発明の複合体を含む細胞画分を回収し、更に、適当なパートナー物質と接触させることにより、本発明の複合体を調製することができる。
【００６７】
例えば、リガンド結合タンパク質が膜貫通型受容体（例えば、ＧＰＣＲ）である場合には、宿主細胞中で、受容体は細胞膜を貫通する状態で産生される。培養後、細胞を遠心分離によって回収し、回収した細胞をプロテアーゼ阻害剤存在下でホモジナイズして細胞を破砕し、それを超遠心分離して沈澱に細胞膜画分を回収する。細胞の破砕方法としては、公知の方法、例えば、ホモジナイザー（例えば、Potter-Elvehjem型）で細胞を押し潰す方法、ワーリングブレンダー又はポリトロン（Kinematica社製）により破砕する方法、超音波により破砕する方法、あるいは、フレンチプレスなどで加圧しながら細胞を細いノズルから噴出させることにより破砕する方法などが挙げられる（日本膜学会編、膜学実験シリーズ第Ｉ巻、生体膜編、ｐ．７５）。
【００６８】
細胞膜の分画には、遠心力による分画法、例えば、分画遠心分離法や密度勾配遠心分離法などが主として用いられる。例えば、細胞破砕液を低速（５００〜３０００ｒｐｍ）で短時間（通常、約１〜１０分間）遠心分離し、上清を更に高速（１５０００〜３００００ｒｐｍ）で通常３０分〜２時間遠心分離し、得られる沈澱を膜画分とする。この膜画分中には、発現した受容体タンパク質と細胞由来のリン脂質や膜タンパク質などの膜成分が多く含まれる。
【００６９】
得られた細胞膜画分を適当な可溶化剤（例えば、ジギトニン、Ｔｗｅｅｎ２０、Ｌｕｂｒｏｌ  ＰＸ、Ｔｒｉｔｏｎ  Ｘ−１００、Ｎｏｎｉｄｅｔ  Ｐ−４０、又はＣＨＡＰＳ）で可溶化し、これを、パートナー物質（例えば、抗体）を担持させた担体と接触させることにより、受容体とパートナー物質との複合体を取得することができる。
【００７０】
本発明のキット（スクリーニング用キット及び分析用キットを含む）は、本発明の複合体の第１成分である「リガンド結合タンパク質はその誘導体」と、第２成分である「パートナー物質」とを、それぞれ別々の物質として、あるいは、複合体の形で含むことができる。
また、本発明のキットは、前記「リガンド結合タンパク質又はその誘導体」の代わりに、あるいは、それに加えて、前記リガンド結合タンパク質又はその誘導体のアミノ酸配列をコードする塩基配列を含むポリヌクレオチド、及び／又は前記ポリヌクレオチドを含むベクターを含むこともできる。
【００７１】
［２］本発明のスクリーニング方法及び分析方法
本発明のスクリーニング方法では、本発明の複合体と被検物質とを接触させることにより、リガンド結合タンパク質に結合する物質をスクリーニングすることができる。
本発明のスクリーニング方法にかけることのできる被検物質としては、特に限定されるものではないが、例えば、ケミカルファイルに登録されている種々の公知化合物、コンビナトリアル・ケミストリー技術又は通常の合成技術によって得られた化合物群、あるいは、ファージ・ディスプレイ法などを応用して作成されたランダム・ペプチド群を用いることができる。また、微生物の培養上清、又は植物、動物、若しくは海洋生物由来の天然成分若しくは組織抽出物などもスクリーニングの被検物質として用いることができる。更には、本発明のスクリーニング方法により選択された化合物を、化学的又は生物学的に修飾した化合物を用いることができる。
本発明のスクリーニング方法とファージ・ディスプレイ法とを組み合わせることにより、標的のリガンド結合タンパク質に結合するペプチドを高い確率で取得することができる。
【００７２】
本発明のスクリーニング方法は、例えば、スクリーニングに用いる本発明の複合体の状態、被検物質の種類及びその接触手順、あるいは、判定に用いる方法などに応じて、種々の実施態様で実施することができる。
本発明のスクリーニング方法には、例えば、
（１）担体に担持させた本発明の複合体と、被検物質とを接触させる工程（接触工程）、及び
（２）前記複合体を介して前記担体に結合した被検物質を取得する工程（取得工程）
を含む、スクリーニング方法（以下、単離型スクリーニング方法と称する）、並びに
（１）担体に担持された本発明の複合体（但し、受容体がＧＰＣＲである場合に限る）と、被検物質とを、標識化ＧＴＰの存在下で接触させる工程（接触工程）、及び
（２）前記複合体へのＧＴＰの結合を分析する工程（ＧＴＰ分析工程）
を含む、スクリーニング方法（以下、ＧＴＰ型スクリーニング方法と称する）
が含まれる。
【００７３】
本発明の単離型スクリーニング方法は、任意のリガンド結合タンパク質に結合する物質をスクリーニングする方法である。本発明の単離型スクリーニング方法を、リガンド結合タンパク質に結合する物質の精製方法として用いることもできる。
【００７４】
本発明の単離型スクリーニング方法における取得工程では、前記複合体を介して前記担体に結合した被検物質と、未反応の被検物質とを分離する。例えば、複合体を担持させる担体として、磁性ビーズを用いる場合には磁気により、それ以外のビーズ（例えば、金属ビーズ又は樹脂ビーズ）を用いる場合には、遠心分離により、ＥＬＩＳＡプレートを用いる場合には洗浄により、前記分離を実施することができる。
【００７５】
担体に担持した複合体に被検物質が結合している場合には、その被検物質を同定し、リガンド結合タンパク質に結合する物質を決定することができる。例えば、被検物質がペプチド呈示ファージである場合には、適当な溶出液で複合体から溶出させ、呈示ペプチドをコードするＤＮＡ配列を決定することにより、リガンド結合タンパク質に結合するペプチドを決定することができる。
【００７６】
本発明のＧＴＰ型スクリーニング方法は、受容体がＧＰＣＲである場合に適用することができる方法であり、ＧＰＣＲにリガンド又はアゴニストが結合した場合に、Ｇタンパク質又はそのαサブユニットにおいてＧＤＰからＧＴＰへの交換反応が起こることを利用した方法である。本発明のＧＴＰ型スクリーニング方法によれば、受容体結合物質を得ることができるだけでなく、その物質の受容体に対する作用（例えば、アゴニスト作用、アンタゴニスト作用、パーシャルアゴニスト作用、インバースアゴニスト作用、又はアロステリックリガンド作用）を決定することもできる。
【００７７】
本発明のＧＴＰ型スクリーニング方法では、本発明の複合体として、ＧＰＣＲ又はその断片とＧタンパク質若しくはそのαサブユニット又はその断片との融合ポリペプチドを含む複合体を使用する。本明細書において、用語「ＧＰＣＲの断片」とは、特に断らない限り、ＧＰＣＲの断片であって、且つリガンド結合部位を含む断片を意味する。また、用語「Ｇタンパク質の断片」とは、特に断らない限り、Ｇタンパク質の断片であって、且つＧＴＰ結合部位を含む断片を意味し、「Ｇタンパク質αサブユニットの断片」とは、特に断らない限り、Ｇタンパク質αサブユニットの断片であって、且つＧＴＰ結合部位を含む断片を意味する。以下、本発明のＧＴＰ型スクリーニング方法に用いることのできる本発明の複合体を、ＧＴＰ型スクリーニング用複合体と称する。
【００７８】
本発明のＧＴＰ型スクリーニング方法における接触工程では、ＧＴＰ型スクリーニング用複合体と被検物質とを、標識化ＧＴＰの存在下で接触させる。なお、アンタゴニストをスクリーニングする場合には、標識ＧＴＰと共に、リガンド又はアゴニストを更に共存させることが好ましい。
ＧＴＰの標識化に用いることのできる物質としては、公知の標識物質、例えば、放射性同位元素、発光物質、蛍光物質、又は酵素を挙げることができる。
【００７９】
本発明のＧＴＰ型スクリーニング方法におけるＧＴＰ分析工程では、前記接触工程における被検物質の添加により生じる、前記複合体におけるＧＴＰの結合を分析（例えば、ＧＴＰの結合の有無の検出、あるいは、ＧＴＰの結合量の測定）する。
例えば、被検物質がアゴニストである場合には、Ｇタンパク質又はそのαサブユニットにおいてＧＤＰからＧＴＰへの交換反応が起こるため、標識化ＧＴＰの結合量が増加する。従って、被検物質を添加した際の、標識化ＧＴＰの結合量の増加を指標としてアゴニストをスクリーニングすることができる。
【００８０】
また、被検物質がアンタゴニストである場合には、標識化ＧＴＰと共存させたリガンド又はアゴニストによる標識化ＧＴＰの結合量の増加が、前記アンタゴニストの作用により、減少する。従って、被検物質を添加した際の、標識化ＧＴＰの結合量の減少を指標としてアンタゴニストをスクリーニングすることができる。
【００８１】
また、被検物質がインバースアゴニストである場合には、被検物質不在下で構成的に生じるＧＤＰからＧＴＰへの交換反応が、前記アンタゴニストの作用により、減少する。従って、被検物質を添加した際の、標識化ＧＴＰの結合量の減少を指標としてインバースアゴニストをスクリーニングすることができる。
【００８２】
更に、被検物質がアロステリックリガンドである場合には、リガンド又はアゴニストと拮抗的に作用しないため、リガンド又はアゴニストの濃度依存によらず、被検物質の濃度依存のみで活性が左右する。従って、被検物質を添加した際の、標識化ＧＴＰの結合量の変化（増加又は減少）（但し、前記変化が、リガンド又はアゴニストの濃度に依存しないものとする）を指標として、アロステリックリガンドをスクリーニングすることができる。
【００８３】
本発明のＧＴＰ型スクリーニング方法では、被検物質として、複数の異なる被検物質の混合物を用いることもできるが、各被検物質の作用を検討するためには、１種類の被検物質毎に実施することが好ましい。
【００８４】
本発明の分析方法は、本発明のスクリーニング方法に準じて実施することができ、本発明の分析方法には、例えば、
（１）担体に担持させた本発明の複合体と、被検物質とを接触させる工程（接触工程）、及び
（２）前記複合体を介して前記担体に結合した被検物質を取得する工程（取得工程）
を含む、前記被検物質のリガンド結合タンパク質に対する結合を分析する方法（以下、単離型分析方法と称する）、並びに
（１）担体に担持された本発明の複合体（但し、受容体がＧＰＣＲである場合に限る）と、被検物質とを、標識化ＧＴＰの存在下で接触させる工程（接触工程）、及び
（２）前記複合体へのＧＴＰの結合を分析する工程（ＧＴＰ分析工程）
を含む、前記被検物質の受容体に対する結合及び／又は作用を分析する方法（ＧＴＰ型分析方法と称する）
が含まれる。
【００８５】
本発明の単離型分析方法は、本発明の単離型スクリーニング方法と同様の方法により実施することができる。本発明の単離型分析方法における取得工程で取得された物質は、リガンド結合タンパク質に結合する物質であり、従って、リガンド結合タンパク質に対する結合能を有する物質である。
【００８６】
本発明のＧＴＰ型分析方法は、本発明のＧＴＰ型スクリーニング方法と同様の方法により実施することができる。
例えば、本発明のＧＴＰ型分析方法における分析工程において、被検物質の添加により、標識化ＧＴＰの結合量の増加が認められた場合には、被検物質は受容体に対するアゴニスト作用を有すると判定することができる。
また、被検物質の添加により、標識化ＧＴＰの結合量の減少が認められた場合（例えば、標識化ＧＴＰと共存させたリガンド又はアゴニストによる標識化ＧＴＰの結合量の増加が、被検物質の添加により減少した場合）には、被検物質は受容体に対するアンタゴニスト作用を有すると判定することができる。
また、被検物質の添加により、標識化ＧＴＰの結合量の減少が認められた場合（例えば、被検物質不在下で構成的に生じるＧＤＰからＧＴＰへの交換反応が、被検物質の添加により、減少する場合）には、被検物質は受容体に対するインバースアゴニスト作用を有すると判定することができる。
また、被検物質の添加により、標識化ＧＴＰの結合量の変化（増加又は減少）が認められ、しかも、その変化が、リガンド又はアゴニストの濃度に依存しない場合には、被検物質は受容体に対するアロステリックリガンド作用を有すると判定することができる。
【実施例】
【００８７】
以下、実施例によって本発明を具体的に説明するが、これらは本発明の範囲を限定するものではない。
【００８８】
《実施例１：ヒトｈＧＰＣＲ４４−Ｇｉα融合ポリペプチドを含む細胞膜画分の調製》
本実施例では、以下の手順に従って、ヒトｈＧＰＣＲ４４のＣ末端とウシＧｉαサブユニットのＮ末端とを連結したヒトｈＧＰＣＲ４４−Ｇｉα融合ポリペプチドを、昆虫細胞Ｓｆ９において産生させた後、細胞膜画分を回収することにより、前記融合ポリペプチドを含有する細胞膜画分を調製した。
【００８９】
具体的には、配列番号１で表される塩基配列からなるヒトｈＧＰＣＲ４４の遺伝子を、配列番号３及び配列番号４で表される塩基配列からなるプライマーセットを用いるＰＣＲにより増幅した。また、配列番号２で表される塩基配列からなるウシＧｉαサブユニットの遺伝子を、配列番号５及び配列番号６で表される塩基配列からなるプライマーセットを用いるＰＣＲにより増幅した。続いて、増幅したヒトｈＧＰＣＲ４４遺伝子及びウシＧｉαサブユニット遺伝子の混合物を鋳型として、配列番号３及び配列番号６で表される塩基配列からなるプライマーセットを用いるＰＣＲにより、ヒトｈＧＰＣＲ４４遺伝子とウシＧｉαサブユニット遺伝子との融合遺伝子（ヒトｈＧＰＣＲ４４−Ｇｉα融合遺伝子）を作成した。得られた融合遺伝子を制限酵素ＮｏｔＩ及びＸｂａＩで消化し、組み換え体バキュロウイルス作製用のベクターｐＦＡＳＴＢａｃ１（インビトロジェン製）のマルチクローニングサイト（ＮｏｔＩ及びＸｂａＩ部位）に挿入した。
【００９０】
作成されたベクターを用いて、バキュロウイルスのゲノムをバクミド（Ｂａｃｍｉｄ）として保持する大腸菌ＤＨ１０Ｂａｃ（インビトロジェン製）を形質転換し、抗生物質（カナマイシン、ゲンタマイシン、及びテトラサイクリン）、イソプロピルチオガラクトシド（ＩＰＴＧ）、及びＢｌｕｏ−ｇａｌ（インビトロジェン製）を含む寒天培地に塗布して３７℃で培養した。生じたコロニーのうち、青くならずに白いままでいるコロニーから、大腸菌ＤＨ１０Ｂａｃ内で相同組み換えが起こり、バキュロウイルスのゲノム部分に標的とするヒトｈＧＰＣＲ４４−Ｇｉα融合遺伝子が挿入されたバクミドを単離した。なお、前記の形質転換及びバクミド単離の各操作は、添付のプロトコールに従って実施した。
【００９１】
単離された組み換え体バクミド（バキュロウイルスゲノム）を昆虫細胞Ｓｆ９（インビトロジェン製）にトランスフェクション（ｍｏｉ＝１）させ、２８℃で９６時間培養することにより、ヒトｈＧＰＣＲ４４−Ｇｉα融合遺伝子をもつ組み換え体バキュロウイルスを得た。この組み換え体ウイルスを新鮮なＳｆ９細胞に感染させ、２８℃で４８時間培養した。なお、前記のトランスフェクション及び感染の各操作は、添付のプロトコールに従って実施した。この間にヒトｈＧＰＣＲ４４−Ｇｉα融合遺伝子が発現して細胞膜に貫通した状態でヒトｈＧＰＣＲ４４−Ｇｉα融合ポリペプチドが得られる。培養後、細胞を遠心分離（６０００ｒｐｍ、４℃、１０分間）によって回収した。回収した細胞をプロテアーゼ阻害剤（プロテアーゼインヒビターカクテル；シグマ製）存在下でホモジナイズし、それを超遠心分離して沈澱として細胞膜画分を回収した。なお、前記超遠心分離は、低速（３０００ｒｐｍ、４℃）で５分間遠心分離し、得られた上清を更に高速（２００００ｒｐｍ、４℃）で２．５時間遠心分離して沈殿を取得した。
【００９２】
《実施例２：ペプチド呈示ファージライブラリーからのヒトｈＧＰＣＲ４４結合ペプチドのスクリーニング》
（１）抗Ｇタンパク質モノクローナル抗体（Mouse Anti Gi1α Monoclonal Antibody；SCB製）５０μＬ（タンパク量として５０μｇ）を限外濾過チューブ（セントリコンYM-10；MILLIPORE製）に添加し、１００ｍｍｏｌ／Ｌ炭酸水素ナトリウムバッファー（ｐＨ８．０）２ｍＬを加え、遠心分離（５０００Ｇ、４℃、６０分間）した。再び１００ｍｍｏｌ／Ｌ炭酸水素ナトリウムバッファー（ｐＨ８．０）２ｍＬを加え、遠心分離（５０００Ｇ、４℃、６０分間）する操作を２回繰り返し、最後は１００ｍｍｏｌ／Ｌ炭酸水素ナトリウムバッファー（ｐＨ８．０）で５００μＬとした。
【００９３】
（２）ここに、ビオチン化試薬（EZ-LinkTMSulfo-NHS-LC-Bitin；PIERCE製）１ｍｇを１００ｍｍｏｌ／Ｌ炭酸水素ナトリウムバッファー（ｐＨ８．０）１ｍＬで溶解させたものを１０μＬ加え、軽く攪拌してから４℃で８時間インキュベートした。ゲルろ過カラム（Hi Trap Desulting5×5；Amersham製）にＴＢＳバッファー（50mmol/L Tris-HCl, 150mmol/L NaCl）２０ｍＬを流した後、インキュベートしておいた混合液を全量流した。直ちに、ＴＢＳバッファー（50mmol/L Tris-HCl, 150mmol/L NaCl）１ｍＬを流し、続けて２ｍＬを流した。２ｍＬ流したときにカラムから排出される液を全量回収することにより、ビオチン化抗体を取得した。
【００９４】
（３）表面にストレプトアビジンを固定化した磁気ビーズ（Dynabeads M-280 streptavidin；Dynal製）１００μＬを１．５ｍＬチューブに入れ、ＴＢＳバッファー（50mmol/L Tris-HCl, 150mmol/L NaCl）１ｍＬを加えてから磁気で分離し、バッファーを捨てるという洗浄操作を６回行った。ここへ、前記（２）で回収したビオチン化抗体１ｍＬを加え、アイクル（愛くる RBM-100；旭テクノグラス製）にて室温で１時間攪拌した。その後、磁気で分離して溶液を捨て、ＴＢＳバッファー（50mmol/L Tris-HCl, 150mmol/L NaCl）１ｍＬで５回洗浄後、ＴＢＳバッファー（50mmol/L Tris-HCl, 150mmol/L NaCl）１ｍＬを加え、得られた抗体固定化磁気ビーズ懸濁液を４℃で保管した。
【００９５】
（４）−２０℃で保存しておいた実施例１で調製したヒトｈＧＰＣＲ４４−Ｇｉα融合ポリペプチド発現膜（１０ｍｇ／ｍＬ）を氷中で緩やかに解凍させ、その５００μＬを１．５ｍＬチューブに入れ、卓上遠心機（ディスクボーイFB-4000； KURABO製）にて１２０００ｒｐｍで１分間遠心分離した。上清を捨て０．４％ジギトニンバッファー［0.1mol/L HEPES, 10mmol/L MgCl2, 160mmol/L NaCl, 1mmol/L EDTA, 0.4% ジギトニン（SERVA製）, pH8.0］１ｍＬを加え、ピペットで懸濁後、氷中で２時間インキュベートした。卓上遠心機にて１２０００ｒｐｍで１分間遠心分離した。
【００９６】
（５）前記（３）で作成した抗体固定化磁気ビーズ懸濁液２５０μＬを１．５ｍＬチューブにとり、ＴＢＳ−Ｔバッファー［ＴＢＳバッファー（50mmol/L Tris-HCl, 150mmol/L NaCl）に０．１％Ｔｗｅｅｎ２０を加えたもの］で６回洗浄した。ここへ、前記（４）で遠心分離した上清（可溶化ヒトｈＧＰＣＲ４４−Ｇｉα融合ポリペプチド）を全量加え、氷中で２時間インキュベートした。
【００９７】
（６）前記（５）とは別に、前記（３）で作成した抗体固定化磁気ビーズ懸濁液２５０μＬを１．５ｍＬチューブにとり、ＴＢＳ−Ｔバッファーにて６回洗浄した。ここにランダムペプチド呈示ファージライブラリー（ＴＢＳ−Ｔバッファー１ｍＬにスキムミルク０．０１ｇを加え、ライブラリー２０μＬを加えたもの）を添加し、アイクルにて１時間以上室温で攪拌した。なお、前記ライブラリーとしては、Smith, G. P., Science, 288, 1315-1317 (1985)及びJ. K. Scott and G. P. Smith, Science, 249, 386-390 (1990)の記載に基づいて作成したライブラリーを使用した。
【００９８】
（７）前記（６）のインキュベートの間に、前記（５）でインキュベートを行った磁気ビーズ懸濁液から磁気ビーズを磁気で分離後、内容液を捨て、ＴＢＳ−Ｔバッファーで３回洗浄した。ここにブロッキングバッファー（２％スキムミルク／ＴＢＳ−Ｔバッファー）１ｍＬを加え、氷中で１時間インキュベートした。
【００９９】
（８）前記（７）でインキュベートした磁気ビーズ懸濁液から磁気ビーズ（可溶化ヒトｈＧＰＣＲ４４−Ｇｉα融合ポリペプチドが、磁気ビーズに固定化された抗体を介して、磁気ビーズに固定化されている）を磁気で分離後、前記（６）の磁気ビーズ懸濁液から磁気で分離した上清（抗体固定化磁気ビーズに吸着する物質を除去したランダムペプチド呈示ファージライブラリーを含有する）をここに加えた。氷中で１時間インキュベートした。ＴＢＳ−Ｔで１０回洗浄後、溶出バッファー［0.2mol/L グリシン-HCl, 0.1% ウシ血清アルブミン（BSA）pH2.2］１００μＬを加え、室温にて７分間インキュベートした。磁気にて磁気ビーズを分離後、その上清を、中和バッファー（1mol/L Tris-HCl pH0.1）１５μＬを加えておいた０．５ｍＬチューブに添加し、軽く攪拌して、溶出ファージ液を得た。
【０１００】
（９）３００ｍＬ三角フラスコにＬＢ培地［バクトトリプトン１０ｇ、イーストエキストラクト５ｇ、及びＮａＣｌ５ｇを純水（Ｍｉｌｌｉ−Ｑ水）１Ｌで溶解したもの］２０ｍＬを入れ、そこに、一晩ＬＢ培地にて３７℃で振とう培養しておいた大腸菌（ＥＲ２７３８；BioLabs社製）を適量加え、３７℃で振とう培養した。ＯＤ６００が約０．６になったところで、前記（８）で調製した溶出ファージ液を全量加え、３７℃で４．５時間振とう培養した。培養終了後、５０ｍＬ遠沈管に全量移し、遠心分離機（himac CR22F；日立製作所製）で１００００ｒｐｍ、４℃の条件で１０分間遠心分離した。上清を、ＰＥＧ溶液（20% PEG#6000, 2.5mol/L NaCl）４ｍＬを入れておいた５０ｍＬ遠沈管に移し、４℃で時間インキュベートした。１００００ｒｐｍ、４℃の条件で１５分間遠心分離し、上清を捨て沈殿物をＴＢＳバッファー（50mmol/L Tris-HCl, 150mmol/L NaCl）１ｍＬに懸濁した。これを１．５ｍＬチューブに移し、１００００ｒｐｍ、４℃の条件で５分間遠心分離し、上清を、ＰＥＧ溶液（20% PEG#6000, 2.5mol/L NaCl）２００μＬを入れておいた１．５ｍＬチューブに移し、氷中で１時間インキュベートした。１００００ｒｐｍ、４℃の条件で１０分間遠心分離し、上清を捨て、沈殿物をＴＢＳバッファー（50mmol/L Tris-HCl, 150mmol/L NaCl）２００μＬで懸濁し、０．５ｍＬチューブに移した。
【０１０１】
（１０）前記（４）〜（９）の工程を３回繰り返した。但し、３回目は（８）までとした。この繰り返しの際、（６）で使用するファージは一回前の（９）で作成したファージを使用した。使用量としては、２回目は１回目で得られた全量の２００μＬ、３回目及び４回目は、それぞれ、２回目及び３回目で得られた量の半分の１００μＬとした。また、３回目及び４回目の（６）の工程で上清を移した後、そのビーズから（８）と同様の方法でファージを溶出させた。これは抗体に結合したペプチド呈示ファージである。
【０１０２】
（１１）パニング４回目のターゲット結合ファージ溶液と抗体結合ファージ溶液を、以下に示す手順でタイターにて単クローンにした。ファージ溶液をＴＢＳバッファー（50mmol/L Tris-HCl, 150mmol/L NaCl）にて１０の２乗〜１０の４乗に希釈した。一晩ＬＢ培地にて３７℃で振とう培養しておいた大腸菌を２００μＬずつ１．５ｍＬチューブに分注し、希釈したファージ液を１０μＬずつ分注し、２．５分間インキュベート後、オートクレーブで溶解させておいたアガローストップ［バクトトリプトン５ｇ、イーストエキストラクト２．５ｇ、ＮａＣｌ２．５ｇ、アガロース（１６００）３．５ｇ、及びＭｇＣｌ２・６Ｈ２Ｏ  ０．５ｇを純水（Ｍｉｌｌｉ−Ｑ水）５００ｍＬで溶解した後、オートクレーブしたもの］に加え、プレート（ＬＢ培地１Ｌに寒天１５ｇを加えオートクレーブを行い、ＩＰＴＧ０．０５ｇ、Ｘ−ｇａｌ０．０４ｇ、及びジメチルホルムアミド１ｍＬを加え、滅菌シャーレに撒いたもの）に全量撒いた。固化後、パラフィルムで封をして３７℃で約８時間インキュベートした。プラークが１００個前後のプレートを選択し、ＯＤ６００が約０．６に培養した大腸菌を試験管に５ｍＬずつ分注し、プレートのプラークを楊枝で突き、楊枝ごと試験管に入れた。各プレートのプラークを１２個ずつ、この操作を行った。３７℃で４．５時間振とう培養後、５０ｍＬ遠沈管に全量移し、１００００ｒｐｍ、４℃の条件で１０分間遠心分離した。上清を、ＰＥＧ溶液（20% PEG#6000, 2.5mol/L NaCl）１ｍＬを入れておいた５０ｍＬ遠沈管に移し、４℃で８時間インキュベートした。１００００ｒｐｍ、４℃の条件で１５分間遠心分離し、上清を捨て沈殿物をＴＢＳバッファー（50mmol/L Tris-HCl, 150mmol/L NaCl）１ｍＬに懸濁した。これを１．５ｍＬチューブに移し、１００００ｒｐｍ、４℃の条件で５分間遠心分離し、上清を、ＰＥＧ溶液（20% PEG#6000, 2.5mol/L NaCl）２００μＬを入れておいた１．５ｍＬチューブに移し、氷中で１時間インキュベートした。１００００ｒｐｍ、４℃の条件で１０分間遠心分離し、上清を捨て沈殿物をＴＢＳバッファー（50mmol/L Tris-HCl, 150mmol/L NaCl）２００μＬに懸濁し、０．５ｍＬチューブに移した。
【０１０３】
（１２）９６穴プレート［８列（Ａ列〜Ｈ列）×１２行（１行〜１２行）、平底高結合型；コーニング製）に、（１）で用いたのと同じ抗Ｇタンパク質モノクローナル抗体５０μｇを１００ｍｍｏｌ／Ｌ炭酸水素ナトリウムバッファー（ｐＨ８．０）１．２ｍＬで溶解させた液を分注した。１穴当り全量が１００μＬとなるように１００ｍｍｏｌ／Ｌ炭酸水素ナトリウムバッファー（ｐＨ８．０）を適量加えた。なお、Ｂ列及びＤ列には、抗体含有１００ｍｍｏｌ／Ｌ炭酸水素ナトリウムバッファー（ｐＨ８．０）を加えて、抗体固定化ウェルとして、Ａ列及びＣ列には、１００ｍｍｏｌ／Ｌ炭酸水素ナトリウムバッファー（ｐＨ８．０）のみを加えて、対照ウェルとした。これを４℃で８時間インキュベートした。内溶液を捨て、ブロッキングバッファー（ＮａＣｌ８ｇ、ＫＣｌ０．２ｇ、Ｎａ２ＨＰＯ４１．４４ｇ、及びＫＨ２ＰＯ４０．２４ｇを１Ｌの水に溶解させｐＨを７．４に調整したＰＢＳバッファーに、スキムミルクを２％となるように添加したもの）を１穴当り３００μＬ加え、プレート攪拌機にて室温で３時間攪拌した。内容物を捨て、ウォッシングバッファー（ＰＢＳバッファー１Ｌに対してＴｗｅｅｎ２０を０．５ｍＬ添加したもの）１穴当り２００μＬにて５回洗浄した。
【０１０４】
抗体に結合したファージ溶出液２０μＬをブロッキングバッファー８０μＬに加えたものを、クローンごとに１穴ずつ添加した。なお、Ａ列（抗体固定化ウェル）とＢ列（対照ウェル）との組み合わせ、又はＣ列（抗体固定化ウェル）とＤ列（対照ウェル）との組み合わせをセットとして、同一クローンを添加し、合計２０クローンを添加した。プレート攪拌機で室温で１時間攪拌した。内容液を捨て、ウォッシングバッファー１穴当り２００μＬにて５回洗浄した。使用したファージに対するＨＲＰ（horseradish peroxidase）標識抗体（HRP/Anti M13 Monoclonal conjugate；amersham pharmacia biotech製）２０μＬをブロッキングバッファー１０ｍＬに加えたものを、１穴当り１００μＬずつ添加した。プレート攪拌機で室温で１時間攪拌した。内容液を捨て、ウォッシングバッファー１穴当り２００μＬにて６回洗浄した。基質（ＡＢＴＳ２アンモニウム塩；和光純薬製）１．７ｍｇを０．０５ｍｏｌ／Ｌクエン酸溶液７．５ｍＬに溶解させ、３０％過酸化水素水１３μＬを添加したものを、１穴当り１００μＬ添加した。３０分後、プレートリーダー（ARVO SX；Wallac製）にて吸光度を測定した。各クローン（Ｎｏ．１〜Ｎｏ．２０）の吸光度を表３に示し、対照ウェルにおける吸光度に対する抗体固定化ウェルにおける吸光度の比（「抗体固定化ウェルにおける吸光度」／「対照ウェルにおける吸光度」）を表４に示す。
【０１０５】
《表３》
Ｎｏ．  １     ２     ３     ４     ５     ６     ７     ８     ９     10   
Ａ列  0.117  0.086  0.093  0.064  0.092  0.061  0.078  0.071  0.069  0.077 
Ｂ列  0.607  0.466  0.591  0.584  0.590  0.432  0.714  0.670  0.681  0.805 
Ｎｏ．  11     12     13     14     15     16     17     18     19     20   
Ｃ列  0.094  0.075  0.092  0.081  0.073  0.068  0.073  0.082  0.078  0.048 
Ｄ列  0.673  0.497  0.774  0.624  0.526  0.540  0.656  0.658  0.650  0.047   
【０１０６】
《表４》
Ｎｏ．  １     ２     ３     ４     ５     ６     ７     ８     ９     10   
5.196  5.386  6.372  9.184  6.406  7.106  9.173  9.403  9.879  10.446 
Ｎｏ．  11     12     13     14     15     16     17     18     19     20   
7.155  6.617  8.413  7.677  7.238  7.938  8.965  8.027  8.321  0.972   
【０１０７】
（１３）表４における比が１以上であるものは、ペプチド呈示ファージが抗体に結合していることを意味するので、そのクローンのＤＮＡを以下に示す手順でシークエンスした。前記（１１）のファージ液３０μＬを０．５ｍＬチューブに取り、ＰＥＧ溶液（20% PEG#6000, 2.5mol/L NaCl）６μＬを加え、氷中で１時間インキュベートした。１００００ｒｐｍ、４℃の条件で１０分間遠心分離し、上清を捨て沈殿物をヨウ化物（Iodide）バッファー（10mmol/L Tris-HCl, 1mmol/L EDTA2Na, 4mol/L NaI, pH8.0）１００μＬに溶解し、そこへ１００％エタノール２５０μＬを加え１０分間インキュベートした。１１０００ｒｐｍ、４℃の条件で１０分間遠心分離し、上清を捨て７０％エタノール３００μＬを加え、チューブ内を優しく洗浄した。真空乾燥機（CENTRIFUGAL VAPORIZER CVE-100；EYELA製）にて乾燥させ、得られたファージＤＮＡを滅菌した純水（Ｍｉｌｌｉ−Ｑ水）３０μＬを加えよく溶解した。新たに０．５ｍＬチューブを用意し、そこへ滅菌した純水（Ｍｉｌｌｉ−Ｑ水）１２μＬ、ファージＤＮＡ液５μＬ、及びプライマー（配列番号６）溶液（5pmol/L）１μＬを加え、攪拌した。０．２ｍＬカラーチューブ（緑、青、黄、及び赤）に４μＬずつ分注した。ここへ蛍光標識プライマーキッド（Thermo Sequenase fluorescent labelled primer cycle sequencing kid；amersham pharmacia biotech製）を添付のプロトコールに従って添加し、サーマルサイクラー（TaKaRa PCR Thermal Cycler；TaKaRa BIOMEDICALS製）にて９５℃（３０秒間）、５５℃（２０秒間）、及び７０℃（６０秒間）を１サイクルとする３０サイクルからなるＰＣＲ反応を行った。泳動用色素（Thermo Sequenase fluorescent labelled primer cycle sequencing kidに同梱；amersham pharmacia biotech製）を５μＬずつ添加し、ＤＮＡシークエンサー（Amersham製）にてファージＤＮＡをシークエンスした。得られた塩基配列からコードされるペプチドのアミノ酸配列として、クローンＮｏ．１、５、６、８、１３、１４、１６からは、７アミノ酸残基からなる同一のアミノ酸配列が得られた。また、クローンＮｏ．１２及び１５からは、前記アミノ酸配列とは異なる、７アミノ酸残基からなる同一のアミノ酸配列が得られた。更に、クローンＮｏ．２、７、９、１０、及び１１からは、それぞれ、７アミノ酸残基からなる異なるアミノ酸配列が得られた。なお、クローンＮｏ．３及び４は塩基配列を決定することができず、クローンＮｏ．１７〜２０は塩基配列決定を行わなかった。
【０１０８】
（１４）ターゲット結合ファージについても、（１３）と同様な方法でＤＮＡシークエンスを行った。但し、ＥＬＩＳＡは行っていないので、全クローンをＤＮＡシークエンスした。得られた塩基配列からコードされるペプチドのアミノ酸配列として、クローンＮｏ．２及び１０からは、７アミノ酸残基からなる同一のアミノ酸配列（アミノ酸配列から算出される分子量＝９６９Ｄａ）が得られ、クローンＮｏ．１、３〜９、１１、及び１２からは、１２アミノ酸残基からなる同一のアミノ酸配列（アミノ酸配列から算出される分子量＝１７０２Ｄａ）が得られた。ターゲットであるヒトｈＧＰＣＲ４４に結合したペプチド配列は、抗体結合ペプチド配列の何れとも異なっているので、特異性があるペプチド配列が得られたことが判明した。以下、クローンＮｏ．２及び１０をクローンＡと称し、クローンＮｏ．１、３〜９、１１、及び１２をクローンＢと称する。
【０１０９】
《実施例３：ヒトｈＧＰＣＲ４４に結合するペプチド呈示ファージの活性測定》
（１）実施例２で得られたクローンＡ及びＢについて、以下に示す手順により、ファージを増幅した。３００ｍＬ三角フラスコにＬＢ培地２０ｍＬを入れ、そこに、一晩ＬＢ培地にて３７℃で振とう培養しておいた大腸菌（ＥＲ２７３８）を適量加え、３７℃で振とう培養した。ＯＤ６００が約０．６になったら実施例２の（１１）でクローニングしたファージ溶液に楊枝を浸し、楊枝ごと三角フラスコに投入し、３７℃で４．５時間振とう培養した。培養が終わったら５０ｍＬ遠沈管に全量移し、遠心分離機で１００００ｒｐｍ、４℃の条件で１０分間遠心分離した。上清を、ＰＥＧ溶液（20% PEG#6000, 2.5mol/L NaCl）４ｍＬを入れておいた５０ｍＬ遠沈管に移し、４℃で８時間インキュベートした。１００００ｒｐｍ、４℃の条件で１５分間遠心分離し、上清を捨て沈殿物をＴＢＳバッファー（50mmol/L Tris-HCl, 150mmol/L NaCl）１ｍＬに懸濁した。これを１．５ｍＬチューブに移し１００００ｒｐｍ、４℃の条件で５分間遠心分離し、上清を、ＰＥＧ溶液（20% PEG#6000, 2.5mol/L NaCl）２００μＬを入れておいた１．５ｍＬチューブに移し、氷中で１時間インキュベートした。１００００ｒｐｍ、４℃の条件で１０分間遠心分離し、上清を捨て沈殿物をＴＢＳバッファー（50mmol/L Tris-HCl, 150mmol/L NaCl）２０μＬに懸濁し、０．５ｍＬチューブに移した。
【０１１０】
（２）反応液［最終濃度として、20mmol/L HEPES緩衝液(pH7.0), 1mmol/L EDTA, 160mmol/L NaCl, 1mmol/Lジチオスレイトール(DTT), 10mmol/L MgCl2, 1μmol/L GDP, 0.2mg/mL ヒトhGPCR44-Giα融合ポリペプチドを含む細胞膜, 及び100pmol/L [35S]GTPγS］９２μＬに、ヒトｈＧＰＣＲ４４に結合するペプチド呈示ファージであるクローンＡ又はＢ（１０１４ｐｆｕ／ｍＬ、ペプチド量として２０ｎｍｏｌ／Ｌ）４μＬと公知アゴニスト（配列番号８で表されるアミノ酸配列からなるペプチド、１０ｎｍｏｌ／Ｌ又は５０ｎｍｏｌ／Ｌ）４μＬとを添加し、総量１００μＬにて３０℃で３０分間反応させた。
なお、コントロールとして、ファージ及び公知アゴニスト無添加（すなわち、反応液のみ）、並びにＴＢＳバッファー（50mmol/L Tris-HCl, 150mmol/L NaCl）及び公知アゴニストのみ添加（すなわち、ファージを添加せず、公知アゴニストのみ添加）の反応を実施した。また、比較例として、抗体に結合するペプチドを呈示するファージ（クローンＮｏ．１０）と公知アゴニスト添加の反応を実施した。
【０１１１】
その後、ハーベスターにフィルター（ＧＦ／Ｂ  ｆｉｌｔｅｒ；パーキンエルマー製）をセットしてフィルトレーションすることにより、受容体に結合した［３５Ｓ］ＧＴＰγＳを回収した。３０ｍｍｏｌ／Ｌリン酸緩衝液でフィルターをよく洗浄し、６０℃で１５分間乾燥させてからこれをバイアルに入れ、シンチレーションカクテルを加えてフィルターに残存している［３５Ｓ］ＧＴＰγＳを液体シンチレーションカウンターで測定した。
【０１１２】
結果を図１に示す。図１において、レーン１〜４は、公知アゴニストが１０ｎｍｏｌ／Ｌの場合であり、レーン５〜８は、公知アゴニストが５０ｎｍｏｌ／Ｌの場合であり、レーン９は、ファージ及び公知アゴニスト無添加の場合の結果である。また、レーン１及び５は、公知アゴニスト共存下におけるクローンＡの結果であり、レーン２及び６は、公知アゴニスト共存下におけるクローンＢの結果であり、レーン３及び７は、公知アゴニスト共存下におけるクローンＮｏ．１０の結果であり、レーン４及び８は、ＴＢＳバッファー（50mmol/L Tris-HCl, 150mmol/L NaCl）及び公知アゴニスト添加の結果である。
【０１１３】
図１から明らかなように、公知アゴニスト不在下においてもバックグラウンドとして観察されるカウント量（レーン９）が、公知アゴニストを添加することにより、添加量依存的に上昇した（レーン４及び８）。この公知アゴニストによるカウント量の上昇は、抗体に結合するペプチドを呈示するファージＮ０．１０を添加しても有意な変化が見られなかった（レーン３及び７）のに対して、ヒトｈＧＰＣＲ４４に結合するペプチド呈示ファージであるクローンＡ又はＢを添加した場合には、有意な減少が認められた（レーン１、２、５、及び６）。これらの結果は、ファージクローンＡ及びＢが、それぞれ、アンタゴニストであることを示しており、本発明のスクリーニング系が受容体に結合する物質のスクリーニングに有用であることが判明した。
【０１１４】
（３）前記（２）では、ペプチド呈示ファージの状態でヒトｈＧＰＣＲ４４結合ペプチドの作用を評価したが、これらのペプチドの作用を更に確認するために、ファージクローンＢの呈示するペプチドを合成し、その合成ペプチド（１２ｍｅｒ）を用いて同様の実験を行った。但し、公知アゴニスト（配列番号８で表されるアミノ酸配列からなるペプチド）の濃度は１０ｎｍｏｌ／Ｌとし、合成ペプチドの添加量を変化させた。結果を図２に示す。
【０１１５】
図２において、矢印は公知アゴニストの濃度（１０−８ｍｏｌ／Ｌ）を示す。図２に示す結果において、公知アゴニスト無添加の場合のカウントは６２２０．６ｃｐｍであり、公知アゴニストのみを添加した場合（すなわち、合成ペプチド無添加）のカウントは、８４３９．３ｃｐｍであった（図２には示さず）。
図２に示すように、合成ペプチドを１０−９ｍｏｌ／Ｌから段階的に濃度を上げて添加していくと、公知アゴニストの活性を濃度依存的に低下させることが分かり、アンタゴニストとしての機能が示された。
【産業上の利用可能性】
【０１１６】
本発明の複合体は、リガンド結合タンパク質に結合する物質のスクリーニングの用途に適用することができる。
【図面の簡単な説明】
【０１１７】
【図１】ヒトｈＧＰＣＲ４４に結合するペプチド呈示ファージの活性測定の結果を示すグラフである。
【図２】合成ペプチドの活性測定の結果を示すグラフである。
【配列表フリーテキスト】
【０１１８】
以下の配列表の数字見出し＜２２３＞には、「Artificial Sequence」の説明を記載する。配列番号３〜７の配列で表される各塩基配列は、人工的に合成したプライマー配列であり、配列番号８の配列で表される塩基配列は、ｈＧＰＣＲ４４の公知アゴニストである。
【図１】
2005325055.tif 000002
【図２】
2005325055.tif 000003
【配列表】
2005325055000001.app